(57)【要約】【課題】演出に対する注目度を好適に向上させることができる遊技機を提供する。【解決手段】パチンコ機においては、遊技盤６０ａの背面側に可動演出ユニットが設けられている。可動演出ユニットは、第１装飾装置と第２装飾装置とを有しており、これら装飾装置はいずれもリンク機構を有している。各装飾装置は、本体部と、その本体部に対して回動可能に設けられた第１リンク部及び第２リンク部とを有している。第１装飾装置においては、第２リンク部が移動演出部２４３ｂを有しており、移動演出部２４３ｂは、各リンク部が回動することで退避位置から演出位置ＰＡ２に移動可能になっている。第２装飾装置２３３においては、第２リンク部が回転演出部４０３ｂを有しており、回転演出部４０３ｂは、各リンク部が回動することで退避位置から演出位置ＰＢ２に移動可能になっている。【選択図】      図４
2020072921.tif 000002
【特許請求の範囲】
【請求項１】
本体部に第１リンク部及び第２リンク部が接続され、前記第１リンク部と前記第２リンク部とを含むリンク機構により、移動演出部を遊技機前方から視認可能となる演出位置と該演出位置から退避した退避位置とに移動させるように構成された遊技機であって、
前記第１リンク部を動作させた場合に前記移動演出部を前記演出位置と前記退避位置との一方から前記演出位置と前記退避位置との他方に向けて移動させることが可能であり、前記第２リンク部を動作させた場合に前記移動演出部を前記演出位置と前記退避位置との一方から前記演出位置と前記退避位置との他方に向けて移動させることが可能であり、
前記第１リンク部を動作させる第１駆動部と、
前記第２リンク部を動作させる第２駆動部と、
を備えていることを特徴とする遊技機。
【発明の詳細な説明】
【技術分野】
【０００１】
本発明は、遊技機に関するものである。
【背景技術】
【０００２】
パチンコ遊技機等の遊技機においては、遊技領域に設けられた入球部への入球を契機として絵柄の変動表示を行う絵柄表示装置を備え、この絵柄表示装置の表示画面にて各種演出を行うことにより、遊技に対する注目度の向上が図られているものがある。
【０００３】
また、例えば表示画面の周辺に発光部や可動体等からなる演出用手段を設け、絵柄の変動表示による演出と演出用手段による演出とに所定の対応関係をもたせることにより、更なる注目度の向上を図った遊技機が提案されている（例えば特許文献１参照）。
【先行技術文献】
【特許文献】
【０００４】
【特許文献１】特開２００２−７８９０４号公報
【発明の概要】
【発明が解決しようとする課題】
【０００５】
しかしながら、演出用手段の演出に対する注目度の向上を図るには、その演出に関して改善の余地がある。
【０００６】
本発明は、上記例示した事情等に鑑みてなされたものであり、演出に対する注目度を好適に向上させることができる遊技機を提供することを目的とするものである。
【課題を解決するための手段】
【０００７】
本発明は、
本体部に第１リンク部及び第２リンク部が接続され、前記第１リンク部と前記第２リンク部とを含むリンク機構により、移動演出部を遊技機前方から視認可能となる演出位置と該演出位置から退避した退避位置とに移動させるように構成された遊技機であって、
前記第１リンク部を動作させた場合に前記移動演出部を前記演出位置と前記退避位置との一方から前記演出位置と前記退避位置との他方に向けて移動させることが可能であり、前記第２リンク部を動作させた場合に前記移動演出部を前記演出位置と前記退避位置との一方から前記演出位置と前記退避位置との他方に向けて移動させることが可能であり、
前記第１リンク部を動作させる第１駆動部と、
前記第２リンク部を動作させる第２駆動部と、
を備えていることを特徴とする。
【発明の効果】
【０００８】
本発明によれば、演出に対する注目度を好適に向上させることができる。
【図面の簡単な説明】
【０００９】
【図１】本実施形態におけるパチンコ機を示す斜視図である。
【図２】パチンコ機の主要な構成を展開して示す斜視図である。
【図３】パチンコ機の主要な構成を展開して示す斜視図である。
【図４】遊技盤ユニットの正面図である。
【図５】遊技盤ユニットを右前方から見た斜視図である。
【図６】遊技盤ユニットを左前方から見た斜視図である。
【図７】可動演出ユニットの正面図である。
【図８】可動演出ユニットの分解斜視図である。
【図９】第１装飾装置の分解斜視図である。
【図１０】第１装飾装置の概略正面図である。
【図１１】第１装飾装置の第１リンク部及び第２リンク部の動作について説明するための模式図である。
【図１２】第１装飾装置の本体部の分解斜視図である。
【図１３】第１装飾装置が退避状態から演出状態に移行する場合の動作図である。
【図１４】第１装飾装置が演出状態から退避状態に移行する場合の動作図である。
【図１５】第１装飾装置の第２リンク部の分解斜視図である。
【図１６】第１装飾装置の移動演出部の変形について説明するための図である。
【図１７】第２装飾装置の分解斜視図である。
【図１８】第２装飾装置の概略正面図である。
【図１９】第２リンク部の分解斜視図である。
【図２０】本体部の分解斜視図である。
【図２１】本体部の内部構造を示す図である。
【図２２】第２装飾装置が演出状態から退避状態に移行する場合の動作図である。
【図２３】パチンコ機の電気的構成を示すブロック図である。
【図２４】当否抽選等に用いられる各種カウンタの内容を説明するための説明図である。
【図２５】表示制御装置にて実行される演出処理を示すフローチャートである。
【図２６】表示制御装置にて実行される第２装飾装置の動作処理を示すフローチャートである。
【発明を実施するための形態】
【００１０】
以下、遊技機の一種であるパチンコ遊技機（以下、「パチンコ機」という）の一実施形態を、図面に基づいて詳細に説明する。図１はパチンコ機１０を正面側から見た斜視図、図２及び図３はパチンコ機１０の主要な構成を展開して示す斜視図である。なお、図２では便宜上パチンコ機１０の遊技領域ＰＥ内の構成を省略している。
【００１１】
図１に示すように、パチンコ機１０は、当該パチンコ機１０の外殻を形成する外枠１１と、この外枠１１に取り付けられた遊技機主部１２とを有している。
【００１２】
外枠１１は木製の板材を四辺に連結し構成されるものであって矩形枠状をなしている。外枠１１を島設備に取り付け固定することにより、パチンコ機１０が遊技ホールに設置される。なお、パチンコ機１０において外枠１１は必須の構成ではなく、遊技場の島設備に外枠１１が備え付けられた構成としてもよい。
【００１３】
遊技機主部１２は、外枠１１によって開閉可能な状態で支持されている。具体的には、外枠１１における上枠部と左枠部との連結部分に上側支持用金具１７が固定されており、さらに外枠１１における下枠部と左枠部との連結部分に下側支持用金具１８が設けられている。これら上側支持用金具１７及び下側支持用金具１８により支持機構が構成され、当該支持機構により外枠１１に対して遊技機主部１２がパチンコ機１０の正面視で左側を回動基端側、右側を回動先端側としてパチンコ機１０の前方へ回動可能とされている（図２及び図３参照）。
【００１４】
図２に示すように、遊技機主部１２は、ベース体としての内枠１３と、その内枠１３の前方に配置される前扉枠１４と、内枠１３の後方に配置される裏パックユニット１５とを備えている。なお、遊技機主部１２のうち内枠１３が外枠１１に対して回動可能に支持されている。詳細には、正面視で左側を回動基端側とし右側を回動先端側として内枠１３が前方へ回動可能とされている。
【００１５】
内枠１３には、前扉枠１４が回動可能に支持されており、正面視で左側を回動基端側とし右側を回動先端側として前方へ回動可能とされている。また、内枠１３には、裏パックユニット１５が回動可能に支持されており、正面視で左側を回動基端側とし右側を回動先端側として後方へ回動可能とされている（図３参照）。
【００１６】
＜前扉枠１４＞
次に、前扉枠１４について説明する。図２に示すように、前扉枠１４は、外形が外枠１１とほぼ同一形状をなす合成樹脂製の枠体２０を主体に構成されており、内枠１３における前面のほぼ全域を覆っている。枠体２０の中央部分には後述する遊技領域ＰＥのほぼ全域を前方から視認することができるようにした略楕円状の窓部２１が形成されており、その窓部２１はガラスユニット２２によって同前扉枠１４の背面側から塞がれている。
【００１７】
ガラスユニット２２は、透明性を有する複数のガラスパネル２３と、それらガラスパネル２３を保持するガラスホルダとを備えている。ガラスホルダには、ガラスパネル２３の保持領域を前後に仕切る仕切り部が形成されており、両ガラスパネル２３は仕切り部を挟んで前後に相対向している。つまり、両ガラスパネル２３の間に所定の隙間を確保することにより、ガラスパネル２３同士の干渉を回避しつつ、それらガラスパネル２３によって遊技領域ＰＥをパチンコ機１０の正面側から２重に覆った状態となっている。
【００１８】
なお、必ずしも両ガラスパネル２３をガラスホルダを用いてユニット化する必要は無く、各ガラスパネル２３を枠体２０に対して個々に取り付ける構成としてもよい。更には、ガラスパネルの枚数は任意であり、１枚としてもよいし、３枚以上としてもよい。但し、安全性及び防犯性向上の観点から、複数のガラスパネルを採用し、それら各ガラスパネルを所定の隙間を挟んで前後に対向させることが好ましい。因みに、ガラスパネルに代えて透明性を有する合成樹脂性のパネル部材を採用することも可能である。
【００１９】
図１に示すように、ガラスユニット２２（詳しくは窓部２１）の周囲には、各種ランプ等の発光手段が設けられている。例えば、窓部２１の周縁に沿ってＬＥＤ等の発光手段を内蔵した環状電飾部２６が設けられている。環状電飾部２６では、大当たり時や所定のリーチ時等における遊技状態の変化に応じて点灯や点滅が行われる。また、環状電飾部２６の中央であってパチンコ機１０の最上部には所定のエラー時に点灯するエラー表示ランプ部２７が設けられ、さらにその左右側方には賞球払出中に点灯する賞球ランプ部２８が設けられている。また、左右の賞球ランプ部２８に近接した位置には、遊技状態に応じた効果音などが出力されるスピーカ部２９が設けられている。
【００２０】
前扉枠１４（枠体２０）における窓部２１の下方には、手前側へ膨出した上側膨出部３１と下側膨出部３２とが上下に並設されている。上側膨出部３１内側には上方に開口した上皿３３が設けられており、下側膨出部３２内側には同じく上方に開口した下皿３４が設けられている。上皿３３は、後述する払出装置より払い出された遊技球を一旦貯留し、一列に整列させながら後述する遊技球発射機構側へ導くための機能を有する。また、下皿３４は、上皿３３内にて余剰となった遊技球を貯留する機能を有する。
【００２１】
下側膨出部３２の右方には、手前側へ突出するようにして遊技球発射ハンドル４１が設けられている。遊技球発射ハンドル４１が操作されることにより、後述する遊技球発射機構から遊技球が発射される。
【００２２】
前扉枠１４の背面には、図２に示すように、通路形成ユニット４５が取り付けられている。通路形成ユニット４５は、合成樹脂により成形されており、上皿３３に通じる前扉側上皿通路と下皿３４に通じる前扉側下皿通路とを有している。通路形成ユニット４５において、その上側隅部には後方に突出し上方に開放された受口部が形成されており、当該受口部を仕切壁によって左右に仕切ることで前扉側上皿通路の入口部分と前扉側下皿通路の入口部分とが区画形成されている。前扉側上皿通路に入った遊技球は上皿３３に導かれ、前扉側下皿通路に入った遊技球は下皿３４に導かれることとなる。
【００２３】
前扉枠１４の背面における回動基端側には、その上端部及び下端部に突起軸が設けられている。これら突起軸は内枠１３に対する組付機構を構成する。また、前扉枠１４の背面における回動先端側には、後方に延びる鉤金具４９が上下方向に複数並設されている。これら鉤金具４９は内枠１３に対する施錠機構を構成する。
【００２４】
＜内枠１３＞
次に、図２及び図３に基づき内枠１３について詳細に説明する。内枠１３は、外形が外枠１１と同様に略矩形状をなす内枠ベース５０を主体に構成されている。内枠ベース５０の高さ寸法は、外枠１１の高さ寸法よりも若干小さく設定されている。また、内枠ベース５０は外枠１１の上側枠部に寄せて配置され、外枠１１の下側枠部と内枠ベース５０との間には若干の隙間が形成されている。外枠１１にはこの隙間を塞ぐようにして幕板が装着されている。幕板は、内枠ベース５０（詳しくはその下端部）の下方に配置されており、内枠１３が外枠１１に対して閉じられた状態では内枠ベース５０が幕板の上に載ることとなる。
【００２５】
内枠ベース５０の前面における回動基端側には、その上端部及び下端部に支持金具５１，５２が取り付けられている。支持金具５１，５２には軸孔が形成されており、それら軸孔に前扉枠１４の突起軸が挿入されることにより、内枠１３に対して前扉枠１４が回動可能に支持されている。
【００２６】
内枠ベース５０の前面における回動先端側には、前扉枠１４の背面に設けられた鉤金具４９を挿入するための挿入孔がそれぞれ設けられている。本パチンコ機１０では、内枠１３や前扉枠１４を施錠状態とするための施錠装置５５が内枠１３の背面側に隠れて配置される構成となっている。したがって、鉤金具４９が挿入孔を介して施錠装置５５（詳しくは前扉用鉤受け部材）に係止されることによって、前扉枠１４が内枠１３に対して開放不能に施錠される。また、施錠装置５５は、内枠１３の後方へ延びる内枠用鉤部材５７を有している。これら内枠用鉤部材５７が外枠１１の鉤受け部材１９に引っ掛かることにより遊技機主部１２が外枠１１に対して閉じた状態で施錠される。
【００２７】
内枠ベース５０の右下隅部には、施錠装置５５の解錠操作を行うためのシリンダ錠５８が設置されている。シリンダ錠５８は施錠装置５５に一体化されており、シリンダ錠５８の鍵穴に差し込んだキーを右に回すと内枠１３に対する前扉枠１４の施錠が解除され、シリンダ錠５８の鍵穴に差し込んだキーを左に回すと外枠１１に対する内枠１３の施錠が解除されるように施錠装置５５が構成されている。
【００２８】
内枠ベース５０の中央部分には遊技盤ユニット６０を収容する遊技盤収容部５３が形成されている。遊技盤収容部５３は遊技盤ユニット６０の外形に合わせて遊技機後方に窪んだ凹部であり、遊技盤ユニット６０はこの遊技盤収容部５３に遊技機前方から嵌まった状態で手動式のロック機構によって固定されている。遊技盤収容部５３の底部には、略矩形状の窓孔５４が形成されており、この窓孔５４を通じて遊技盤ユニット６０の背面構成（後述する背面ブロック６０ｂ）が内枠１３の後方に突出している。なお、この窓孔５４については、内枠ベース５０に装着された遊技盤ユニット６０によってそのほぼ全域が遊技機前方から覆われた状態となっている。
【００２９】
＜遊技盤ユニット６０＞
遊技盤ユニット６０は、透明な合成樹脂材料からなる板材を主体として形成された遊技盤６０ａと、遊技盤６０ａの背面側に設けられ、後述する各種遊技部品（可変表示装置、制御装置、可動式の演出機構、発光可能な装飾部材等）がブロックベース１３６に搭載されてなる背面ブロック６０ｂとが一体化されてなり、背面ブロック６０ｂの前面部分が遊技盤６０ａを通じて視認可能となっている。
【００３０】
遊技盤６０ａの前面には遊技球が流下する上述した遊技領域ＰＥが形成されている。既に説明したように遊技領域ＰＥはガラスユニット２２（詳しくは後側のガラスパネル２３）によって覆われている。ガラスユニット２２は、後側のガラスパネル２３と遊技盤６０ａの前面との隙間が遊技球の直径よりも僅かに大きくなるように、すなわち遊技領域ＰＥを流下する遊技球が同遊技領域ＰＥの同一箇所にて前後に並ばないように配置されている。これにより、遊技領域ＰＥでの球詰まりを抑制している。なお、遊技盤６０ａ（詳しくは板体）は合成樹脂製に限定されるものではなく、木製とすることも可能である。
【００３１】
以下、図４、図５、図６に基づき遊技盤ユニット６０（特に遊技盤６０ａの遊技領域ＰＥに配された各種構成）について説明する。図４は遊技盤ユニット６０の正面図、図５は遊技盤ユニット６０を右前方から見た斜視図、図６は遊技盤ユニット６０を左前方から見た斜視図である。なお、図５、図６においては遊技盤６０ａを通じて視認可能となる構成についても２点差線によって表示し、実際に遊技盤ユニット６０を見た場合の概観に近い状態としている。
【００３２】
図４、図５、図６に示すように、遊技盤６０ａには、自身の厚さ方向（前後方向）に貫通する大小複数の開口が形成されている。各開口には、一般入賞口６１、可変入賞装置６４、作動口６２，６３、スルーゲート６５等がそれぞれ配設されている。一般入賞口６１、可変入賞装置６４及び作動口６２，６３に遊技球が入ると、それら遊技球が各入球部に対応して設けられた検知センサ（図示略）により検知され、その検知結果に基づいて所定数の賞球（遊技球の払い出し）等の特典が遊技者に付与される。その他に、遊技盤６０ａの最下部にはアウト口６８が設けられており、各種入球部等に入らなかった遊技球はアウト口６８を通って遊技領域ＰＥから排出される。以下の説明では、アウト口６８への遊技球の入球と明確に区別するために、一般入賞口６１、可変入賞装置６４、作動口６２，６３への遊技球の入球を「入賞」とも表現する。
【００３３】
また、遊技盤６０ａには、遊技球の流下経路を適宜分散，調整等するために多数の釘が植設されているとともに、風車等の各種部材（役物）が配設されている。これら釘や風車等の各種構成によって遊技球の流下経路が分化され、上述した一般入賞口６１等への入賞が適度な確率で発生するように調整されている。
【００３４】
遊技盤６０ａの中央には中央開口７２が形成されており、この中央開口７２を遊技盤６０ａの背面側から覆うようにして透明な開口カバー（図示略）が取り付けられている。この中央開口７２の背後には、背面ブロック６０ｂに属する可変表示ユニット６７等が位置しており、遊技機前方から当該中央開口７２（開口カバー）を通じて可変表示ユニット６７等を視認可能となっている。
【００３５】
ちなみに、遊技盤６０ａは、その透明な板材に重ねられた不透明なシート材を有している。このシート材は、透明な板材の前面側の板面に貼り付けられており、遊技盤６０ａの背面側への視線を遮ることになる。このため、背面ブロック６０ｂにおいて遊技機前方から視認できる範囲は、遊技盤６０ａの中央開口７２を通じて遊技機前方に露出する部分に限られることになる。
【００３６】
遊技盤６０ａにおいては、中央開口７２の周辺に作動口６２，６３やスルーゲート６５等が配設されている。作動口６２，６３は、可変表示ユニット６７の下方に配設された上作動口６２と、上作動口６２の直下に配設された下作動口６３とによって構成されており、特に下作動口（抽選契機入球部）６３には、開閉式の入球補助装置（入球補助手段）又は開閉部材（開閉手段）としての電動役物７１が設けられている。電動役物７１は、左右一対の可動片と同可動片を駆動させるソレノイド式の駆動部とを有してなり、下作動口６３への入球が可能又は容易となる開状態（補助状態）と、同入球が不可又は困難となる閉状態（非補助状態）とに切替可能となっている。
【００３７】
この下作動口６３よりも上流側（詳しくは可変表示ユニット６７の側方）には上記スルーゲート６５が配置されており、遊技球のスルーゲート６５の通過をトリガとした抽選にて当選となった場合には、電動役物７１が所定時間だけ閉状態から開状態に切り替えられることとなる。
【００３８】
なお、上作動口６２への入球が発生した場合には３個の遊技球の払出が実行され、下作動口６３への入球が発生した場合には４個の遊技球の払出が実行されるが、遊技球の払出個数は上記のものに限定されることはない。但し、上作動口６２に対する下作動口６３の有利性を高める上では、上作動口６２に係る払出個数よりも下作動口６３に係る払出個数を多く設定することが好ましい。
【００３９】
可変入賞装置（特別入球装置又は特別入球手段）６４には、遊技盤６０ａの背面側へと通じる大入賞口が形成されているとともに、当該大入賞口を開閉する開閉部材（開閉手段）としての開閉扉が設けられている。開閉扉は、遊技球の入球が可能又は容易となる開状態（補助状態）と、同入球が不可又は困難となる閉状態（非補助状態）とに切替可能となっている。また、同開閉扉は、遊技盤６０ａの背面側に設けられた可変入賞駆動部（詳しくはソレノイド）と連結されており、通常時においては開閉扉は閉状態のまま維持され、内部抽選において開閉実行モード（開閉実行状態）への移行に当選した場合に（大当たり：通常の遊技状態よりも遊技者に有利な特別遊技状態への移行に当選した場合に）開状態に切り替えられるようになっている。
【００４０】
ここで、開閉実行モードとは、大当たり当選となった場合に移行することとなるモードである。当該開閉実行モードにおける可変入賞装置６４の開放態様としては、例えば所定時間（例えば３０ｓｅｃ）の経過又は所定個数（例えば１０個）の入賞を１ラウンドとして、複数ラウンド（例えば１６ラウンド）を上限とした開閉扉の開放が繰り返されるように設定されている。
【００４１】
ここで、可変表示ユニット６７について補足説明する。可変表示ユニット６７は、作動口６２，６３への入賞をトリガとして図柄を可変表示（変動表示）する図柄表示装置７５を有している。図柄表示装置７５は、液晶ディスプレイを備えた液晶表示装置として構成されており、後述する表示制御装置１７０（図２３参照）によりその表示内容が制御される。図柄表示装置７５の表示画面７５ａにおいては、例えば上、中及び下に並べて図柄が表示され、これらの図柄が左右方向にスクロールされるようにして変動表示されるようになっている。そして、大当たりに当選した場合には、予め設定されている有効ライン上に所定の組み合わせの図柄が停止表示され、上記開閉実行モード（特別遊技状態又は大当たり）に移行することとなる。なお、図柄表示装置７５については必ずしも液晶表示装置である必要はなく、ドットマトリクスや７セグタイプの表示装置であってもよい。
【００４２】
遊技盤６０ａには、中央開口７２を囲むようにしてセンターフレーム７７が設けられている。センターフレーム７７は、遊技盤６０ａ（詳しくは板体）に対してその前面側から固定されており、このように固定された状態では遊技盤６０ａの前面から起立した状態となることで当該センターフレーム７７と上記ガラスユニット２２との間の隙間寸法が遊技球の直径寸法よりも小さくなるように構成されている。これにより、遊技領域ＰＥを流下する遊技球が図柄表示装置７５に衝突することが回避され、且つ遊技領域ＰＥを流下する遊技球の流下経路が可変表示ユニット６７（詳しくはセンターフレーム７７）を右側から迂回するルートと、左側から迂回するルートに大別されている。
【００４３】
センターフレーム７７の下部を構成している枠部の上面には、遊技球が左右に転動可能なステージ部が形成されている。センターフレーム７７の左右の左枠部に形成された流入口から流入した遊技球は、同じくセンターフレーム７７に形成されたワープ通路を通じてステージ部上に排出される。ステージ部については、当該ステージ部に到達した遊技球が上作動口６２へと比較的流入しやすくなるように構成されており、このステージ部上での遊技球の動きに対する遊技者の注目度向上に貢献している。
【００４４】
ここで、本実施の形態においては上述したように透明な開口カバーによって中央開口７２を覆っており、ステージ部上に到達した遊技球が背面ブロック６０ｂ（可変表示ユニット６７）側へ移動しないように規制されている。
【００４５】
作動口６２，６３は、中央開口７２（可変表示ユニット６７）寄りとなる位置に配置されている。作動口６２，６３への入賞をトリガとして特別遊技状態に移行し得るため、遊技者は作動口６２，６３に入賞するか否かに注目するとともに、特別遊技状態に移行するか否かを把握するため図柄表示装置７５に注目するものと考えられる。作動口６２，６３を可変表示ユニット６７寄りに設けたことは、遊技者が注目したい箇所を可変表示ユニット６７周辺に集中させるための工夫である。
【００４６】
遊技盤６０ａにおける右側の端部（後述する遊技盤ユニット６０の回動先端部）には後述する誘導レール１００とともに遊技領域ＰＥを区画形成する遊技領域区画部材９９が配設されている。遊技領域区画部材９９には、主表示ユニット８１や誘導レール１００に沿って飛翔した遊技球が衝突するストッパ部材が配設されている。ストッパ部材は誘導レール１００の先端付近に配置された緩衝部材であり、当該ストッパ部材に衝突した遊技球はその勢いが弱められた後、遊技領域ＰＥを流下することとなる。つまり、ストッパ部材には衝突した遊技球の勢いを弱める減勢機能が付与されている。
【００４７】
ここで、主表示ユニット８１について補足説明する。主表示ユニット８１は遊技領域区画部材９９に埋設されており、その一部がガラスユニット２２と対向するように配置されている。この対向している部分には、所定の絵柄等が表示される主表示部が設けられている。主表示ユニット８１については、後述する主制御装置に電気的に接続されており、主表示部の表示内容は当該主制御装置によって制御される構成となっている。
【００４８】
主表示部は、上作動口６２への入賞に基づいた抽選結果を表示する下作動口用表示部と、下作動口６３への入賞に基づいて行われた抽選結果を表示する右作動口用表示部とを有してなる。下作動口用表示部では、上作動口６２への入賞をトリガとして絵柄の変動表示が行われ、その変動表示の停止結果として、上作動口６２への入賞に基づいて行われた内部抽選の結果が明示される。上作動口６２への入賞に基づく内部抽選の結果が開閉実行モードへの移行に対応した当選結果であった場合には、下作動口用表示部にて変動表示が停止され、停止結果として所定の絵柄が表示された後に、上記開閉実行モードへ移行される。
【００４９】
下作動口用表示部では、下作動口６３への入賞をトリガとして絵柄の変動表示が行われ、その変動表示の停止結果として、下作動口６３への入賞に基づいて行われた内部抽選の結果が明示される。下作動口６３への入賞に基づく内部抽選の結果が大当たりに対応した当選結果であった場合には、右作動口用表示部にて変動表示が停止され、停止結果として所定の絵柄が表示された後に、その結果に応じて上記開閉実行モードへ移行される。
【００５０】
ここで、いずれかの作動口６２，６３への入賞に基づいて、対応する作動口用表示部にて変動表示が開始され、所定の停止結果を表示し上記変動表示が停止されるまでが遊技回の１回に相当する。但し、遊技回の１回は、上記の内容に限定されることはなく、例えば、単一の表示領域が設けられ、いずれの作動口６２，６３への入賞が発生したとしてもその単一の表示領域にて変動表示が行われる構成においては、当該単一の表示領域にて変動表示が開始され、所定の停止結果を表示した状態で上記変動表示が停止されるまでを遊技回の１回とすることも可能である。
【００５１】
また、主表示ユニット８１の主表示部には上記両表示部以外に、スルーゲート６５への入賞に基づいた抽選結果を表示するスルーゲート用表示部が併設されている。スルーゲート用表示部では、スルーゲート６５への入賞をトリガとして絵柄の変動表示が行われ、その変動表示の停止結果として、スルーゲート６５への入賞に基づいて行われた内部抽選の結果が明示される。スルーゲート６５への入賞に基づく内部抽選の結果が電役開放状態への移行に対応した当選結果であった場合には、スルーゲート用表示部にて所定の停止結果が表示されて変動表示が停止された後に、電役開放状態へ移行する。電役開放状態では、下作動口６３に設けられた上記電動役物７１が所定の態様で開放される。
【００５２】
更に、本実施の形態においては遊技球がスルーゲート６５を通過した回数は最大４回まで保留される構成が採用されているが、主表示ユニット８１の主表示部にはその保留個数を表示する保留数用表示部が設けられている。
【００５３】
以上詳述した主表示部については、前扉枠１４のガラスユニット２２を通じてパチンコ機１０前方から視認可能となっているとともに、これら各種表示部の前方を遊技球が移動することが回避されているため、その視認性が担保されている。
【００５４】
再び図２を用いて内枠１３の構成について説明すれば、内枠ベース５０において遊技盤６０ａの搭載領域の下方には、上記遊技球発射ハンドル４１の操作に基づいて遊技領域ＰＥへ向けて遊技球を発射する遊技球発射機構１１０が設けられている。遊技球発射機構１１０は、所定の発射待機位置に配置された遊技球を打ち出すソレノイド１１１と、同ソレノイド１１１によって打ち出された遊技球の発射方向を規定する発射レール１１２と、上記発射待機位置に遊技球を供給する球送装置１１３と、それら各種構成１１１〜１１３が装着されているベースプレート１１４とを主要な構成として備えており、同ベースプレート１１４が内枠ベース５０に固定されることで内枠ベース５０に対して一体化されている。
【００５５】
発射レール１１２は、遊技盤６０ａ側に向けて上り傾斜となるように、斜めに傾いた状態でベースプレート１１４に固定されている。発射レール１１２の下流側の端部（すなわち下端部）寄りとなる位置には、球送装置１１３から供給された遊技球を上述した発射待機位置に留める球ストッパが配されている。球ストッパよりも更に下流側となる位置に、上記ソレノイド１１１が配置されている。
【００５６】
ソレノイド１１１は、後述する電源・発射制御装置に対して電気的に接続されている。その電源・発射制御装置からの電気的な信号の出力に基づいてソレノイド１１１の出力軸が伸縮方向に往復動することにより、発射待機位置に置かれた遊技球が遊技盤６０ａ側、詳しくは遊技盤６０ａに装着された誘導レール１００に向けて打ち出される。
【００５７】
誘導レール１００は、遊技領域ＰＥを同遊技領域ＰＥの外形が略円形状となるように区画形成している。また、誘導レール１００は、遊技球の直径よりも若干大きな隙間を隔てて対峙するように配置された内レール１０１及び外レール１０２からなり、それら両レール１０１，１０２によって一条の誘導通路１０３が区画形成されている。誘導通路１０３は、発射レール１１２の先端側（斜め下方）に開放された入口部分と、遊技領域ＰＥの上部に位置する出口部分とを有している。ソレノイド１１１の動作に基づいて発射された遊技球は、発射レール１１２→誘導レール１００（入口部分→出口部分）の順に移動することにより遊技領域ＰＥに導かれる。遊技球発射ハンドル４１の操作量を調整することにより、遊技領域ＰＥにおいて可変表示ユニット６７の左側となる領域や同遊技領域ＰＥにおいて可変表示ユニット６７の右側となる領域への遊技球の打ち分けが可能となっている。
【００５８】
なお、遊技盤６０ａにおいて出口部分の先側、詳しくは内レール１０１の先端付近には、遊技領域ＰＥに到達した遊技球の同誘導通路１０３内への逆戻りを防止する逆戻り防止部材１０６が取り付けられており、先んじて遊技領域ＰＥに至った遊技球によって後続する遊技球の打ち出しが妨げられることを抑制している。
【００５９】
誘導レール１００（図４参照）及び発射レール１１２は、同誘導レール１００の入口部分と発射レール１１２の先端部分とが遊技盤６０ａの下端縁を挟んで斜めに対峙するように配置されている。つまり、それら両レール１００，１１２は、同誘導レール１００の入口部分と発射レール１１２の先端部分とが遊技盤６０ａの下端縁近傍にて左右にずれるようにして配置されている。これにより両レール１００，１１２を遊技盤６０ａの下端縁に近づけつつ、誘導レール１００の入口部分と発射レール１１２との間には所定間隔の隙間を形成している。
【００６０】
このようにして形成された隙間よりも下側にはファール球通路４６が配設されている。ファール球通路４６は前扉枠１４の通路形成ユニット４５に一体成形されている。仮に遊技球発射機構１１０から発射された遊技球が遊技領域ＰＥまで至らずファール球として誘導通路１０３内を逆戻りする場合には、それらファール球が上記隙間を介してファール球通路４６内に入ることとなる。ファール球通路４６は前扉側下皿通路に通じており、ファール球通路４６に入った遊技球は図１に示した下皿３４に排出される。これにより、ファール球と次に発射される遊技球との干渉が抑制される。
【００６１】
内枠ベース５０において発射レール１１２の左方（詳しくは前扉枠１４を支持している側）には内枠ベース５０を前後方向に貫通する貫通孔が形成されており、この貫通孔に通路形成部材１２１が配設されている。通路形成部材１２１は、内枠ベース５０に対してネジ止めされており、本体側上皿通路と本体側下皿通路とを有している。それら本体側上皿通路及び本体側下皿通路の上流側は、後述する遊技球分配部に通じている。また、通路形成部材１２１の下方には前扉枠１４に取り付けられた通路形成ユニット４５の受口部が入り込んでおり、本体側上皿通路の下方には前扉側上皿通路が配置され、本体側下皿通路の下方には前扉側上皿通路が配置されている。
【００６２】
内枠ベース５０において通路形成部材１２１の下方には、本体側上皿通路及び本体側下皿通路を開閉する開閉部材１２４が取り付けられている。開閉部材１２４はその下端に設けられた支軸により前後方向に回動可能に支持されており、さらに本体側上皿通路及び本体側下皿通路を閉鎖する前方位置に付勢する付勢部材が設けられている。従って、前扉枠１４を内枠１３に対して開いた状態では開閉部材１２４が図示の如く起き上がり、本体側上皿通路及び本体側下皿通路を閉鎖する。これにより、本体側上皿通路又は本体側下皿通路に遊技球が貯留されている状態で前扉枠１４を開放した場合、その貯留球がこぼれ落ちてしまうといった不都合が防止できる。これに対し、前扉枠１４を閉じた状態では、前扉枠１４の通路形成ユニット４５に設けられた受口部により付勢力に抗して開閉部材１２４が押し開けられる。この状態では、本体側上皿通路と前扉側上皿通路とが連通し、さらに本体側下皿通路と前扉側下皿通路とが連通している。
【００６３】
次に、図３に基づき内枠１３（内枠ベース５０及び遊技盤ユニット６０）の背面構成について説明する。
【００６４】
内枠ベース５０の背面における回動基端側には、軸受け金具１３２が上下に並設されている。軸受け金具１３２には、上下に離間させて軸受け部が形成されており、これら軸受け部により内枠１３に対して裏パックユニット１５が回動可能に取り付けられている。また、内枠ベース５０の背面には、裏パックユニット１５を閉じた状態で内枠ベース５０に固定するための固定レバーが複数設けられている。
【００６５】
既に説明したように、内枠ベース５０における遊技盤収容部５３の底部分には、内枠ベース５０の厚さ方向に貫通し同内枠ベース５０の背面側に開放された窓孔５４が形成されており、その窓孔５４が遊技盤収容部５３に収容された遊技盤ユニット６０によって内枠１３の正面側から覆われている。遊技盤ユニット６０（背面ブロック６０ｂ）の背面には制御装置等の各種構成が搭載されており、それら各種構成は窓孔５４を通じて内枠１３の背側に露出した状態となっている。ここで、遊技盤ユニット６０の背面の構成について説明する。
【００６６】
また、遊技盤６０ａの背面に取り付けられた背面ブロック６０ｂは、遊技盤６０ａ側に開放された略箱状のブロックベース１３６を有してなり、このブロックベース１３６が遊技盤６０ａの背面に固定されることで、遊技盤６０ａと背面ブロック６０ｂとが一体化されている。
【００６７】
ブロックベース１３６の前面側は、可動式の演出機構（例えば、後述する可動演出ユニット２３０）や発光可能な装飾部材等の配置領域となっており、その背面側はそれら各種構成を制御する制御装置や上記可変表示ユニット６７（図柄表示装置７５）の配置領域となっている。
【００６８】
より具体的には、ブロックベース１３６の一部が内枠ベース５０の背面側に突出しており、その突出した部分に対して上述した図柄表示装置７５と、その図柄表示装置７５を駆動するための表示制御装置１７０とが取り付けられている。これら図柄表示装置７５及び表示制御装置１７０は前後方向（内枠ベース５０の厚さ方向）に図柄表示装置が前側且つ表示制御装置１７０が後側となるように重ねて配置されている。さらに、ブロックベース１３６の背面部には、表示制御装置１７０の後方に位置するようにして報知・演出制御装置１４３が搭載されている。
【００６９】
報知・演出制御装置１４３は、後述する主制御装置からの指示に従い音声の出力やランプ表示、及び表示制御装置１７０の制御を司る報知・演出制御基板を具備しており、報知・演出制御基板が透明樹脂材料等よりなる基板ボックス１４５に収容されて構成されている。
【００７０】
報知・演出制御装置１４３の下方には、ブロックベース１３６を後方から覆うようにして主制御装置ユニット１６０が設けられている。主制御装置ユニット１６０は、遊技盤ユニット６０（詳しくは背面ブロック６０ｂ）の背面に固定された合成樹脂製の取付台１６１と、その取付台１６１に搭載された主制御装置１６２とを有している。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【００７１】
基板ボックス１６３は、略直方体形状のボックスベース（表ケース体）とこのボックスベースの開口部を覆うボックスカバー（裏ケース体）とを備えている。これらボックスベースとボックスカバーとは封印手段としての封印部によって開封不能に連結され、これにより基板ボックス１６３が封印されている。封印部は、基板ボックス１６３の長辺部に複数設けられ、そのうち少なくとも一つが用いられて封印処理が行われる。
【００７２】
封印部はボックスベースとボックスカバーとを開封不能に結合する構成であれば任意の構成が適用できるが、封印部を構成する長孔に係止爪を挿入することでボックスベースとボックスカバーとが開封不能に結合されるようになっている。封印部による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、複数の封印部のうち、少なくとも一つの長孔に係止爪を挿入することにより封印処理が行われる。そして、収容した主制御基板の不具合発生の際や主制御基板の検査の際など基板ボックス１６３を開封する場合には、係止爪が挿入された封印部と他の封印部との連結部分を切断する。これにより、基板ボックス１６３のボックスベースとボックスカバーとが分離され、内部の主制御基板を取り出すことができる。その後、再度封印処理する場合は他の封印部の長孔に係止爪を挿入する。基板ボックス１６３の開封を行った旨の履歴を当該基板ボックス１６３に残しておけば、基板ボックス１６３を見ることで不正な開封が行われた旨が容易に発見できる。
【００７３】
基板ボックス１６３の一方の短辺部には、その側方に突出するようにして複数の結合片が設けられている。これら結合片は、取付台１６１に形成された複数の被結合片と１対１で対応しており、結合片と被結合片とにより基板ボックス１６３と取付台１６１との間で封印処理が行われる。
【００７４】
ブロックベース１３６の前面部において遊技盤６０ａの背面下部と対向している部分には、前記一般入賞口６１，可変入賞装置６４、作動口６２，６３の遊技盤開口部に対応し且つ下流側で１カ所に集合する回収通路（図示略）が形成されている。これにより、一般入賞口６１等に入賞した遊技球は何れも回収通路を介して遊技盤ユニット６０の下方に集合する構成となっている。つまり、ブロックベース１３６には各種入賞口に入賞した遊技球を回収する機能が付与されている。
【００７５】
遊技盤ユニット６０の下方には後述する排出通路が配されており、回収通路によって遊技盤ユニット６０の下方に集合した遊技球は排出通路内に導出される。なお、アウト口６８についても同様に排出通路に通じており、何れの入賞口にも入賞しなかった遊技球はアウト口６８を介して排出通路内に導出される。
【００７６】
また、背面ブロック６０ｂを構成するブロックベース１３６には、上述した各入球部用の検知センサとして、上記一般入賞口６１に入賞した遊技球を検知する一般入賞口用検知センサと、可変入賞装置６４に入賞した遊技球を検知する可変入賞装置用検知センサと、作動口６２，６３に入った遊技球を検知する作動口用検知センサとが装着されており、それら各種検知センサによって入賞検知機構が構成されている。これら各種検知センサは主制御装置１６２に対して電気的に接続されており、各検知センサから検知情報（検知信号）が同主制御装置１６２に出力される構成となっている。
【００７７】
＜裏パックユニット１５＞
次に、図２及び図３に基づき裏パックユニット１５について説明する。
【００７８】
図２に示すように、内枠１３は裏パックユニット１５によって後方から覆われている。裏パックユニット１５は、裏パック２０１を備えており、当該裏パック２０１に対して、払出機構部２０２、排出通路盤及び制御装置集合ユニット２０４が取り付けられている。
【００７９】
裏パック２０１は透明性を有する合成樹脂により成形されており、図３に示すように払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも可変表示ユニット６７を囲むのに十分な大きさを有する。
【００８０】
ベース部２１１には、その右上部に外部端子板２１３が設けられている。外部端子板２１３には各種の出力端子が設けられており、これらの出力端子を通じて遊技ホール側の管理制御装置に対して各種信号が出力される。また、ベース部２１１にはパチンコ機１０後方からみて右端部に上下一対の掛止ピンが設けられており、掛止ピンを内枠１３に設けられた軸受け金具１３２（詳しくは軸受け部）に挿通させることで、裏パックユニット１５が内枠１３に対して回動可能に支持されている。また、ベース部２１１における回動先端部には、内枠１３に設けられた被締結孔に対して締結するための締結具が設けられており、当該締結具を被締結孔に嵌め込むことで内枠１３に対して裏パックユニット１５が固定されている。
【００８１】
ベース部２１１には、保護カバー部２１２を迂回するようにして払出機構部２０２が配設されている。払出機構部２０２には、裏パック２０１の最上部に配されているとともに上方に開口したタンク２２１が設けられており、遊技ホールの島設備から供給される遊技球がそのタンク２２１に逐次補給される。タンク２２１の下方には、下流側に向けて緩やかに傾斜するタンクレールが連結され、タンクレールの下流側には上下方向に延びるケースレールが連結されている。ケースレールの最下流部には払出装置２２２が設けられている。払出装置２２２より払い出された遊技球は、当該払出装置２２２の下流側に設けられた払出通路を通じて、裏パック２０１のベース部２１１に設けられた遊技球分配部に供給される。
【００８２】
遊技球分配部は、払出装置２２２より払い出された遊技球を上皿３３、下皿３４又は後述する排出通路の何れかに振り分けるための機能を有し、内側の開口部が上述した本体側上皿通路及び前扉側上皿通路を介して上皿３３に通じ、外側の開口部が本体側下皿通路及び前扉側下皿通路を介して下皿３４に通じるように形成されている。
【００８３】
図３に示すように、ベース部２１１の下端部には、当該下端部を前後に挟むようにして排出通路盤及び制御装置集合ユニット２０４が取り付けられている。排出通路盤２０３には、制御装置集合ユニット２０４と対向する面に後方に開放された排出通路が形成されており、当該排出通路の開放部は制御装置集合ユニット２０４によって塞がれている。排出通路は、遊技ホールの島設備等へ遊技球を排出するように形成されており、上述した回収通路等から排出通路に導出された遊技球は当該排出通路を通ることでパチンコ機１０外部に排出される。
【００８４】
制御装置集合ユニット２０４は、横長形状をなす取付台を有し、同取付台に払出制御装置１８１と電源・発射制御装置１９１とが搭載されている。これら払出制御装置１８１と電源・発射制御装置１９１とは、払出制御装置１８１がパチンコ機１０後方となるように前後に重ねて配置されている。
【００８５】
払出制御装置１８１においては基板ボックス内に払出装置２２２を制御する払出制御基板が収容されており、当該払出制御基板に設けられた状態復帰スイッチが基板ボックス外に突出している。例えば、払出装置２２２における球詰まり等、払出エラーの発生時において状態復帰スイッチが押されると、球詰まりの解消が図られるようになっている。
【００８６】
電源・発射制御装置１９１は、基板ボックス内に電源・発射制御基板が収容されており、当該基板により、各種制御装置等で要する所定の電源が生成されて出力され、さらに遊技者による遊技球発射ハンドル４１の操作に伴う遊技球の打ち出しの制御が行われる。また、電源・発射制御装置１９１にはＲＡＭ消去スイッチが設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチを押しながら電源を投入すると、ＲＡＭデータが初期化されるようになっている。
【００８７】
既に説明したように、本実施の形態においては、透明な遊技盤６０ａの背後に、可動式の各種演出装置（以下、可動演出装置という）や発光機能する装飾部材が搭載されてなる背面ブロック６０ｂを設け、遊技盤６０ａを通じてそれら演出装置等を視認可能としている。
【００８８】
特に、図５、図６（遊技盤ユニット６０の斜視図）において２点鎖線により表示しているように、背面ブロック６０ｂの一部は遊技領域ＰＥの背後に位置している。これにより、遊技球が流下する遊技領域ＰＥの背後を各種遊技演出用の実行領域として活用することが可能となっている。かかる構成によれば、従来周知の木製遊技盤が搭載された遊技機と比較して、遊技盤ユニット６０の見栄え向上や演出実行領域の広域化に貢献できる。
【００８９】
また、背面ブロック６０ｂを遊技盤６０ａの背後に設けることにより、可変表示ユニット６７と遊技盤６０ａとの間のスペースを可動演出装置の設置領域とすることが可能となっており、上述した従来周知の構成と比較して可動演出装置の大型化や動作の多様化を容易なものとしている。本実施の形態においては、かかる可動演出装置に関して特徴的な構成を有している。
【００９０】
遊技盤６０ａについては、主として遊技球の流下する領域（遊技領域ＰＥ）を形成する機能が付与されている。ここで、遊技にかかる各種装飾機能や演出機能の向上と遊技領域ＰＥの確保とを両立しようとした場合、前者を優先することで必然的に遊技領域ＰＥが圧迫される。この点、図５、図６に示すように、遊技盤６０ａの前面には遊技球の流下経路の確保や流入口等の確保にかかる必要最少限の構成を配置し、演出や装飾にかかる付加的な構成を背面ブロック６０ｂ側へ移設することにより、遊技領域ＰＥが圧迫されることを回避している。つまり、遊技盤６０ａ（詳しくは板体）の前面という限られた範囲内で、できるだけ広く遊技領域ＰＥを確保することが可能となっている。
【００９１】
既に説明したように、背面ブロック６０ｂは、可変表示ユニット６７等の各種演出装置や報知・演出制御装置１４３等の各種制御装置が搭載される台座として上記ブロックベース１３６を有している。
【００９２】
ブロックベース１３６は、遊技盤６０ａの背面に対向する平板状の対向部１３７と、対向部１３７から後方に膨出するベース膨出部１３８とが透明な合成樹脂材料によって一体成形されてなり、正面視における外形が遊技盤６０ａとほぼ同じ大きさ（詳しくは上下幅が若干ちいさい）となるように構成されている。
【００９３】
ベース膨出部１３８は、前方（遊技盤６０ａ側）に開放された箱状をなしており、その開口縁に沿って形成された取付用のフランジによって上記対向部１３７が構成されている。対向部１３７が遊技盤６０ａの背面に当接した状態で当該遊技盤６０ａにねじ止めされることにより、遊技盤６０ａと背面ブロック６０ｂとが１ユニット化されている（図３参照）。
【００９４】
ベース膨出部１３８の底部には、前後に貫通するようにして、すなわち上記遊技盤６０ａの中央開口７２と連通するようにして開放部が形成されている。上記可変表示ユニット６７はこの開放部を塞ぐようにしてベース膨出部１３８の背面部に取り付けられており、当該開放部を通じて図柄表示装置７５の表示画面７５ａが遊技機正面側に露出している。また報知・演出制御装置１４３及び表示制御装置１７０が後者が前側、前者が後側となるように可変表示ユニット６７（詳しくは図柄表示装置７５）に対して積層配置されており、更にその下方には、ベース膨出部１３８に対して主制御装置１６２が取り付けられている点に鑑みれば、膨出部の背面部については、見栄えに影響しない各種電気的構成を取り付ける取付部として機能している。
【００９５】
＜可動演出ユニット２３０＞
背面ブロック６０ｂは、演出効果を高めるために動作する可動演出ユニット２３０を有している。可動演出ユニット２３０は、ブロックベース１３６と遊技盤６０ａとの間に配置されており、遊技盤６０ａの背面側において中央開口７２及び表示画面７５ａの各周縁部に沿って延びている。この場合、可動演出ユニット２３０は、遊技機前方からでは遊技盤６０ａに遮られて視認しにくくなっているとともに、遊技機前方からの表示画面７５ａへの視線を遮らないようになっている。
【００９６】
可動演出ユニット２３０について図７、図８を参照しつつ説明する。図７は可動演出ユニット２３０の正面図、図８は可動演出ユニット２３０の分解斜視図である。
【００９７】
図７、図８に示すように、可動演出ユニット２３０は、略矩形枠状のユニット本体２３１と、ユニット本体２３１に取り付けられた第１装飾装置２３２及び第２装飾装置２３３とを有している。ユニット本体２３１は、上下方向に延びている一対の縦枠部２３１ａと、それら縦枠部２３１ａを連結している一対の横枠部２３１ｂとを有しており、一対の縦枠部２３１ａのうち一方に第１装飾装置２３２が取り付けられ、他方に第２装飾装置２３３が取り付けられている。例えば、遊技機前方から見て右側の縦枠部２３１ａに第１装飾装置２３２が取り付けられ、左側の縦枠部２３１ａに第２装飾装置２３３が取り付けられている。なお、第１装飾装置２３２がリンク装置に相当し、第２装飾装置２３３が演出装置に相当する。
【００９８】
ユニット本体２３１は、各縦枠部２３１ａ及び各横枠部２３１ｂにより囲まれた枠開口２３１ｃを有しており、第１装飾装置２３２と第２装飾装置２３３とは枠開口２３１ｃを挟んで配置されている。この場合、第１装飾装置２３２と第２装飾装置２３３とは、横並びの状態で互いに離間している。また、ユニット本体２３１は、遊技盤６０ａの背面側に隠れた状態で、ブロックベース１３６に固定されている。
【００９９】
＜第１装飾装置２３２＞
第１装飾装置２３２について図９〜図１１を参照しつつ説明する。図９は第１装飾装置２３２の分解斜視図、図１０は第１装飾装置２３２の概略正面図、図１１はリンク部２４２，２４３の動作について説明するための模式図である。なお、図１０においては、（ａ）に第１装飾装置２３２が退避状態にある場合を示し、（ｂ）に第１装飾装置２３２が演出状態にある場合を示す。また、図１０（ａ）においては移動演出部２４３ｂの図示を省略し、図１０（ｂ）においては移動演出部２４３ｂを仮想線で図示している。
【０１００】
図９に示すように、第１装飾装置２３２は、ユニット本体２３１に取り付けられている本体部２４１と、その本体部２４１に対して回動可能に設けられた第１リンク部２４２及び第２リンク部２４３とを有している。第１装飾装置２３２においては、固定リンクとしての本体部２４１に対して第１リンク部２４２と第２リンク部２４３とが互いに連動して回動するリンク機構が構築されており、第１装飾装置２３２はリンク機構を有するリンク装置に相当する。第１装飾装置２３２においては、本体部２４１の前面側に第１リンク部２４２が配置され、その第１リンク部２４２の更に前面側に第２リンク部２４３が配置されている。
【０１０１】
本体部２４１は、略長方形の板状に形成されており、その長辺が上下に延びる向きでユニット本体２３１の縦枠部２３１ａに沿って延びている。本体部２４１は、その厚み方向が遊技機前後方向となる向きで、縦枠部２３１ａの前面に取り付けられている。この場合、本体部２４１は、遊技盤６０ａの中央開口７２と前後に重ならず、遊技機前方から遊技盤６０ａにより覆い隠される位置に配置されている。
【０１０２】
第１リンク部２４２及び第２リンク部２４３は、本体部２４１の前面に沿って延びている。第１リンク部２４２は、第１軸部２４４を介して本体部２４１に接続されている。第１リンク部２４２は、長尺板状に形成されており、その厚み方向が本体部２４１の厚み方向となる向きで配置されている。
【０１０３】
第１軸部２４４は、本体部２４１及び第１リンク部２４２のそれぞれに固定された固定軸部である。本実施形態では、第１軸部２４４が、第１リンク部２４２から本体部２４１に向けて突出した凸部であり、本体部２４１に形成された凹部２４４ａに入り込んだ状態でその本体部２４１に固定されている。この場合、第１軸部２４４は、本体部２４１の上端部と第１リンク部２４２の一方の端部とを接続している。
【０１０４】
第２リンク部２４３は、第２軸部２４５を介して本体部２４１に接続され、且つ第３軸部２４６を介して第１リンク部２４２に接続されている。第２軸部２４５は、第２リンク部２４３に固定されている一方で、本体部２４１に対してはスライド移動が可能になっている。
【０１０５】
第２リンク部２４３は、第２軸部２４５及び第３軸部２４６が設けられたリンク部本体２４３ａと、リンク部本体２４３ａの前面側に設けられた移動演出部２４３ｂとを有している。リンク部本体２４３ａは、板状に形成され、本体部２４１の前面に沿って第２軸部２４５から第３軸部２４６を越えて延びており、第２軸部２４５及び第３軸部２４６を軸に本体部２４１及び第１リンク部２４２に対して回動することが可能になっている。移動演出部２４３ｂは、犬の顔を模した形状及び色を有し、リンク部本体２４３ａを遊技機前方から覆い隠す状態でそのリンク部本体２４３ａに取り付けられており、リンク部本体２４３ａの回動（リンク機構の動作）に伴って退避位置ＰＡ１（図６参照）と演出位置ＰＡ２（図４参照）とに移動する。退避位置ＰＡ１と演出位置ＰＡ２とは、第２軸部２４５の移動方向とは交差する方向に沿って並んでいることになる。
【０１０６】
第１装飾装置２３２は、移動演出部２４３ｂを退避位置ＰＡ１から演出位置ＰＡ２に移動させることで演出効果を高めることが可能であり、第１装飾装置２３２を演出装置と称することもできる。また、第１装飾装置２３２は、移動演出部２４３ｂが退避位置ＰＡ１に移動することで退避状態に移行することになり、移動演出部２４３ｂが演出位置ＰＡ２に移動することで演出状態に移行することになる。
【０１０７】
第２軸部２４５は、第２リンク部２４３のリンク部本体２４３ａに固定されている一方で、本体部２４１の板面に沿って移動可能になっている。第２リンク部２４３においては、第２軸部２４５がリンク部本体２４３ａの端部に固定されている。第１装飾装置２３２が退避状態にある場合、リンク部本体２４３ａは、第２軸部２４５側を下端として上方に向けて延びている。なお、第２軸部２４５は、リンク部本体２４３ａにおいて本体部２４１に向けて突出した部分の先端に取り付けられている。
【０１０８】
第３軸部２４６は、第１リンク部２４２及び第２リンク部２４３のそれぞれに固定され、これらリンク部２４２，２４３の回動に伴って移動する移動軸部になっている。本実施形態では、第３軸部２４６が、第２リンク部２４３のリンク部本体２４３ａから第１リンク部２４２に向けて突出した凸部であり、第１リンク部２４２に形成された凹部２４６ａに入り込んだ状態でその第１リンク部２４２に固定されている。また、第３軸部２４６は、第１リンク部２４２における第１軸部２４４とは反対側の端部に配置されている一方で、第２リンク部２４３の中間位置に配置されている。
【０１０９】
第１軸部２４４、第２軸部２４５及び第３軸部２４６の各軸線は、第１装飾装置２３２の厚み方向（本体部２４１、第１リンク部２４２及び第２リンク部２４３の重なり方向）に沿って延びている。この場合、第１リンク部２４２及び第２リンク部２４３は、軸部２４４〜２４６を軸に本体部２４１の板面に沿って回動することになる。
【０１１０】
第１装飾装置２３２においては、第２軸部２４５が本体部２４１に沿って上下方向にスライド移動することで、移動演出部２４３ｂが遊技機幅方向（左右方向）に移動可能になっている。第２軸部２４５は、第１軸部２４４よりも下方位置においてあらかじめ定められた所定範囲で移動可能になっており、移動演出部２４３ｂは、図１０（ａ）に示すように、第２軸部２４５がその移動範囲内において最下位置ＬＡ１にあることで退避位置ＰＡ１にあり、図１０（ｂ）に示すように、第２軸部２４５がその移動範囲内において最上位置ＨＡ１に移動することで演出位置ＰＡ２に移動することになる。
【０１１１】
移動演出部２４３ｂは、退避位置ＰＡ１にある場合に、遊技盤６０ａの背面側に隠れた状態になっており、遊技機前方からでは第２装飾装置２３３側の側面が視認できる程度になっている（図６参照）。また、この場合、第２リンク部２４３における移動演出部２４３ｂ以外の部分（例えばリンク部本体２４３ａ）及び第１リンク部２４２も遊技盤６０ａの背面側に隠れた状態になっており、移動演出部２４３ｂの側面以外は遊技機前方から視認できないようになっている。
【０１１２】
演出位置ＰＡ２は、退避位置ＰＡ１よりも第２装飾装置２３３側の位置であり、且つユニット本体２３１の一対の縦枠部２３１ａの中間位置になっている。移動演出部２４３ｂは、演出位置ＰＡ２にある場合に、表示画面７５ａの前方に露出した状態になり、遊技機前方から中央開口７２を通じてほぼ全体を視認できるようになる（図４参照）。その一方で、リンク部本体２４３ａ及び第１リンク部２４２は移動演出部２４３ｂの背面側に隠れた状態になっており、移動演出部２４３ｂ以外は遊技機前方から視認できないようになっている。
【０１１３】
第１装飾装置２３２においては、第２軸部２４５の移動範囲を構造的に制限することで、移動演出部２４３ｂの移動範囲を設定しており、それによって、移動演出部２４３ｂが退避位置ＰＡ１と演出位置ＰＡ２との間を移動可能になっている。
【０１１４】
図９に示すように、本体部２４１は、第２軸部２４５のスライド方向を案内する本体案内部２５１を有している。第２軸部２４５は、本体案内部２５１に係止された状態で、軸線の向きを保持したまま本体案内部２５１に沿って移動することが可能になっている。本体案内部２５１は、第１軸部２４４から下方に離間した位置と、本体部２４１の下端から上方に離間した位置との間において、本体部２４１の前面に沿って上下方向に直線状に延びている。
【０１１５】
第１軸部２４４は、本体案内部２５１の延長線上に配置されている。この場合、第２軸部２４５は、第１リンク部２４２及び第２リンク部２４３の回動に伴って、第２軸部２４５のスライド方向とは交差する方向（遊技機幅方向）に移動することになる。
【０１１６】
＜リンク部２４２，２４３の動き＞
図１０（ａ）に示すように、移動演出部２４３ｂが退避位置ＰＡ１にある場合、第３軸部２４６は、本体案内部２５１と前後に重なった位置（第２軸部２４５の移動軌跡上）に配置されている。この場合、図１１（ａ）に示すように、第２軸部２４５は、第１装飾装置２３２のリンク機構において下死点又はそれに近い位置にあり、この位置を最下位置ＬＡ１としている。本体案内部２５１は、最下位置ＬＡ１にある場合に第２軸部２４５が存在する位置よりも下方まで延びている。本実施形態では、第２軸部２４５が本体案内部２５１の下端部に達することで最下位置ＬＡ１に移動したことになる。
【０１１７】
そして、図１１（ｂ）に示すように、移動演出部２４３ｂが演出位置ＰＡ２に移動する場合、第１リンク部２４２及び第２リンク部２４３の回動に伴って、第３軸部２４６が中央開口７２側（第２装飾装置２３３側）に向けて移動するとともに、第２軸部２４５が上方（第１軸部２４４）に向けて移動する。
【０１１８】
図１０（ｂ）に示すように、移動演出部２４３ｂが演出位置ＰＡ２に移動した場合、第１軸部２４４よりも低い位置において、第２軸部２４５と第３軸部２４６とが横並びに配置されている。この場合、図１１（ｃ）に示すように、第２軸部２４５は、第３軸部２４６とほぼ同じ高さ位置又はそれよりも若干高い位置に配置されており、この位置を最上位置ＨＡ１と称している。また、この場合、第３軸部２４６は、第１装飾装置２３２のリンク機構において本体案内部２５１（第２軸部２４５の移動軌跡）から最も離間した位置にある。
【０１１９】
移動演出部２４３ｂが演出位置ＰＡ２にある場合、第２軸部２４５は、最上位置ＨＡ１よりも上方に移動することが規制されている。本体案内部２５１は、第２軸部２４５が最上位置ＨＡ１よりも上昇することを規制する上昇ストッパ２５２を有しており、移動演出部２４３ｂが演出位置ＰＡ２にある場合、第２軸部２４５は、上昇ストッパ２５２に下方から引っ掛かった状態になっている。
【０１２０】
第２軸部２４５が最上位置ＨＡ１にある場合、第１リンク部２４２において第１軸部２４４と第３軸部２４６とを結んだ第１直線Ｎ１に対して、第２リンク部２４３において第２軸部２４５と第３軸部２４６とを結んだ第２直線Ｎ２が交差している。これら第１直線Ｎ１と第２直線Ｎ２との交差部分において、第１軸部２４４と第２軸部２４５との間のリンク角度α１は、９０度よりも小さくなっている。なお、第２直線Ｎ２は、第１リンク部２４２の回動に伴って第３軸部２４６が移動軌跡として描く曲線の接線に直交していないことになる。また、リンク角度α１は、第１リンク部２４２と第２リンク部２４３との交差角度に相当する。
【０１２１】
ここで、移動演出部２４３ｂが退避位置ＰＡ１に移動する向き（本体部２４１と第１リンク部２４２との間の角度が小さくなる向き）で第１リンク部２４２に外力が加えられた場合、その外力は、第２軸部２４５にも上昇させる向きで加えられることになるが、第２軸部２４５の上昇は上昇ストッパ２５２により規制されるため、第２軸部２４５は最上位置ＨＡ１にて位置保持される。この場合、リンク角度α１が９０度よりも小さくなっているため、第２リンク部２４３に対して第２軸部２４５が下方に移動する向き（第１軸部２４４から遠ざかる向き）に外力が加えられない限り、リンク部２４２，２４３は回動せず、移動演出部２４３ｂも演出位置ＰＡ２にて位置保持されることになる。
【０１２２】
なお、移動演出部２４３ｂが演出位置ＰＡ２にある場合、第２リンク部２４３は、リンク角度α１が９０度以下になっていることで、中間アーム２６１が縮むことを規制する収縮規制状態になっている。また、リンク角度α１が９０度よりも大きくなっていることで、中間アーム２６１が縮むことを許可する収縮許可状態になっている。
【０１２３】
移動演出部２４３ｂは、退避位置ＰＡ１から演出位置ＰＡ２に向けて移動することで遊技盤６０ａの裏側から表示画面７５ａの前方に出現することになるが、第２軸部２４５が最上位置ＨＡ１を越えて第１軸部２４４側に移動した場合、その第２軸部２４５が第１軸部２４４に近付くにつれて移動演出部２４３ｂが再び遊技盤６０ａの裏側に隠れる向きで移動することになる。したがって、上昇ストッパ２５２は、移動演出部２４３ｂを表示画面７５ａの前方に露出した部分が最も大きい状態で保持するという機能を有していることになる。
【０１２４】
＜中間アーム２６１＞
図９の説明に戻り、第１装飾装置２３２は、第１リンク部２４２の中間部分を本体部２４１に連結する中間アーム２６１を有している。中間アーム２６１は、伸縮可能であり、伸縮することで第１リンク部２４２を本体部２４１に対して回動させることが可能になっている。中間アーム２６１は、移動演出部２４３ｂが退避位置ＰＡ１にある場合に縮み状態にあり、その縮み状態から伸びることで、移動演出部２４３ｂが演出位置ＰＡ２に移動する向き（演出向き）で第１リンク部２４２を回動させ、移動演出部２４３ｂが演出位置ＰＡ２に到達した場合に伸び状態になっている。また、伸び状態から縮むことで、移動演出部２４３ｂが退避位置ＰＡ１に移動する向き（退避向き）で第１リンク部２４２を回動させる。
【０１２５】
中間アーム２６１は、本体部２４１の前面側において第１リンク部２４２に横並びに配置されている。この場合、第１リンク部２４２と中間アーム２６１とは遊技機幅方向に横並びに配置されている。中間アーム２６１は、本体側軸部２６２を介して本体部２４１に接続され、且つリンク側軸部２６３を介して第１リンク部２４２に接続されている。本体側軸部２６２は、中間アーム２６１及び本体部２４１のそれぞれに固定されており、リンク側軸部２６３は、中間アーム２６１及び第１リンク部２４２のそれぞれに固定されている。
【０１２６】
中間アーム２６１は、本体部２４１の前面側に配置されている。本実施形態では、本体側軸部２６２が、中間アーム２６１から本体部２４１に向けて突出した凸部であり、本体部２４１に形成された凹部２６２ａに入り込んだ状態でその本体部２４１に固定されている。また、中間アーム２６１は、第１リンク部２４２とは本体部２４１の前面に沿って横並びに配置されている。第１リンク部２４２の側面には凹部が形成されており、その凹部に中間アーム２６１の端部が入り込んでいる。リンク側軸部２６３は、第１リンク部２４２の凹部内で中間アーム２６１を貫通した状態で、第１リンク部２４２に固定されている。
【０１２７】
リンク側軸部２６３は、第１リンク部２４２において、第１軸部２４４と第３軸部２４６との間という中間位置に配置されている。リンク側軸部２６３は、第１軸部２４４と第３軸部２４６との真ん中の位置よりも第３軸部２４６寄りに配置されており、リンク側軸部２６３と第３軸部２４６との離間距離が、リンク側軸部２６３と第１軸部２４４との離間距離よりも大きくなっている。
【０１２８】
図１０、図１１に示すように、本体側軸部２６２は、本体部２４１の幅方向において、移動演出部２４３ｂが退避位置ＰＡ１にある場合の第１リンク部２４２の位置よりも、演出位置ＰＡ２とは反対側（第２装飾装置２３３とは反対側）に配置されている。このため、中間アーム２６１が第１リンク部２４２に横並びに配置された構成であっても、第１リンク部２４２を本体側軸部２６２に接触しない状態で回動させることができる。つまり、中間アーム２６１が第１リンク部２４２の回動の支障になるということを回避できる。なお、本体側軸部２６２は、第２軸部２４５の移動軌跡（本体案内部２５１）を挟んで演出位置ＰＡ２とは反対側に配置されていることになる。
【０１２９】
また、本体側軸部２６２は、本体部２４１の上下方向において、第１軸部２４４よりも低い位置であって、第２軸部２４５の移動範囲（本体案内部２５１）よりも高い位置に配置されており、中間アーム２６１の伸縮に伴って第１リンク部２４２が回動する場合に、中間アーム２６１が第２軸部２４５の移動範囲内に侵入しないようになっている。このため、本体側軸部２６２が本体案内部２５１を挟んで演出位置ＰＡ２とは反対側に配置されている構成であっても、第２軸部２４５を中間アーム２６１に接触しない状態でスライド移動させることができる。つまり、中間アーム２６１が第２リンク部２４３の回動の支障になることを回避できる。
【０１３０】
図９に示すように、中間アーム２６１は、本体側軸部２６２を介して本体部２４１に接続された第１アーム部２６４と、リンク側軸部２６３を介して第１リンク部２４２に接続された第２アーム部２６５と、これらアーム部２６４，２６５を接続している中間軸部２６６とを有している。第１アーム部２６４と第２アーム部２６５とは、中間軸部２６６を軸として相対的に回動することが可能になっており、中間アーム２６１は、第１アーム部２６４と第２アーム部２６５とがそれらの交差角度が大きくなる向きで相対的に回動することで伸び、交差角度が小さくなる向きで相対的に回動することで縮む。
【０１３１】
中間軸部２６６の軸線は、第１装飾装置２３２の厚み方向に沿って延びており、中間軸部２６６は、中間アーム２６１の伸縮に伴って前記本体部２４１の板面に沿って移動する。第１アーム部２６４と第２アーム部２６５とは、中間軸部２６６の軸線方向に沿って並べて設けられている。第２アーム部２６５が第１アーム部２６４の第１リンク部２４２側に配置されており、第１アーム部２６４は第２アーム部２６５と本体部２４１との間に入り込んだ状態になっている。この場合、第１リンク部２４２に対しては、第１アーム部２６４及び第２アーム部２６５のそれぞれが本体部２４１の板面に沿って横並びに配置されている。
【０１３２】
本実施形態では、中間軸部２６６が、第１アーム部２６４から第２アーム部２６５に向けて突出した凸部であり、第２アーム部２６５には、中間軸部２６６が挿通されたアーム長孔２６５ａが形成されている。第２アーム部２６５を挟んで第１アーム部２６４の反対側には、第１アーム部２６４との間に第２アーム部２６５を回動可能な状態で挟み込んでいる挟み込み部材２６７が設けられており、その挟み込み部材２６７は、中間軸部２６６の先端にネジ等で固定されている。アーム長孔２６５ａは、第２アーム部２６５の長手方向（中間軸部２６６とリンク側軸部２６３との並び方向）に沿って延びており、その長手方向に沿った中間軸部２６６のスライド移動を可能にしている。この場合、中間軸部２６６は、その軸線の向きを保持したままスライド移動することになる。
【０１３３】
＜中間アーム２６１の動き＞
図１０（ａ）、図１１（ａ）に示すように、中間アーム２６１は、縮み状態にある場合（移動演出部２４３ｂが退避位置ＰＡ１にある場合）に折り畳まれた状態になっており、第１アーム部２６４と第２アーム部２６５とが折り重なって平行に延びている。この場合、第１アーム部２６４と第２アーム部２６５との交差角度はほぼ０度になっている。また、この場合、第１アーム部２６４及び第２アーム部２６５はいずれも遊技機幅方向に沿って延びている。ここで、第１アーム部２６４における本体側軸部２６２と中間軸部２６６との離間距離は、第２アーム部２６５におけるリンク側軸部２６３と中間軸部２６６との離間距離より小さくされており、中間アーム２６１が縮み状態にある場合は、本体側軸部２６２がリンク側軸部２６３と中間軸部２６６との間に入り込んだ状態になっている。
【０１３４】
中間アーム２６１が縮み状態から伸びていく場合、第１アーム部２６４及び第２アーム部２６５の回動に伴って、それら第１アーム部２６４と第２アーム部２６５との交差角度が大きくなっていく。この場合、中間軸部２６６は、本体側軸部２６２を挟んでリンク側軸部２６３とは反対側から、本体側軸部２６２とリンク側軸部２６３との間に向けて移動していくことになる。
【０１３５】
図１１（ｂ）に示すように、中間アーム２６１が縮み状態から伸び状態に移行する場合、第１アーム部２６４及び第２アーム部２６５は、それぞれの回動先端側（中間軸部２６６）が本体側軸部２６２の下方を通る向きで回動する。つまり、正回動する。この場合、中間軸部２６６は、本体側軸部２６２を挟んで第１軸部２４４とは反対側において、本体側軸部２６２と本体案内部２５１との間を通ることになる。
【０１３６】
図１０（ｂ）、図１１（ｃ）に示すように、中間アーム２６１は、伸び状態にある場合（移動演出部２４３ｂが演出位置ＰＡ２にある場合）に折り畳みが解消され、第１アーム部２６４と第２アーム部２６５とが直線状に延びた状態になっている。この場合、第１アーム部２６４と第２アーム部との間の角度はほぼ１８０度になっている。そして、中間アーム２６１が伸び状態から縮む場合も、第１アーム部２６４及び第２アーム部２６５は、中間軸部２６６が本体側軸部２６２の下方を通る向きで回動する。
【０１３７】
中間アーム２６１が伸縮すると、本体側軸部２６２の位置は変化しない一方で、リンク側軸部２６３は本体部２４１の幅方向に沿って移動することになる。中間アーム２６１が伸びた場合、リンク側軸部２６３は本体側軸部２６２から離れる向きで移動し、それに伴って、中間アーム２６１が第１リンク部２４２を側方に押し出すような状態になる。一方、中間アーム２６１が縮んだ場合、リンク側軸部２６３は本体側軸部２６２に近付く向きで移動し、それに伴って、中間アーム２６１が第１リンク部２４２を本体部２４１側に引き寄せるような状態になる。
【０１３８】
なお、中間アーム２６１は、第１装飾装置２３２の厚み方向において本体案内部２５１に重ならない領域で伸縮する。つまり、本体側軸部２６２に対して移動するリンク側軸部２６３及び中間軸部２６６の各移動軌跡が、第２軸部２４５のスライド移動に伴う移動軌跡と交わらないようになっている。このため、中間アーム２６１の伸縮と第２軸部２４５のスライド移動とが互いに干渉することが回避される。
【０１３９】
第１装飾装置２３２は、中間アーム２６１が縮み状態から伸び状態に移行する場合に、第１アーム部２６４及び第２アーム部２６５が逆向きに回動することを規制する逆回動ストッパ２６９（図９参照）を有している。逆回動ストッパ２６９は、本体部２４１から遊技機前方に向けて突出した凸部であり、本体側軸部２６２を挟んで第１リンク部２４２の反対側に配置されている。中間アーム２６１が縮み状態にある場合、第１アーム部２６４及び第２アーム部２６５の少なくとも一方が下方から逆回動ストッパ２６９に接触することで、中間軸部２６６が第１軸部２４４側に移動する向きでアーム部２６４，２６５が回動するということが規制される。
【０１４０】
図１１（ａ）に示すように、中間アーム２６１が縮み状態にある場合、本体側軸部２６２、リンク側軸部２６３及び中間軸部２６６は直線上に並んでおり、中間アーム２６１においてリンク側軸部２６３と中間軸部２６６とを結ぶアーム直線Ｎ３は、第１リンク部２４２の第１直線Ｎ１と交差している。アーム直線Ｎ３と第１直線Ｎ１との交差部分において、中間軸部２６６と第３軸部２４６との間のアーム角度α２は、ほぼ９０度になっている。
【０１４１】
この場合、中間アーム２６１が第１リンク部２４２に対してほぼ直交しており、アーム直線Ｎ３が、第１リンク部２４２の回動に伴ってリンク側軸部２６３が移動軌跡として描く曲線の接線にほぼ一致している。このため、移動演出部２４３ｂが演出位置ＰＡ２に移動する向きで第１リンク部２４２や第２リンク部２４３に外力が加えられても、アーム部２６４，２６５は、アーム角度α２が小さくなる向き（正回動の向き）には回動しにくい。つまり、中間アーム２６１が伸びにくくなっている。
【０１４２】
また、アーム角度α２が大きくなる向き（逆回動の向き）にリンク部２４２，２４３に外力が加えられることも想定される。この場合、アーム部２６４，２６５の逆回動は逆回動ストッパ２６９により阻止されているため、アーム部２６４，２６５が逆回動して中間アーム２６１が伸びるということも規制される。したがって、アーム部２６４，２６５の正回動及び逆回動のいずれもが規制され、その結果、中間アーム２６１が伸びて移動演出部２４３ｂが意図せずに演出位置ＰＡ２に移動するということを阻止できる。
【０１４３】
図１０（ｂ）に示すように、第２リンク部２４３は、第３軸部２４６から第１軸部２４４とは反対側に向けて突出した突出部分２７１を有している。突出部分２７１は、リンク部本体２４３ａ及び移動演出部２４３ｂのそれぞれを含んで構成されており、移動演出部２４３ｂが第２軸部２４５から第３軸部２４６を越えて延びている。このため、移動演出部２４３ｂが演出位置ＰＡ２に移動した場合に、例えば第２リンク部２４３が突出部分２７１を有していない構成に比べて、本体部２４１からの移動演出部２４３ｂの突出寸法が大きくなる。これにより、演出位置ＰＡ２に移動した移動演出部２４３ｂの存在感を高めることができる。
【０１４４】
移動演出部２４３ｂが退避位置ＰＡ１にある場合、突出部分２７１と本体部２４１との間の隙間に、第１リンク部２４２及び中間アーム２６１が入り込んだ状態になっている。ここで、中間アーム２６１は、第１リンク部２４２に対して本体部２４１の前面に沿って横並びに配置された状態で、リンク側軸部２６３を介して第１リンク部２４２に接続されているため、中間アーム２６１が第１リンク部２４２に接続されていることを理由として、第２リンク部２４３と本体部２４１との離間距離を大きくするという必要がなくなる。つまり、第１装飾装置２３２の厚み寸法を極力小さくできる。
【０１４５】
＜駆動部２８１，２８２＞
図９に示すように、第１装飾装置２３２は、第１リンク部２４２を回動させるために駆動する第１駆動部２８１と、第２リンク部２４３を回動させるために駆動する第２駆動部２８２とを有している。駆動部２８１，２８２は、回転軸部を有するステッピングモータ等のモータであり、この回転軸部が回転することでリンク部２４２，２４３を回動させることが可能になっている。駆動部２８１，２８２は、いずれも本体部２４１の背面側に突出した状態でその本体部２４１に取り付けられており、本体部２４１に沿って上下に並べて配置されている。この場合、第１駆動部２８１が第２駆動部２８２の上方に配置されている。なお、第１駆動部２８１を第１モータと称し、第２駆動部２８２を第２モータと称することもできる。また、第１駆動部２８１が伸縮駆動部に相当する。
【０１４６】
第１駆動部２８１と第２駆動部２８２とでは駆動に関する性能が異なっている。駆動トルクの定格値については、第１駆動部２８１の方が第２駆動部２８２よりも大きく、駆動速度（回転軸部の回転速度）の定格値については、第２駆動部２８２の方が第１駆動部２８１よりも大きくされている。この場合、第１駆動部２８１がトルク駆動部に相当し、第２駆動部２８２が速度駆動部に相当する。ここで、第１装飾装置２３２においては、第１リンク部２４２と第２リンク部２４３とが連動して回動するため、それらリンク部２４２，２４３を回動させるための負荷を第１駆動部２８１と第２駆動部２８２とが分担することになる。
【０１４７】
例えば、第１駆動部２８１と第２駆動部２８２とが同時に駆動開始した場合、第１駆動部２８１の方が定格トルクが大きいため、第１駆動部２８１の駆動力によるリンク部２４２，２４３の加速の方が、第２駆動部２８２の駆動力によるリンク部２４２，２４３の加速より大きくなる。この場合、リンク部２４２，２４３は第２駆動部２８２の駆動力により回動開始することになり、例えば第２駆動部２８２の駆動力だけでリンク部２４２，２４３が回動開始した場合に比べて、リンク部２４２，２４３の回動開始の加速度が大きくなる。
【０１４８】
また、第２駆動部２８２の方が定格速度が大きいため、駆動部２８１，２８２が駆動開始してから所定時間が経過すると、加速の遅かった第２駆動部２８２の駆動速度が第１駆動部２８１の駆動速度を追い越す。この場合、リンク部２４２，２４３は第１駆動部２８１の駆動力により回動することになり、例えば第１駆動部２８１の駆動力だけでリンク部２４２，２４３が回動している場合に比べて、リンク部２４２，２４３の最高速度が大きくなる。
【０１４９】
駆動部２８１，２８２は、正逆両方向に回転することが可能であり、それぞれの回転軸部を所定の演出角度だけ回転させることで、移動演出部２４３ｂが退避位置ＰＡ１と演出位置ＰＡ２との間を移動するのに必要な角度だけリンク部２４２，２４３を回動させることになる。この場合、第２駆動部２８２の演出角度（例えば２７０度）が、第１駆動部２８１の演出角度（例えば１２０度）よりも大きくなるように設定されている。これにより、第１駆動部２８１として、定格速度が小さくても定格トルクが大きければよいというトルク重視のモータを選定することができ、第２駆動部２８２として、定格トルクが小さくても定格速度が大きければよいという速度重視のモータを選定することができる。つまり、これら駆動部２８１，２８２について、定格トルク及び定格速度の両方が大きいモータを選定する必要がない。したがって、駆動部２８１，２８２として使用するモータについてコスト負担を低減できる。
【０１５０】
＜バネ部材２９１＞
第１装飾装置２３２は、移動演出部２４３ｂが演出位置ＰＡ２に移動する向きでリンク部２４２，２４３を付勢する付勢手段としてバネ部材２９１を有している。バネ部材２９１は、直線状に延びているコイルバネの一種であり、引っ張られた状態で縮む方向に付勢力を発揮する引張バネである。バネ部材２９１は、第１駆動部２８１や第２駆動部２８２によるリンク部２４２，２４３の回動を補助するものであり、バネ部材２９１の付勢力がリンク部２４２，２４３に加えられることで、例えば駆動部２８１，２８２の駆動力だけでリンク部２４２，２４３を回動させる場合に比べて、リンク部２４２，２４３の回動開始の加速度や最高速度が大きくなる。
【０１５１】
バネ部材２９１は、引っ張られた状態で第１リンク部２４２と本体部２４１とに接続されている。第１リンク部２４２は、バネ部材２９１の一端が引っ掛けられたリンク側引掛部２９２を有し、本体部２４１は、バネ部材２９１の他端が引っ掛けられた本体側引掛部２９３を有しており、バネ部材２９１は、リンク側引掛部２９２と本体側引掛部２９３とに掛け渡された状態で設けられている。リンク側引掛部２９２及び本体側引掛部２９３は、移動演出部２４３ｂが演出位置ＰＡ２に移動する向きで第１リンク部２４２が回動することで、それら引掛部２９２，２９３の離間距離が近付く位置に配置されている。
【０１５２】
バネ部材２９１の長さ寸法は、リンク側引掛部２９２と本体側引掛部２９３との離間距離よりも小さい。このため、バネ部材２９１は、移動演出部２４３ｂが演出位置ＰＡ２に移動するまで、リンク側引掛部２９２と本体側引掛部２９３とが近付く向き（移動演出部２４３ｂが演出位置ＰＡ２に移動する向き）で第１リンク部２４２に付勢力を継続して付与することになる。
【０１５３】
本体側引掛部２９３は、本体案内部２５１を挟んで移動演出部２４３ｂの出現方向（演出位置ＰＡ２）とは反対側に設けられており、本体部２４１の幅方向において本体案内部２５１に横並びに配置されている。この場合、本体側引掛部２９３は、逆回動ストッパ２６９や本体側軸部２６２の下方位置に配置されていることになる。本体側引掛部２９３は、本体部２４１から遊技機前方に向けて突出した凸部を有しており、バネ部材２９１の端部はその凸部に引っ掛けられた状態でネジ等により固定されている。この場合、バネ部材２９１は、本体側引掛部２９３の凸部を軸として本体部２４１の前面に沿って回動可能になっている。
【０１５４】
第１リンク部２４２は、第１軸部２４４から第３軸部２４６とは交差する方向（ほぼ直交する方向）において、演出位置ＰＡ２とは反対側に向けて膨出した膨出部２９４を有しており、その膨出部２９４がリンク側引掛部２９２を有している。リンク側引掛部２９２は、膨出部２９４から遊技機前方に向けて突出した凸部を有しており、バネ部材２９１の端部はその凸部に引っ掛けられた状態でネジ等により固定されている。この場合、バネ部材２９１は、リンク側引掛部２９２の凸部を軸として膨出部２９４の前面に沿って回動可能になっている。
【０１５５】
膨出部２９４は、第１リンク部２４２においてリンク側軸部２６３よりも第１軸部２４４側の部分が本体部２４１の前面に沿って膨出した状態になっており、膨出先端側に向けて徐々に膨出部２９４の幅寸法（上下寸法）が小さくなっている。リンク側引掛部２９２は膨出部２９４の先端に配置されており、膨出部２９４の膨出寸法は本体部２４１の幅寸法とほぼ同じになっている。つまり、第１軸部２４４とリンク側引掛部２９２との離間距離は、本体部２４１の幅寸法とほぼ同じになっている。
【０１５６】
バネ部材２９１は、逆回動ストッパ２６９を挟んで本体側軸部２６２や本体案内部２５１とは反対側において、本体部２４１の前面に沿って上下方向に延びた状態になっている。ここで、リンク側引掛部２９２の回動半径が、本体部２４１の幅寸法とほぼ同じという極力大きな寸法とされているため、第１リンク部２４２の回動に伴うリンク側引掛部２９２の移動方向がほぼ上下方向に限定されている。この場合、バネ部材２９１は、本体部２４１の幅方向において逆回動ストッパ２６９よりも本体側軸部２６２側にはみ出さずに伸縮することが可能になっており、それによって、中間アーム２６１の伸縮や第２軸部２４５のスライド移動と、バネ部材２９１の伸縮とが互いに干渉することが回避される。
【０１５７】
また、リンク側引掛部２９２の回動半径が極力大きくされていることは、バネ部材２９１の付勢力を第１リンク部２４２を回動させるための回動力として利用する構成において、その回動力を増大させることにもなる。ここで、第１軸部２４４を支点とし、リンク側引掛部２９２を力点とし、第３軸部２４６を作用点とした場合、支点と作用点との離間距離に対する支点と力点との離間距離に対する比が極力大きくされたことになるため、バネ部材２９１の付勢力によりリンク部２４２，２４３の回動開始の加速度や最高速度を極力大きくできる。
【０１５８】
＜伝達部３０１，３０２＞
第１装飾装置２３２は、第１駆動部２８１の駆動力を第１リンク部２４２に伝える第１伝達部３０１と、第２駆動部２８２の駆動力を第２リンク部２４３（第２軸部２４５）に伝える第２伝達部３０２とを有している。ここでは、第１伝達部３０１及び第２伝達部３０２について図１２を参照しつつ説明する。図１２は本体部２４１の分解斜視図である。なお、図１２は本体部２４１を前面側から見た図である。
【０１５９】
図１２に示すように、第１伝達部３０１及び第２伝達部３０２は、本体部２４１に搭載されている。本体部２４１は、その前面を形成する前面ケース体３１１と、その背面を形成する背面ケース体３１２とを有しており、これらケース体３１１，３１２の間に伝達部３０１，３０２が収納されている。前面ケース体３１１と背面ケース体３１２とは、それぞれの厚み方向（前後方向）に重ね合わされた状態でネジ等により互いに固定されている。ケース体３１１，３１２は、透明性を有する合成樹脂材料等により形成されており、それらケース体３１１，３１２の間に配置された伝達部３０１，３０２がケース体３１１，３１２を通じて視認可能になっている。この場合、本体部２４１においては、伝達部３０１，３０２を含めて内部構造が視認可能になっているため、本体部２４１のメンテナンス作業が容易になっている。
【０１６０】
＜第１伝達部３０１＞
第１伝達部３０１は、第１駆動部２８１の回転軸部に固定された第１歯車３２１と、中間アーム２６１の本体側軸部２６２に固定されたアーム側歯車３２２と、中間アーム２６１の状態を検出するための検出用歯車３２３とを有している。これら歯車３２１〜３２３は、それぞれの回転軸が本体部２４１の厚み方向に延びた向きで、本体部２４１の板面に沿って並べられている。第１歯車３２１は、第１駆動部２８１の回転軸部と共に回転する駆動歯車になっている。アーム側歯車３２２及び検出用歯車３２３は、それぞれの歯が第１歯車３２１の歯に噛み合う位置に配置されており、第１歯車３２１の回転に伴って回転する従動歯車になっている。
【０１６１】
第１駆動部２８１から第１伝達部３０１に伝えられた駆動力は、中間アーム２６１を介して第１リンク部２４２に伝えられる。第１伝達部３０１においては、第１駆動部２８１の駆動に伴って第１歯車３２１及びアーム側歯車３２２が連動して回転し、アーム側歯車３２２の回動に伴って本体側軸部２６２が回動することで中間アーム２６１が伸縮する。ちなみに、歯車３２１〜３２３は、第１リンク部２４２の回動に伴って中間アーム２６１が伸縮した場合に、その伸縮に伴って回転することにもなる。
【０１６２】
なお、第１駆動部２８１が、中間アーム２６１を伸縮させる伸縮駆動部に相当し、第１伝達部３０１が、第１駆動部２８１の駆動力を第２アーム部２６５に伝達するアーム伝達手段に相当する。また、第２伝達部３０２が、第２軸部２４５に駆動力を伝えて第２リンク部２４３を回動させることで中間アーム２６１を収縮規制状態から収縮許可状態に移行させるリンク伝達手段に相当する。
【０１６３】
上述したように、中間アーム２６１においては、第１アーム部２６４の中間軸部２６６が第２アーム部２６５のアーム長孔２６５ａに沿ってスライド移動が可能になっている。したがって、中間アーム２６１を伸ばす向きで第１駆動部２８１が駆動している場合、第１アーム部２６４の回動方向がアーム長孔２６５ａの長手方向に近付く又は一致すると、中間軸部２６６がリンク側軸部２６３に向けてスライド移動することになり、第１アーム部２６４が第１駆動部２８１の駆動力により回動しても中間アーム２６１がそれ以上伸びない状態になる。中間アーム２６１について、この状態を折れ状態という。中間アーム２６１は、第１駆動部２８１の回転軸部が所定の折れ角度（例えば９０度）に達した場合に、折れ状態に移行することになる。第１駆動部２８１においては、折れ角度が演出角度よりも小さくされている。
【０１６４】
なお、中間アーム２６１が縮み状態から伸びている最中は、第１アーム部２６４と第２アーム部２６５との交差角度が９０度に達した場合に、第１アーム部２６４の回動方向がアーム長孔２６５ａの長手方向に一致する。したがって、これらアーム部２６４，２６５の交差角度が９０度に近付いた場合に第２アーム部２６５に対する中間軸部２６６のスライド移動が可能となる。
【０１６５】
また、リンク側軸部２６３が中間軸部２６６に近付く向きで第２リンク部２４３に外力が加えられた場合、第２リンク部２４３がアーム長孔２６５ａの長手方向に沿ってスライド移動することが可能となる。この場合、第１アーム部２６４が回動していないにもかかわらず、中間アーム２６１が縮み、本体側軸部２６２とリンク側軸部２６３との離間距離が小さくなる。したがって、中間アーム２６１が伸び状態にある場合など、第１アーム部２６４と第２アーム部２６５との交差角度が９０度よりも小さい場合に、第１アーム部２６４を回動させなくても、リンク側軸部２６３が本体側軸部２６２に近付く向きで第１アーム部２６４を回動させることが可能になる。
【０１６６】
本体部２４１には、中間アーム２６１の状態を検出するアームセンサ３２５が設けられている。検出用歯車３２３は、アームセンサ３２５の検出対象となる被検出部（図示略）を有しており、アームセンサ３２５は、被検出部が所定位置にあることを検出することが可能になっている。アームセンサ３２５は、検出用歯車３２３の背面側に配置されており、被検出部は、検出用歯車３２３から背面側のアームセンサ３２５に向けて突出した凸部とされている。
【０１６７】
被検出部は、中間アーム２６１が縮み状態にある場合（移動演出部２４３ｂが退避位置ＰＡ１にある場合）にアームセンサ３２５により検出され、中間アーム２６１が縮み状態から伸びた場合（移動演出部２４３ｂが退避位置ＰＡ１から移動した場合）には検出されない。被検出部は、中間アーム２６１が縮み状態から伸び状態に移行するまでに、アームセンサ３２５により再び検出されることはない。ここでは、第１歯車３２１と検出用歯車３２３とのギア比が、中間アーム２６１が縮み状態から伸び状態に移行するまでに検出用歯車３２３が３６０度よりも小さい角度（例えば１２０度）だけ回転する大きさとされている。また、被検出部は、検出用歯車３２３の周縁部側に配置されており、検出用歯車３２３の回転に伴ってその検出用歯車３２３の周方向に沿って移動することになる。
【０１６８】
＜第２伝達部３０２＞
第２伝達部３０２は、第２駆動部２８２の回転軸部に固定された第２歯車３３１と、第２歯車３３１に連動して回転するピニオン歯車３３２と、ピニオン歯車３３２の回転運動に連動して直進運動を行うラック３３３とを有している。第２歯車３３１及びピニオン歯車３３２は、それぞれの回転軸が本体部２４１の厚み方向に延びた向きで、本体部２４１の板面に沿って並べられている。ラック３３３は、本体部２４１の板面に沿って延びている長尺状の板材であり、その長辺に沿って並べられた複数の歯を有している。
【０１６９】
第２歯車３３１は、第２駆動部２８２の回転軸部と共に回転する駆動歯車になっている。ピニオン歯車３３２は、その歯が第２歯車３３１及びラック３３３のそれぞれの歯に噛み合う位置に配置されており、第２歯車３３１の回転に伴って回転する従動歯車になっている。ラック３３３は、ピニオン歯車３３２の回転に伴って直線的に移動する従動ラックになっている。
【０１７０】
ラック３３３は、本体案内部２５１の長手方向に沿って延びる向きで配置されており、その本体案内部２５１に沿って移動する移動部材になっている。この場合、ラック３３３は、本体部２４１の前面ケース体３１１を挟んで本体案内部２５１の背面側に配置されている。本体部２４１は、ラック３３３の移動方向を案内する案内溝（図示略）を有しており、ラック３３３は、案内溝に入り込んだ状態で設けられている。案内溝は、本体部２４１の前面ケース体３１１に設けられており、その前面ケース体３１１の内側面（背面ケース体３１２側の面）が凹むことで形成されている。案内溝は、本体案内部２５１に沿って延びている。
【０１７１】
ラック３３３には、本体案内部２５１を介して第２軸部２４５が接続されており、ラック３３３がスライド移動することで第２軸部２４５が本体案内部２５１に沿って移動する。本体案内部２５１は、本体部２４１の前面ケース体３１１に形成された本体長孔２５１ａにより形成されており、第２軸部２４５は、この本体長孔２５１ａから離脱しない状態で前面ケース体３１１に取り付けられている。
【０１７２】
本体長孔２５１ａは、前面ケース体３１１を前後方向に貫通しており、第２軸部２４５は、本体長孔２５１ａに挿通され、且つ本体案内部２５１を前後から挟み込んだ状態で設けられている。この場合、第２軸部２４５は、前面ケース体３１１の前面に引っ掛かった状態で前方から本体長孔２５１ａに挿し込まれた前側軸片２４５ａと、前面ケース体３１１の裏面に引っ掛かった状態で後方から本体長孔２５１ａに挿し込まれた後側軸片２４５ｂとを有しており、これら前側軸片２４５ａと後側軸片２４５ｂとがネジ等により固定されている。
【０１７３】
第２軸部２４５の移動可能な範囲は、本体長孔２５１ａにより上下方向について制限されている。本体長孔２５１ａの内周面のうち、下方を向いている天井面２５１ｂは、下方から当接した第２軸部２４５が最上位置ＨＡ１よりも上方に移動することを規制するものであり、上昇ストッパ２５２はこの天井面２５１ｂである。上方を向いている底面２５１ｃは、上方から当接した第２軸部２４５が最下位置ＬＡ１よりも下方に移動することを規制する下降規制部である。なお、上述したように、第２軸部２４５は、最下位置ＬＡ１にある場合に下死点又はそれに近い位置にあるため、底面２５１ｃにより下降が規制されなくても最下位置ＬＡ１よりも下方には移動しないという場合も想定される。
【０１７４】
第２軸部２４５は、本体部２４１の内部においてラック３３３に引っ掛かった状態で、そのラック３３３と共に移動することが可能になっている。ラック３３３には、第２軸部２４５が前方から入り込んでいる引っ掛け孔３３５が形成されている。引っ掛け孔３３５は、ラック３３３の移動方向に沿って延びた長孔とされており、ラック３３３を前後方向に貫通している。第２軸部２４５において、引っ掛け孔３３５に入り込んでいる入り込み部（図示略）は、ラック３３３に向けて突出した凸部であり、この凸部は、後側軸片２４５ｂの一部により形成されている。
【０１７５】
引っ掛け孔３３５は、本体部２４１の幅方向において、本体案内部２５１（本体長孔２５１ａ）と前後に重なる位置に配置されている。引っ掛け孔３３５の幅寸法は、本体長孔２５１ａの幅寸法とほぼ同じにされている。引っ掛け孔３３５の長さ寸法は、本体長孔２５１ａの長さ寸法よりも小さい一方で、第２軸部２４５の入り込み部の上下寸法よりも大きくされている。このため、第２軸部２４５は、引っ掛け孔３３５内に入り込んだ状態でその引っ掛け孔３３５に対して相対的に上下に移動することが可能になっている。
【０１７６】
ラック３３３においては、引っ掛け孔３３５の内周面のうち、上下方向に延びている側面が第２軸部２４５の移動方向を上下方向に制限する制限手段になっている。また、引っ掛け孔３３５の内周面のうち、下方を向いている天井面３３５ａは、ラック３３３が下方に移動した場合に第２軸部２４５を下方に向けて押す下向き押し部であり、上方を向いている底面３３５ｂは、ラック３３３が上方に移動した場合に第２軸部２４５を上方に向けて押す上向き押し部である。
【０１７７】
第２軸部２４５が上方に移動した場合、移動演出部２４３ｂは演出位置ＰＡ２に向けて移動することになるため、底面３３５ｂは、移動演出部２４３ｂが演出位置ＰＡ２に移動する向きで第２軸部２４５を押す第１押し部に相当し、天井面３３５ａは、移動演出部２４３ｂが退避位置ＰＡ１に戻る向きで第２軸部２４５を押す第２押し部に相当する。天井面３３５ａと底面３３５ｂとは第２軸部２４５を挟んで対向しており、それら天井面３３５ａと底面３３５ｂとの離間距離は、第２軸部２４５の高さ寸法より大きくされている。このため、第２軸部２４５は、天井面３３５ａ及び底面３３５ｂの両方に同時に接触しているという状態にはならない。
【０１７８】
ラック３３３は、引っ掛け孔３３５の少なくとも一部が本体長孔２５１ａと前後に重なる範囲において移動可能になっている。ラック３３３が、その移動可能な範囲において最も高い位置である最上位置ＨＡ２にある場合（図１４（ｃ）参照）、引っ掛け孔３３５の底面３３５ｂと本体長孔２５１ａの天井面２５１ｂとの間に第２軸部２４５が挟まった状態になっている。この場合、ラック３３３が押し上げている第２軸部２４５が、本体長孔２５１ａの天井面２５１ｂに引っ掛かっていることで最上位置ＨＡ１にて位置保持されており、ラック３３３がその最上位置ＨＡ２よりも上方に移動することが第２軸部２４５により規制されている。
【０１７９】
ちなみに、ラック３３３は、第２軸部２４５に対して相対的にスライド移動することが可能であるため、例えば第２軸部２４５が最上位置ＨＡ１にある場合でも、ラック３３３の最上位置ＨＡ２から引っ掛け孔３３５の天井面３３５ａが第２軸部２４５に当接する位置まで、下方に移動することが可能になっている。
【０１８０】
一方、ラック３３３が、その移動可能な範囲において最も低い位置である最下位置ＬＡ２にある場合（図１３（ａ）参照）、引っ掛け孔３３５の底面３３５ｂが本体長孔２５１ａの底面２５１ｃとほぼ同じ高さ位置にある。この場合、引っ掛け孔３３５の底面３３５ｂの上に第２軸部２４５が載った状態になっており、第２軸部２４５が底面３３５ｂから上方に離間している場合とは異なり、ラック３３３が上方に向けて移動することで引っ掛け孔３３５の底面３３５ｂが即座に第２軸部２４５を押し上げることになる。また、この状態を、第２軸部２４５が引っ掛け孔３３５の底面３３５ｂを押し下げることでラック３３３が最下位置ＬＡ２に移動した状態ということもできる。
【０１８１】
本体部２４１には、ラック３３３が最下位置ＬＡ２にあることを検出するラックセンサ３３７が取り付けられている。ラック３３３は、ラックセンサ３３７の検出対象となる被検出部３３８を有しており、ラックセンサ３３７は、被検出部３３８が所定位置にあることを検出することでラック３３３が最下位置ＬＡ２にあることを検出する。ラックセンサ３３７は、ラック３３３の前面側に配置された状態で本体部２４１の前面ケース体３１１にネジ等で固定されており、被検出部３３８は、ラック３３３から被検出部３３８に向けて前方に突出した凸部とされている。
【０１８２】
被検出部３３８は、ラック３３３において引っ掛け孔３３５の下方に配置されており、ラック３３３が最下位置ＬＡ２にある場合にラックセンサ３３７により検出され、ラック３３３が最下位置ＬＡ２から上方に移動した場合には検出されない。被検出部３３８は、本体長孔２５１ａを通じて本体部２４１の前面側に突出しており、その突出部分がラックセンサ３３７により検出される部分になっている。本体部２４１の前面ケース体３１１には、本体長孔２５１ａから下方に向けて延びたスリットが形成されており、ラック３３３が最下位置ＬＡ２に向けて移動した場合、被検出部３３８は、本体長孔２５１ａの底面２５１ｃよりも下方位置にそのスリットを通じて移動することで、ラックセンサ３３７により検出される。
【０１８３】
なお、被検出部３３８は、ラック３３３の長手方向（上下方向）に沿って延びており、その上下方向において所定の長さ寸法を有している。この長さ寸法は、上下方向においてラックセンサ３３７の検出範囲の長さ寸法よりも大きくされている。この場合、ラックセンサ３３７は、ラック３３３が最下位置ＬＡ２にある場合はもちろんのこと、ラック３３３が最下位置ＬＡ２よりも若干高い位置にある場合でも、被検出部３３８を検出することができる。例えば、上下方向において被検出部３３８の長さ寸法が極めて小さい構成では、ラック３３３が最下位置ＬＡ２にあるにもかかわらず、被検出部３３８がラックセンサ３３７の検出範囲から外れた位置に存在していることでラックセンサ３３７が被検出部３３８を検出できないということが懸念される。
【０１８４】
＜第１装飾装置２３２の動作＞
次に、第１装飾装置２３２の動作態様について、図１０、図１３、図１４を参照しつつ説明する。図１３は、第１装飾装置２３２が退避状態から演出状態に移行する場合の動作図、図１４は、第１装飾装置２３２が演出状態から退避状態に移行する場合の動作図である。なお、図１３、図１４においては、第２軸部２４５の軸線の高さ位置を最上位置ＨＡ１又は最下位置ＬＡ１として示し、ラック３３３の下端の高さ位置を最上位置ＨＡ２又は最下位置ＬＡ２として示している。また、前面ケース体３１１の図示を省略して本体部２４１の内部構造の概略図を示し、伝達部３０１，３０２の歯車３２１〜３２３，３３１，３３２やラック３３３については歯の図示を省略している。さらに、図１３（ａ）〜（ｃ）、図１４（ａ），（ｂ）の拡大図においては、第２軸部２４５と引っ掛け孔３３５との位置関係を示し、図１４（ｃ）の拡大図においては、中間アーム２６１において中間軸部２６６とアーム長孔２６５ａとの位置関係を示している。
【０１８５】
＜移動演出部２４３ｂの出現＞
まず、第１装飾装置２３２において、移動演出部２４３ｂが退避位置ＰＡ１から演出位置ＰＡ２に向けて移動する場合について説明する。
【０１８６】
図１３（ａ）に示すように、第１装飾装置２３２が退避状態にある場合（移動演出部２４３ｂが退避位置ＰＡ１にある場合）、第２軸部２４５及びラック３３３は、それぞれ最下位置ＬＡ１，ＬＡ２にある。この場合、縮み状態にある中間アーム２６１が第１リンク部２４２及び第２リンク部２４３の回動を規制していることで、バネ部材２９１の付勢力によりリンク部２４２，２４３が回動するということが抑止されており、移動演出部２４３ｂが表示画面７５ａの前方に出現しないようになっている。
【０１８７】
第１装飾装置２３２は、第１駆動部２８１及び第２駆動部２８２の両方が移動演出部２４３ｂを演出位置ＰＡ２に移動させる向き（正回転）で駆動することで、演出状態に移行する。これら駆動部２８１，２８２が同時に駆動開始した場合、上述したように、第１駆動部２８１の加速度の方が第２駆動部２８２の加速度よりも大きくなる。このため、第１駆動部２８１の駆動開始に伴って中間アーム２６１が伸びてリンク部２４２，２４３を回動させる動作が、第２駆動部２８２の駆動開始に伴ってラック３３３が第２軸部２４５を押し上げてリンク部２４２，２４３を回動させる動作よりも早く行われる。
【０１８８】
駆動部２８１，２８２の駆動開始から所定期間は、第１駆動部２８１の駆動に伴う第２軸部２４５の上昇速度が、第２駆動部２８２の駆動に伴うラック３３３の上昇速度がよりも大きくなっており、図１３（ｂ）に示すように、第２軸部２４５がラック３３３の引っ掛け孔３３５の底面３３５ｂから上方に離間した状態になる。この場合、例えば、第２軸部２４５がラック３３３に対してスライド移動しない状態で固定されている構成とは異なり、第２駆動部２８２がラック３３３を持ち上げるという作業が行われていないことになる。つまり、第１駆動部２８１の駆動力が、第２伝達部３０２のラック３３３やピニオン歯車３３２、第２歯車３３１などを動作させることや、第２駆動部２８２の回転軸部を回転させることに利用されず、第１リンク部２４２を回動させることに効率良く使われていることになる。
【０１８９】
しかも、バネ部材２９１の付勢力が第１リンク部２４２に付与されているため、リンク部２４２，２４３は、第１駆動部２８１の駆動力により得られる回動速度よりも大きい速度で回動する。したがって、リンク部２４２，２４３が第１駆動部２８１の駆動力により回動している期間において、演出位置ＰＡ２に向けた移動演出部２４３ｂの移動の高速化を図ることができる。
【０１９０】
その後、第１駆動部２８１の駆動速度が最高速度に達すると、やがて、第２駆動部２８２の駆動に伴うラック３３３の上昇速度が、第１駆動部２８１の駆動に伴う第２軸部２４５の上昇速度よりも大きくなり、図１３（ｃ）に示すように、第２軸部２４５から遅れて上昇していたラック３３３が第２軸部２４５に追い付く。この場合、第２軸部２４５が引っ掛け孔３３５の天井面３３５ａに引っ掛かった状態でラック３３３を押し上げるため、第１駆動部２８１の駆動力による速度よりも大きい速度で、第２駆動部２８２の駆動力によりリンク部２４２，２４３が回動する。これにより、第１駆動部２８１の駆動力による移動演出部２４３ｂの移動速度よりも大きい速度で、移動演出部２４３ｂが演出位置ＰＡ２に移動する。
【０１９１】
駆動部２８１，２８２の駆動に加えて、バネ部材２９１の付勢力が第１リンク部２４２に付与されているため、リンク部２４２，２４３は、第２駆動部２８２の駆動力により得られる回動速度よりも大きい速度で回動する。これにより、移動演出部２４３ｂは、表示画面７５ａの前方に勢い良く出現することになる。
【０１９２】
また、第１駆動部２８１は、ラック３３３が第２軸部２４５に追い付いた場合に、駆動停止される。ここで、ラック３３３が第２軸部２４５を押し上げている状態では、第１駆動部２８１の回転軸部が、その第１駆動部２８１の定格速度よりも速い速度で回転することになり、第１駆動部２８１においては、低格速度を超過した回転速度を下げる向き（回転軸部の回転を阻止する向き）で起電力が生じてしまう。つまり、第１駆動部２８１が第２軸部２４５の上昇（リンク部２４２，２４３の回動）に対して抑止力を発揮する発電ブレーキのような働きをしてしまう。このため、第２駆動部２８２の駆動力が第１駆動部２８１の駆動速度に付与する状態になった時点で、第１駆動部２８１の駆動を停止することで、リンク部２４２，２４３の回動の更なる高速化を図ることができる。
【０１９３】
そして、図１４（ａ）に示すように、ラック３３３が最上位置ＨＡ２に到達した場合、そのラック３３３により押し上げられた第２軸部２４５も最上位置ＨＡ１に到達し、移動演出部２４３ｂが演出位置ＰＡ２に移動したことになる。この場合、第２軸部２４５が本体案内部２５１の上昇ストッパ２５２（本体長孔２５１ａの天井面２５１ｂ）に引っ掛かることで、リンク部２４２，２４３の回動が急停止する。つまり、移動演出部２４３ｂの移動が急停止する。移動演出部２４３ｂが演出位置ＰＡ２にある場合、ラック３３３の引っ掛け孔３３５の天井面３３５ａは第２軸部２４５から上方に離間している。
【０１９４】
駆動部２８１，２８２は、移動演出部２４３ｂが演出位置ＰＡ２に移動したことに伴って駆動停止する。駆動部２８１，２８２が駆動停止した場合、バネ部材２９１の付勢力により第１リンク部２４２と本体部２４１との間の角度が小さくなる向き（移動演出部２４３ｂが退避位置ＰＡ１に移動する向き）で第１リンク部２４２が回動することが懸念される。これに対して、上述したように、移動演出部２４３ｂが演出位置ＰＢ２にある場合においては、第１リンク部２４２と第２リンク部２４３との交差角度（リンク角度α１）が９０度より小さくなっていること、及び第２軸部２４５が上昇ストッパ２５２に引っ掛かっていることにより、バネ部材２９１の付勢力に抗して第１リンク部２４２の回動が阻止される。したがって、駆動部２８１，２８２が駆動停止した状態でも、移動演出部２４３ｂが演出位置ＰＡ２にて位置保持される。
【０１９５】
＜移動演出部２４３ｂの収納＞
次に、移動演出部２４３ｂが演出位置ＰＡ２から退避位置ＰＡ１に戻る場合について説明する。
【０１９６】
第１装飾装置２３２が退避状態に移行する場合、まず、駆動部２８１，２８２のうち第２駆動部２８２だけが、移動演出部２４３ｂが退避位置ＰＡ１に移動する向き（逆回転）で駆動する。この場合、第２駆動部２８２の駆動開始に伴ってラック３３３が下方に向けて移動する一方で、第１駆動部２８１が駆動開始しないことで第２軸部２４５は移動しない。このため、図１４（ｂ）に示すように、ラック３３３の引っ掛け孔３３５の天井面３３５ａが第２軸部２４５に上方から引っ掛かった状態になり、その状態のまま下方に移動するラック３３３が第２軸部２４５を引き下げることになる。この場合、移動演出部２４３ｂが退避位置ＰＡ１に移動する向きで、バネ部材２９１の付勢力に抗してリンク部２４２，２４３が回動することになる。
【０１９７】
第１駆動部２８１が駆動していない状態で第２軸部２４５が下方に移動すると、第１リンク部２４２の回動に伴って、中間アーム２６１が折り畳まれない状態でリンク側軸部２６３が中間軸部２６６に近付く向きに移動することになる（図１４（ｃ）参照）。この場合、中間アーム２６１は、第１アーム部２６４及び第２アーム部２６５が回動しなくても、中間軸部２６６がアーム長孔２６５ａに沿って相対的に移動することで、中間軸部２６６とリンク側軸部２６３との離間距離が小さくなって中間アーム２６１が縮むことになる。つまり、中間軸部２６６が第２アーム部２６５に対してスライド移動しない状態で固定されている構成とは異なり、第１リンク部２４２が本体側軸部２６２に近付く向きで回動することを中間アーム２６１が阻止することや、第１リンク部２４２の回動に伴って第１アーム部２６４が本体側軸部２６２を軸として回動することが回避される。
【０１９８】
特に、ラック３３３により第２軸部２４５が引き下げられても第１リンク部２４２が回動しなくても済むことで、第２駆動部２８２の駆動力が、第１リンク部２４２を回動させることや、第１伝達部３０１の歯車３２１〜３２３を回転させること、第１駆動部２８１の回転軸部を回転させることに利用されないため、第２駆動部２８２の駆動力を第１リンク部２４２及び第２リンク部２４３を回動させることに効率良く使うことになる。
【０１９９】
そして、図１４（ｃ）に示すように、第２駆動部２８２の駆動力により下降しているラック３３３が最下位置ＬＡ２に到達した場合、第２駆動部２８２が停止される一方で、第１駆動部２８１が駆動開始される。なお、ラックセンサ３３７によりラック３３３の被検出部３３８が検出されることで、ラック３３３が最下位置ＬＡ２に到達したことが検出される。また、ラック３３３が最下位置ＬＡ２に到達した場合の移動演出部２４３ｂの位置が切替位置に相当する。この場合、第２軸部２４５は、まだラック３３３の引っ掛け孔３３５の天井面３３５ａに引っ掛かった状態になっている。
【０２００】
第１駆動部２８１の駆動が開始された場合、その第１駆動部２８１の駆動開始に伴って第１アーム部２６４が回動することで、中間軸部２６６がアーム長孔２６５ａに沿ってリンク側軸部２６３から遠ざかる側に移動し、その中間軸部２６６がアーム長孔２６５ａの端部に引っ掛かることで中間アーム２６１の折り畳みが開始される。そして、中間アーム２６１の折り畳みに伴ってリンク部２４２，２４３が回動することで、第２軸部２４５がラック３３３の引っ掛け孔３３５内を下方に向けて移動し、中間アーム２６１が縮み状態に移行することで最下位置ＬＡ１に到達する。
【０２０１】
第１駆動部２８１は、中間アーム２６１が縮み状態に移行したことに伴って駆動停止する。なお、アームセンサ３２５により検出用歯車３２３の被検出部が検出されることで、中間アーム２６１が縮み状態に移行したことが検出される。
【０２０２】
第１駆動部２８１の駆動に伴って第２軸部２４５がラック３３３の引っ掛け孔３３５内を移動することは、第１駆動部２８１の駆動力が、第２伝達部３０２のラック３３３やピニオン歯車３３２、第２歯車３３１などを動作させることや、第２駆動部２８２の回転軸部を回転させることに利用されず、リンク部２４２，２４３を回動させることに効率よく使われていることになる。
【０２０３】
また、移動演出部２４３ｂを演出位置ＰＡ２から退避位置ＰＡ１に移動させる場合に、第２駆動部２８２と第１駆動部２８１とを同時に駆動させないことで、第１装飾装置２３２にて消費する電力のピーク値を低減できる。これにより、例えば第１装飾装置２３２が搭載されたパチンコ機１０が複数設置された遊技ホールにおいて、各パチンコ機１０の第１装飾装置２３２が同時に演出状態から退避状態に移行したとしても、遊技ホールでの消費電力のピーク値が過剰に大きくなるということを回避できる。
【０２０４】
＜移動演出部２４３ｂ＞
第２リンク部２４３の移動演出部２４３ｂは、退避位置ＰＡ１にある場合と演出位置ＰＡ２にある場合とで形状や大きさが異なっている。ここでは、移動演出部２４３ｂに関する構成について図１５を参照しつつ説明する。図１５は第２リンク部２４３の分解斜視図である。
【０２０５】
図１５に示すように、移動演出部２４３ｂは、この移動演出部２４３ｂの中間部分を形成する中間部材３４１と、上側部分を形成する上側部材３４２と、下側部分を形成する下側部材３４３とを有している。中間部材３４１は、リンク部本体２４３ａに対して移動しない状態で取り付けられており、上側部材３４２及び下側部材３４３は、中間部材３４１を挟んで互いに離間する向きに移動可能になっている。上側部材３４２は、犬の顔の目元を模した形状及び色を有し、中間部材３４１は、犬の首、鼻及び上顎を模した形状及び色を有し、下側部材３４３は、犬の顔の下顎を模した形状及び色を有している。
【０２０６】
なお、移動演出部２４３ｂが退避位置にある場合に、下側部材３４３は、中間部材３４１に対して演出位置ＰＡ２側に配置され、上側部材３４２は中間部材３４１に対して演出位置ＰＡ２とは反対側に配置されている。下側部材３４３の下面（演出位置ＰＡ２側の面）は、移動演出部２４３ｂが退避位置ＰＡ１にある場合に、遊技盤６０ａの中央開口７２の周縁部に沿って上下方向に延びており、中央開口７２を通じて遊技機前方から視認できる位置に配置されている。そこで、下側部材３４３の下面には、移動演出部２４３ｂが退避位置ＰＡ１にある場合でも視認されることで演出効果を高める補助表示部３４３ａが設けられている。補助表示部３４３ａには、「猛犬注意」などの文字が表示されており、移動演出部２４３ｂが退避位置ＰＡ１にある場合に中央開口７２を通じて遊技機前方から読み取れる位置に配置されている。
【０２０７】
移動演出部２４３ｂは、上側部材３４２及び下側部材３４３の下地としてリンク部本体２４３ａに取り付けられた上側下地３４５及び下側下地３４６とを有している。これら下地３４５，３４６は、いずれもリンク部本体２４３ａの前面側に配置されており、そのリンク部本体２４３ａに対して変位可能に取り付けられている。ここで、中間部材３４１は、リンク部本体２４３ａに対して変位しない状態でそのリンク部本体２４３ａに固定されている。この場合、下地３４５，３４６がリンク部本体２４３ａに対して相対的に変位することで、上側部材３４２及び下側部材３４３が中間部材３４１に対して相対的に変位することになる。
【０２０８】
移動演出部２４３ｂは、全体として縮小された縮小状態と、全体として縮小されていない非縮小状態とに移行可能になっている。上側部材３４２及び下側部材３４３は、互いに近付くことで移動演出部２４３ｂを縮小させた縮小位置Ｑ１ａ，Ｑ１ｂ（図１６（ａ）参照）と、互いに遠ざかることで移動演出部２４３ｂを拡張させた拡張位置Ｑ２ａ，Ｑ２ｂ（図１６（ｃ）参照）とにそれぞれ移動可能になっており、移動演出部２４３ｂは、これら上側部材３４２及び下側部材３４３がそれぞれ縮小位置Ｑ１ａ，Ｑ１ｂに移動することで縮小状態に移行し、拡張位置Ｑ２ａ，Ｑ２ｂに移動することで拡張状態に移行する。
【０２０９】
移動演出部２４３ｂは、拡張状態にある場合に全体として犬の顔を模した形状になっている。一方、縮小状態にある場合に、上側部材３４２及び下側部材３４３が中間部材３４１の内側に入り込んだ状態になることで、移動演出部２４３ｂの上下寸法が縮小され、犬の顔が上下に潰れたような状態になっている。
【０２１０】
第２リンク部２４３においては、上側下地３４５及び下側下地３４６が互いに近付く側に移動することで上側部材３４２及び下側部材３４３がそれぞれ縮小位置Ｑ１ａ，Ｑ１ｂに移動し、上側下地３４５及び下側下地３４６が互いに遠ざかる側に移動することで上側部材３４２及び下側部材３４３が拡張位置Ｑ２ａ，Ｑ２ｂに移動する。
【０２１１】
＜動作変換部３５５＞
第２リンク部２４３は、その第２リンク部２４３が第１リンク部２４２に対して相対的に回動することで上側下地３４５及び下側下地３４６を移動させるリンク機構を有しており、このリンク機構はリンク部本体２４３ａに搭載されている。リンク部本体２４３ａは、その前面を形成する前面ケース体３５１と、その背面を形成する背面ケース体３５２とを有しており、これらケース体３５１，３５２の間には、第１リンク部２４２に対する第２リンク部２４３の回動を上側下地３４５及び下側下地３４６の移動に変換する動作変換部３５５が収納されている。前面ケース体３５１と背面ケース体３５２とは、それぞれの厚み方向に重ね合わされた状態でネジ等により互いに固定されている。
【０２１２】
ケース体３５１，３５２は、透明性を有する合成樹脂材料等により形成されており、これらケース体３５１，３５２の間に配置された動作変換部３５５等がケース体３５１，３５２を通じて視認可能になっている。この場合、リンク部本体２４３ａにおいては、動作変換部３５５を含めて内部構造が視認可能になっているため、リンク部本体２４３ａのメンテナンス作業が容易になっている。
【０２１３】
動作変換部３５５は、第３軸部２４６に固定された第３歯車３６１と、上側部材３４２を支持する上側歯車３６２と、下側部材３４３を支持する下側歯車３６３とを有している。第３歯車３６１は、第３軸部２４６に対して相対的に回転する歯車ではなく、第３軸部２４６を介して第１リンク部２４２に固定されていることで、第１リンク部２４２に対して第２リンク部２４３が回動した場合に第２リンク部２４３に対して相対的に回転する歯車になっている。第３歯車３６１、上側歯車３６２及び下側歯車３６３の各軸線は、いずれも第３軸部２４６の軸線と平行にリンク部本体２４３ａと下地３４５，３４６との並び方向に沿って延びている。
【０２１４】
動作変換部３５５は、第３歯車３６１に噛み合う位置に設けられた補助歯車３６４を有している。動作変換部３５５においては、上側歯車３６２が複数（例えば２個）設けられており、補助歯車３６４は、複数の上側歯車３６２のうち１つの上側歯車３６２に噛み合う位置に配置されている。複数の上側歯車３６２は、リンク部本体２４３ａの幅方向（犬の顔の幅方向）に沿って、互いに噛み合う位置に並べられている。また、下側歯車３６３は、第３歯車３６１に直接噛み合う位置に配置されている。したがって、第２リンク部２４３に対して第３歯車３６１が相対的に回転した場合に、その第３歯車３６１の回転に伴って各上側歯車３６２及び下側歯車３６３がそれぞれ回転することになる。
【０２１５】
各上側歯車３６２は、上側部材３４２を支持する上側支持部３６２ａを有している。上側支持部３６２ａは、上側歯車３６２から前方に向けて棒状に延びており、前面ケース体３５１を貫通した状態で上側下地３４５に固定されている。上側支持部３６２ａは、上側歯車３６２の周縁部側に配置されており、上側歯車３６２の回転に伴ってその上側歯車３６２の周方向に沿って移動することになる。
【０２１６】
前面ケース体３５１には、上側支持部３６２ａが挿通された上側挿通孔３７１が形成されている。上側挿通孔３７１は上側歯車３６２ごとに個別に設けられている。上側挿通孔３７１は、上側歯車３６２の周縁部に沿って延びた湾曲形状の長孔とされており、上側支持部３６２ａは、上側歯車３６２の回転に伴って上側挿通孔３７１に沿ってスライド移動することが可能になっている。上側部材３４２を縮小位置Ｑ１ａと拡張位置Ｑ２ａとに移動させるために必要な上側歯車３６２の回動角度は、１８０度よりも小さくなっている。上側挿通孔３７１の両端部は、複数の上側歯車３６２の並び方向とは交差する方向（リンク部本体２４３ａの高さ方向）に沿って並べられている。
【０２１７】
上側下地３４５は、各上側歯車３６２の上側支持部３６２ａに掛け渡された状態になっており、その状態のままリンク部本体２４３ａの高さ方向に直線的に移動することが可能になっている。上側下地３４５には、ネジ等により上側支持部３６２ａに固定された上側軸部３７２が、リンク部本体２４３ａの幅方向に沿ってスライド移動可能な状態で取り付けられている。上側下地３４５には、リンク部本体２４３ａの幅方向に延びている上側交差孔３７３が形成されており、上側軸部３７２は、上側交差孔３７３に沿ってスライド移動する。この場合、上側歯車３６２の回転に伴って、上側支持部３６２ａが上側挿通孔３７１及び上側交差孔３７３の両方に沿って移動することで、上側下地３４５が上側挿通孔３７１に沿って曲線的に移動するのではなく、リンク部本体２４３ａの高さ方向に直線的に移動することになる。
【０２１８】
なお、上側交差孔３７３の長さ寸法は、上側挿通孔３７１の湾曲寸法（上側挿通孔３７１においてその両端部を結んだ直線に対する湾曲部分の突出寸法）と同じ又はそれよりも大きくされている。
【０２１９】
下側歯車３６３は、下側部材３４３を支持する下側支持部３６３ａを有している。下側支持部３６３ａは、下側歯車３６３から前方に向けて棒状に延びており、前面ケース体３５１を貫通した状態で下側下地３４６に固定されている。下側支持部３６３ａは、下側歯車３６３の周縁部側に配置されており、下側歯車３６３の回転に伴ってその下側歯車３６３の周方向に沿って移動することになる。
【０２２０】
前面ケース体３５１には、下側支持部３６３ａが挿通された下側挿通孔３７５が形成されている。下側挿通孔３７５は、下側歯車３６３の周縁部に沿って延びた湾曲上の長孔とされており、下側支持部３６３ａは、下側歯車３６３の回転に伴って下側挿通孔３７５に沿ってスライド移動することが可能になっている。下側部材３４３を縮小位置Ｑ１ｂと拡張位置Ｑ２ｂとに移動させるために必要な下側歯車３６３の回動角度は、１８０度よりも小さくなっている。下側挿通孔３７５の両端部は、上側挿通孔３７１の両端部と同様に、リンク部本体２４３ａの高さ方向に沿って並べられている。
【０２２１】
下側下地３４６は、リンク部本体２４３ａの高さ方向に直線的に移動することが可能になっている。下側下地３４６には、ネジ等により下側支持部３６３ａに固定された下側軸部３７６が、リンク部本体２４３ａの幅方向に沿ってスライド移動可能な状態で取り付けられている。下側下地３４６には、リンク部本体２４３ａの幅方向に延びている下側交差孔３７７が形成されており、下側軸部３７６は、下側交差孔３７７に沿ってスライド移動する。また、リンク部本体２４３ａには、下側下地３４６の移動方向を案内する下側レール部３７８が設けられており、その下側レール部３７８は、リンク部本体２４３ａの高さ方向に直線状に延びている。この場合、下側歯車３６３の回転に伴って、下側支持部３６３ａが下側挿通孔３７５及び下側交差孔３７７の両方に沿って移動することで、下側下地３４６が下側挿通孔３７５に沿って曲線的に移動するのではなく、下側レール部３７８に沿ってリンク部本体２４３ａの高さ方向に直線的に移動することになる。
【０２２２】
なお、下側交差孔３７７の長さ寸法は、下側挿通孔３７５の湾曲寸法と同じ又はそれよりも大きくされている。
【０２２３】
下側部材３４３は、下側下地３４６に対して相対的に揺れることが可能な状態になっている。下側部材３４３は、揺れ部材３８１を介して下側下地３４６に取り付けられている。揺れ部材３８１は、下側下地３４６の前面側に配置されており、揺れ軸部３８２を軸として下側下地３４６に対して回動可能になっている。
【０２２４】
下側下地３４６には、その下側下地３４６に対する揺れ部材３８１の回動角度（揺れ角度）を制限する角度制限部３８３が設けられている。角度制限部３８３は、下側下地３４６から揺れ部材３８１に向けて突出した凸部であり、揺れ部材３８１に形成された角度制限孔３８４に入り込んだ状態になっている。揺れ軸部３８２の周方向において、角度制限部３８３の長さ寸法は角度制限孔３８４の長さ寸法よりも若干小さくされており、角度制限部３８３が角度制限孔３８４に対して少しだけ移動することが可能になっている。この場合、角度制限部３８３の移動範囲が角度制限孔３８４により制限されることで、揺れ部材３８１が揺れ軸部３８２を軸として下側下地３４６に対して所定角度（例えば３度）だけ揺れることが可能になっている。
【０２２５】
揺れ軸部３８２は、リンク部本体２４３ａの幅方向において下側部材３４３の端部寄りの位置に配置されており、揺れ軸部３８２の軸線は下側下地３４６と揺れ部材３８１との並び方向に沿って延びている。この場合、下側部材３４３は一方の端部を軸として中間部材３４１に対して揺れることになる。
【０２２６】
下側部材３４３においては、揺れ軸部３８２側（回動基端側）の部分が犬の下顎の付け根側を模しており、揺れ軸部３８２とは反対側（回動先端側）の部分が犬の下顎の先端側を模している。この場合、下側部材３４３が下側下地３４６に対して揺れることで、犬が口の開閉を小さく繰り返している状態を模すことになる。
【０２２７】
下側下地３４６に対する下側部材３４３の揺れは、下側部材３４３が縮小位置Ｑ１ｂにある場合に規制され、下側部材３４３が拡張位置Ｑ２ｂにある場合に規制されない。リンク部本体２４３ａには、下側部材３４３が縮小位置Ｑ１ｂにある場合にその下側部材３４３に引っ掛かることで揺れを規制する揺れ規制部３８５が設けられている。揺れ規制部３８５は、リンク部本体２４３ａから下側部材３４３に向けて突出した凸部であり、下側部材３４３が縮小位置Ｑ１ｂにある場合にその下側部材３４３に対向し、且つ下側部材３４３が拡張位置Ｑ２ｂにある場合にその下側部材３４３に対向しない位置に配置されている。揺れ規制部３８５は、下側レール部３７８から下側下地３４６とは反対側に向けてリンク部本体２４３ａの前面に沿って延びている。
【０２２８】
＜移動演出部２４３ｂの変形＞
次に、移動演出部２４３ｂの変形について説明する。図１６は移動演出部２４３ｂの変形について説明するための図である。なお、図１６においては、リンク部本体２４３ａに対する上側下地３４５及び下側下地３４６の位置関係を明確にするために、移動演出部２４３ｂを仮想線（二点鎖線）で図示している。また、上側軸部３７２及び下側軸部３７６の高さ位置を上側部材３４２及び下側部材３４３の高さ位置として図示している。
【０２２９】
図１６（ａ）に示すように、移動演出部２４３ｂが退避位置ＰＡ１にある場合、上側部材３４２及び下側部材３４３はいずれも縮小位置Ｑ１ａ，Ｑ１ｂにある。ここで、中間部材３４１とリンク部本体２４３ａとの間には隙間が形成されており、縮小位置Ｑ１ａ，Ｑ１ｂにある上側部材３４２及び下側部材３４３は、その隙間（中間部材３４１の背面側）に入り込んだ状態になっている。この場合、移動演出部２４３ｂの幅寸法（犬の顔の高さ寸法）は、本体部２４１の幅寸法とほぼ同じになっており、移動演出部２４３ｂが退避位置ＰＡ１にある場合に表示画面７５ａの前方にはみ出さないようになっている。
【０２３０】
移動演出部２４３ｂが演出位置ＰＡ２に移動する向きでリンク部２４２，２４３が回動した場合、第３歯車３６１が第１リンク部２４２と共に第２リンク部２４３に対して相対的に回転する。この場合、図１６（ｂ）に示すように、第３歯車３６１の回転に伴って上側支持部３６２ａ（上側軸部３７２）が上側挿通孔３７１及び上側交差孔３７３に沿って移動することで、上側部材３４２が中間部材３４１から離れる向きで移動する。また、第３歯車３６１の回転に伴って下側支持部３６３ａ（下側軸部３７６）が下側挿通孔３７５及び下側交差孔３７７に沿って移動することで、下側部材３４３が中間部材３４１から離れる向きで移動する。移動演出部２４３ｂが演出位置ＰＡ２に近付くほど上側部材３４２及び下側部材３４３の移動距離が大きくなり、移動演出部２４３ｂ全体として犬の顔が上下に拡張されていくことになる。
【０２３１】
そして、図１６（ｃ）に示すように、移動演出部２４３ｂが演出位置ＰＡ２に到達した場合、上側部材３４２及び下側部材３４３がそれぞれ拡張位置Ｑ２ａ，Ｑ２ｂに移動することで、移動演出部２４３ｂが全体として犬の顔を模した状態になる。この場合、移動演出部２４３ｂの高さ寸法は、移動演出部２４３ｂが退避位置ＰＡ１にある場合の高さ寸法（本体部２４１の幅寸法）よりも大きくなっている。ここで、移動演出部２４３ｂが表示画面７５ａの前方に勢い良く出現した場合、その移動演出部２４３ｂが大きいほど遊技者が驚きやすくなる。したがって、本実施形態のように、移動演出部２４３ｂが演出位置ＰＡ２への移動に伴って拡張状態に移行する構成は、移動演出部２４３ｂが縮小状態のまま演出位置ＰＡ２に移動する構成に比べて、移動演出部２４３ｂの出現に伴う演出効果を高めることができる。
【０２３２】
また、移動演出部２４３ｂは、退避位置ＰＡ１から演出位置ＰＡ２に向けて高速で移動し、演出位置ＰＡ２にて急停止する。この場合、第２リンク部２４３の一部として第３軸部２４６を軸として回動していた下側部材３４３も急停止することになるため、下側部材３４３は、急停止の衝撃により揺れ軸部３８２を軸として最大の揺れ幅で揺れることになる。つまり、犬の口が小刻みに開閉することになる。このように、移動演出部２４３ｂが演出位置ＰＡ２で停止した後も、その移動演出部２４３ｂの形状を変化させることで移動演出部２４３ｂによる演出効果を高めることができる。なお、移動演出部２４３ｂの出現速度が高速であるほど、移動演出部２４３ｂの急停止に伴って下側部材３４３に加えられる衝撃が大きくなり、下側部材３４３が激しく揺れて演出効果が高められることになる。
【０２３３】
移動演出部２４３ｂが演出位置ＰＡ２に移動した後、退避位置ＰＡ１に戻る場合、移動演出部２４３ｂが退避位置ＰＡ１に近付くにつれて上側部材３４２及び下側部材３４３が縮小位置Ｑ１ａ，Ｑ１ｂに近付き、移動演出部２４３ｂは退避位置ＰＡ１への到達に伴って縮小状態に移行する。移動演出部２４３ｂは、退避位置ＰＡ１にある場合の高さ寸法（犬の顔の高さ寸法）が演出位置ＰＡ２にある場合の高さ寸法よりも小さくなることで、中央開口７２側にはみ出さない状態で遊技盤６０ａの背面側に収納される。このため、移動演出部２４３ｂが拡張状態のまま退避位置ＰＡ１に移動する構成に比べて、遊技盤６０ａの背面側において移動演出部２４３ｂを収納するための収納スペースが小さくて済む。つまり、移動演出部２４３ｂが変形することで、演出効果の向上及び移動演出部２４３ｂの収納スペースの縮小化の両方を実現することができる。
【０２３４】
さらに、第１リンク部２４２に対する第２リンク部２４３の相対的な回動を利用して、移動演出部２４３ｂの変形（上側部材３４２及び下側部材３４３の移動）が行われるため、移動演出部２４３ｂを変形させるために専用の駆動部を用いるという必要がない。これにより、移動演出部２４３ｂが変形する構成において省エネ化を図ることができる。
【０２３５】
＜第１装飾装置２３２の電気配線＞
第１装飾装置２３２は、複数の発光部（図示略）を有している。第１装飾装置２３２においては、発光部が移動演出部２４３ｂの移動に合わせて発光することで演出効果が高められている。発光部は、ＬＥＤ等の発光体と、その発光体が複数搭載された発光基板とを有しており、第２リンク部２４３に設けられている。第２リンク部２４３においては、上側部材３４２や下側部材３４３、中間部材３４１の一部が光透過性を有する部材により光透過部として形成されており、発光部は光透過部の背面側に配置されている。発光部が発光することで、例えば、犬の口の内部や、犬の目、補助表示部３４３ａが光った状態になる。
【０２３６】
発光部には電気配線が接続されており、その電気配線を通じて電源・発射制御装置１９１から発光基板に電力が供給される。電気配線は、リンク部２４２，２４３の回動や移動演出部２４３ｂの変形の支障にならない状態で、リンク部２４２，２４３の内部に敷設されている。第１軸部２４４及び第３軸部２４６においては、それぞれの軸線に重なる位置に配線通し孔が形成されており、電気配線は、本体部２４１の背面側から第１軸部２４４の配線通し孔を通じて第１リンク部２４２の内部に入り込み、第３軸部２４６の配線通し孔を通じて第２リンク部２４３の内部に入り込んだ状態になっている。第２リンク部２４３においては、リンク部本体２４３ａと移動演出部２４３ｂとの間に、電気配線を敷設可能な配線スペースが形成されている。
【０２３７】
＜第２装飾装置２３３＞
第２装飾装置２３３について図１７〜図１９を参照しつつ説明する。図１７は第２装飾装置２３３の分解斜視図、図１８は第２装飾装置２３３の概略正面図、図１９は第２リンク部４０３の分解斜視図、である。なお、図１８においては、（ａ）に第２装飾装置２３３が退避状態にある場合を示し、（ｂ）に第２装飾装置２３３が退避状態と演出状態との間の状態にある場合を示し、（ｃ）に第２装飾装置２３３が演出状態にある場合を示し、（ａ）〜（ｃ）のいずれにおいても回転演出部４０３ｂを仮想線で図示する。また、第２軸部４０５の軸線の高さ位置を最上位置ＨＢ１又は最下位置ＬＢ１として示し、ラック４９３の下端の高さ位置を最上位置ＨＢ２又は最下位置ＬＢ２として示す。さらに、（ａ）〜（ｃ）の各拡大図においては、第２軸部４０５と引っ掛け孔４９５との位置関係を示す。
【０２３８】
図１７に示すように、第２装飾装置２３３は、第１装飾装置２３２と同様にリンク機構を有している。第２装飾装置２３３は、ユニット本体２３１に取り付けられている本体部４０１と、その本体部４０１に対して回動可能に設けられた第１リンク部４０２及び第２リンク部４０３とを有している。第２装飾装置２３３のリンク機構においては、固定リンクとしての本体部４０１に対して第１リンク部４０２と第２リンク部４０３とが互いに連動して回動する。第２装飾装置２３３は、リンク部４０２，４０３を回動させることで演出効果を高める演出装置に相当する。第２装飾装置２３３においては、本体部４０１の前面側に第１リンク部４０２が配置され、その第１リンク部４０２の更に前面側に第２リンク部４０３が配置されている。
【０２３９】
本体部４０１は、略長方形の板状に形成されており、その長辺が上下に延びる向きでユニット本体２３１の縦枠部２３１ａに沿って延びている。本体部４０１は、その厚み方向が遊技機前後方向となる向きで、縦枠部２３１ａの前面に取り付けられている。この場合、本体部４０１は、遊技盤６０ａの中央開口７２と前後に重ならず、遊技機前方から遊技盤６０ａにより覆い隠される位置に配置されている。なお、本体部４０１は、ユニット本体２３１の一対の縦枠部２３１ａのうち、第１装飾装置２３２の本体部２４１とは異なる縦枠部２３１ａに取り付けられている。また、上下方向において、本体部４０１の長さ寸法は、第１装飾装置２３２の本体部２４１の長さ寸法より大きくされている。
【０２４０】
第１リンク部４０２及び第２リンク部４０３は、本体部４０１の前面に沿って延びている。第１リンク部４０２は、第１軸部４０４（図１８、図２０参照）を介して本体部４０１に接続されている。第１リンク部４０２は、長尺板状に形成されており、その厚み方向が本体部４０１の厚み方向となる向きで配置されている。第１リンク部４０２の長手寸法は、第１装飾装置２３２の第１リンク部２４２の長手寸法より大きくされている。この場合、第１軸部４０４と第２軸部４０５との離間距離が、第１装飾装置２３２における第１軸部２４４と第２軸部２４５との離間距離より大きくなっている。
【０２４１】
第１軸部４０４は、本体部４０１及び第１リンク部４０２のそれぞれに固定された固定軸である。本実施形態では、第１軸部４０４が、第１リンク部４０２から本体部４０１に向けて突出した凸部であり（図２０参照）、本体部４０１に形成された凹部４０４ａに入り込んだ状態でその第１リンク部４０２に固定されている。この場合、第１軸部４０４は、本体部４０１の上端部と第１リンク部４０２の一方の端部とを接続している。
【０２４２】
第２リンク部４０３は、第２軸部４０５を介して本体部４０１に接続され、且つ第３軸部４０６（図１８、図１９参照）を介して第１リンク部４０２に接続されている。第２軸部４０５は、第２リンク部４０３に固定されている一方で、本体部４０１に対してはスライド移動が可能になっている。なお、第２軸部４０５は、第２リンク部４０３において本体部４０１に向けて突出した部分の先端に取り付けられている。
【０２４３】
第２リンク部４０３は、第２軸部４０５及び第３軸部４０６が設けられたリンク部本体４０３ａと、リンク部本体４０３ａに対して回転可能に設けられた回転演出部４０３ｂと、リンク部本体４０３ａの前面側に取り付けられたリンク部装飾体４０３ｃと、リンク部本体４０３ａの側面に取り付けられた補助表示部４０３ｄとを有している。リンク部本体４０３ａは、本体部４０１の前面に沿って第２軸部４０５から第３軸部４０６を越えて延びており、第２軸部４０５及び第３軸部４０６を軸に本体部４０１及び第１リンク部４０２に対して回動することが可能になっている。リンク部本体４０３ａは、全体として細長のアーム状に形成されており、演出アームに相当する。また、第２軸部４０５がアーム軸部に相当する。
【０２４４】
回転演出部４０３ｂは、細長形状に形成されており、骨を模した形状及び色を有している。また、回転演出部４０３ｂにおいては、骨を模した部分に重ねて文字（例えば「Ｂｏｗｗｏｗ」）が配置されている。回転演出部４０３ｂは、リンク部本体４０３ａの前面側に配置されており、リンク部本体４０３ａの回動（リンク機構の動作）に伴って退避位置ＰＢ１（図６参照）と演出位置ＰＢ２（図４参照）とに移動する。退避位置ＰＢ１と演出位置ＰＢ２とは、第２軸部４０５の移動方向とは交差する方向に沿って並んでいることになる。
【０２４５】
第２装飾装置２３３は、回転演出部４０３ｂを退避位置ＰＢ１から演出位置ＰＢ２に移動させることで演出効果を高めることが可能である。また、第２装飾装置２３３は、回転演出部４０３ｂが退避位置ＰＢ１に移動することで退避状態に移行することになり、回転演出部４０３ｂが演出位置ＰＢ２に移動することで演出状態に移動することになる。
【０２４６】
回転演出部４０３ｂは、演出軸部４０７を介してリンク部本体４０３ａに接続されている。演出軸部４０７は、リンク部本体４０３ａ及び回転演出部４０３ｂのそれぞれに固定されている。本実施形態では、演出軸部４０７が回転演出部４０３ｂからリンク部本体４０３ａに向けて突出した凸部であり、リンク部本体４０３ａに形成された凹部４０７ａに入り込んだ状態でそのリンク部本体４０３ａに固定されている。この場合、演出軸部４０７は、リンク部本体４０３ａにおける第２軸部４０５とは反対側の端部と回転演出部４０３ｂの中央部分とを接続している。演出軸部４０７は、回転演出部４０３ｂの重心に重なる位置に配置されている。なお、リンク部本体４０３ａにおいては、回転演出部４０３ｂに向けて突出した部分の先端面が凹むことで凹部４０７ａが形成されている。
【０２４７】
なお、回転演出部４０３ｂは、リンク部４０２，４０３が回動していない状態でも、演出軸部４０７を軸として回転することで変位することになるが、本実施形態では、演出位置ＰＢ２に移動した回転演出部４０３ｂが回転している状態でも、演出軸部４０７の位置が変化しなければ、回転演出部４０３ｂが演出位置ＰＢ２にあることにする。
【０２４８】
補助表示部４０３ｄは、回転演出部４０３ｂが退避位置ＰＢ１にある場合でも視認されることで演出効果を高めることが可能になっている。補助表示部４０３ｄには、「ＷＡＯＯＯＮ」などの文字が表示されており、回転演出部４０３ｂが退避位置ＰＢ１にある場合に中央開口７２を通じて遊技機前方から読み取れる位置に配置されている。
【０２４９】
第２軸部４０５は、第１装飾装置２３２と同様に、第２リンク部４０３のリンク部本体４０３ａに固定されている一方で、本体部４０１の板面に沿って移動可能になっている。第２リンク部４０３においては、第２軸部４０５がリンク部本体４０３ａの端部に固定されている。第２装飾装置２３３が退避状態にある場合、リンク部本体４０３ａは、第２軸部４０５側を下端として上方に向けて延びている。なお、第２軸部４０５は、リンク部本体４０３ａにおいて本体部４０１に向けて突出した部分の先端に取り付けられている。
【０２５０】
第３軸部４０６は、第１リンク部４０２及び第２リンク部４０３のそれぞれに固定され、これらリンク部４０２，４０３の回動に伴って移動する移動軸部になっている。本実施形態では、第３軸部４０６が、第２リンク部４０３のリンク部本体４０３ａから第１リンク部４０２に向けて突出した凸部であり（図１９参照）、第１リンク部４０２に形成された凹部４０６ａに入り込んだ状態でその第１リンク部４０２に固定されている。また、第３軸部４０６は、第１リンク部４０２における第１軸部４０４とは反対側の端部に配置されている一方で、第２リンク部４０３の中間位置に配置されている。この場合、第３軸部４０６は、リンク部本体４０３ａの長手方向において第２軸部４０５と演出軸部４０７との間に配置されている。
【０２５１】
第１軸部４０４、第２軸部４０５、第３軸部４０６及び演出軸部４０７の各軸線は、第２装飾装置２３３の厚み方向（本体部４０１、第１リンク部４０２及び第２リンク部４０３の重なり方向）に沿って延びている。この場合、第１リンク部４０２及び第２リンク部４０３は、軸部４０４〜４０６を軸に本体部４０１の前面に沿って回動することになる。また、回転演出部４０３ｂは、演出軸部４０７を軸に第２リンク部４０３の前面に沿って回転することになる。
【０２５２】
第２装飾装置２３３においては、第２軸部４０５が本体部４０１に沿って上下方向にスライド移動することで、回転演出部４０３ｂが遊技機幅方向（左右方向）に移動可能になっている。第２軸部４０５は、第１軸部４０４よりも下方位置においてあらかじめ定められた所定範囲で移動可能になっており、回転演出部４０３ｂは、図１８（ａ）に示すように、第２軸部４０５がその移動範囲内において最下位置ＬＢ１にあることで退避位置ＰＢ１にあり、図１８（ｃ）に示すように、第２軸部４０５がその移動範囲内において最上位置ＨＢ１に移動することで演出位置ＰＢ２に移動することになる。
【０２５３】
回転演出部４０３ｂは、退避位置ＰＢ１にある場合に、遊技盤６０ａの背面側に隠れた状態になっており、遊技機前方からでは第１装飾装置２３２側の側面（補助表示部４０３ｄ）が視認できる程度になっている（図５参照）。また、この場合、第２リンク部４０３における回転演出部４０３ｂ以外の部分（例えばリンク部本体４０３ａ）及び第１リンク部４０２も遊技盤６０ａの背面側に隠れた状態になっており、回転演出部４０３ｂの側面以外は遊技機前方から視認できないようになっている。
【０２５４】
演出位置ＰＢ２は、退避位置ＰＢ１よりも第１装飾装置２３２側の位置であり、且つユニット本体２３１の一対の縦枠部２３１ａの中間位置になっている。回転演出部４０３ｂは、演出位置ＰＢ２にある場合に、表示画面７５ａの前方に露出した状態になり、遊技機前方から中央開口７２を通じてほぼ全体を視認できるようになる（図４参照）。この場合、第２装飾装置２３３においては、第１装飾装置２３２とは異なり、回転演出部４０３ｂに加えて、第１リンク部４０２やリンク部装飾体４０３ｃも遊技機前方の露出するようになっている。このため、第１リンク部４０２やリンク部装飾体４０３ｃには、第１リンク部４０２の内部構造やリンク部本体４０３ａを遊技機前方から覆い隠すための装飾が施されている。
【０２５５】
第２装飾装置２３３においては、第２軸部４０５の移動範囲を構造的に制限することで、回転演出部４０３ｂの移動範囲を設定しており、それによって、回転演出部４０３ｂが退避位置ＰＢ１と演出位置ＰＢ２との間を移動可能になっている。
【０２５６】
図１７に示すように、本体部４０１は、第２軸部４０５のスライド方向を案内する本体案内部４１１を有している。第２軸部４０５は、本体案内部４１１に係止された状態で、軸線の向きを保持したまま本体案内部４１１に沿って移動することが可能になっている。本体案内部４１１は、第１軸部４０４から下方に離間した位置と、本体部４０１の下端から上方に離間した位置との間において、本体部４０１の前面に沿って上下方向に直線状に延びている。
【０２５７】
第１軸部４０４は、本体案内部４１１の延長線上に配置されている。この場合、第２軸部４０５は、第１リンク部４０２及び第２リンク部４０３の回動に伴って、第２軸部４０５のスライド方向とは交差する方向（遊技機幅方向）に移動することになる。
【０２５８】
＜リンク部４０２，４０３の動き＞
図１８（ａ）に示すように、回転演出部４０３ｂが退避位置ＰＢ１にある場合、第３軸部４０６は、本体案内部４１１と前後に重なった位置（第２軸部４０５の移動軌跡上）に配置されている。この場合、第１装飾装置２３２が退避状態にある場合と同様に、第２軸部４０５は、第２装飾装置２３３のリンク機構において下死点又はそれに近い位置にあり、この位置を最下位置ＬＢ１としている。本体案内部４１１は、最下位置ＬＢ１にある場合に第２軸部４０５が存在する位置よりも下方まで延びている。本実施形態では、第２軸部４０５が本体案内部４１１の下端部に達することで最下位置ＬＢ１に移動したことになる。
【０２５９】
そして、回転演出部４０３ｂが演出位置ＰＢ２に移動する場合、第１装飾装置２３２が演出位置ＰＡ２に移動する場合と同様に、第１リンク部４０２及び第２リンク部４０３の回動に伴って、第３軸部４０６が中央開口７２側（第１装飾装置２３２側）に向けて移動するとともに、第２軸部４０５が上方（第１軸部４０４）に向けて移動する。
【０２６０】
図１８（ｃ）に示すように、回転演出部４０３ｂが演出位置ＰＢ２に移動した場合、第１装飾装置２３２の移動演出部２４３ｂが演出位置ＰＡ２に移動した場合と同様に、第１軸部４０４よりも低い位置において、第２軸部４０５と第３軸部４０６とが横並びに配置されている。この場合、第２軸部４０５は、第３軸部４０６とほぼ同じ高さ位置又はそれよりも若干高い位置に配置されており、この位置を最上位置ＨＢ１と称している。また、この場合、第３軸部４０６は、第２装飾装置２３３のリンク機構において本体案内部４１１（第２軸部４０５の移動軌跡）から最も離間した位置にある。
【０２６１】
第２軸部４０５は、最上位置ＨＢ１よりも上方に移動することが規制されている。本体案内部４１１は、第２軸部４０５が最上位置ＨＢ１よりも上昇することを規制する上昇ストッパ４１２を有しており、回転演出部４０３ｂが演出位置ＰＢ２にある場合、第２軸部４０５は、上昇ストッパ４１２に下方から引っ掛かった状態になっている。
【０２６２】
第２軸部４０５が最上位置ＨＢ１にある場合、第１リンク部４０２において第１軸部４０４と第３軸部４０６とを結んだ第１直線Ｍ１に対して、第２リンク部４０３において第２軸部４０５と第３軸部４０６とを結んだ第２直線Ｍ２が交差している。これら第１直線Ｍ１と第２直線Ｍ２との交差部分において、第１軸部４０４と第２軸部４０５との間のリンク角度βは、９０度よりも小さくなっている。なお、第２直線Ｍ２は、第１リンク部４０２の回動に伴って第３軸部４０６が移動軌跡として描く曲線の接線に直交していないことになる。また、リンク角度βは、第１リンク部４０２と第２リンク部４０３との交差角度に相当する。
【０２６３】
ここで、回転演出部４０３ｂが退避位置ＰＢ１に移動する向き（退避向き）で第１リンク部４０２に外力が加えられた場合、その外力は、第２軸部４０５にも上昇させる向きで加えられることになるが、第２軸部４０５の上昇は上昇ストッパ４１２により規制されるため、第２軸部４０５は最上位置ＨＢ１にて位置保持される。この場合、リンク角度βが９０度よりも小さくなっているため、第２リンク部４０３に対して第２軸部４０５が下方に移動する向き（第１軸部４０４から遠ざかる向き）に外力が加えられない限り、リンク部４０２，４０３は回動せず、回転演出部４０３ｂも演出位置ＰＢ２にて位置保持されることになる。
【０２６４】
ここで、回転演出部４０３ｂは、退避位置ＰＢ１から演出位置ＰＢ２に向けて移動することで遊技盤６０ａの裏側から表示画面７５ａの前方に出現することになるが、第２軸部４０５が最上位置ＨＢ１を越えて第１軸部４０４側に移動した場合、その第２軸部４０５が第１軸部４０４に近付くにつれて回転演出部４０３ｂが再び遊技盤６０ａの裏側に隠れる向きで移動することになる。したがって、上昇ストッパ４１２は、回転演出部４０３ｂを表示画面７５ａの前方に露出した部分が最も大きい状態で保持するという機能を有していることになる。
【０２６５】
第２リンク部４０３は、第３軸部４０６から第１軸部４０４とは反対側に向けて突出した突出部分４３１を有している。突出部分４３１は、リンク部本体４０３ａ、回転演出部４０３ｂ、リンク部装飾体４０３ｃ及び補助表示部４０３ｄのそれぞれを含んで構成されており、演出軸部４０７は突出部分４３１の先端部（第３軸部４０６を挟んで第２軸部４０５とは反対側の端部）に配置されている。このため、回転演出部４０３ｂが演出位置ＰＢ２に移動した場合に、例えば第２リンク部４０３が突出部分４３１を有していない構成に比べて、本体部４０１からの演出軸部４０７（回転演出部４０３ｂ）の離間距離が大きくなる。これにより、演出位置ＰＡ２に移動した回転演出部４０３ｂの存在感を高めることができる。
【０２６６】
＜リンク駆動部４４２＞
図１７の説明に戻り、第２装飾装置２３３は、第２リンク部４０３を回動させるために駆動するリンク駆動部４４２を有している。リンク駆動部４４２は、回転軸部を有するステッピングモータ等のモータであり、この回転軸部が回転することで第２軸部４０５を本体案内部４１１に沿って移動させることが可能になっている。リンク駆動部４４２は、本体部４０１の背面側に突出した状態でその本体部４０１に取り付けられている。なお、リンク駆動部４４２がアーム駆動部及びスライド駆動部に相当する。
【０２６７】
リンク駆動部４４２は、正逆両方向に回転することが可能であり、その回転軸部を所定の演出角度（例えば４８０度）だけ回転させることで、回転演出部４０３ｂが退避位置ＰＢ１と演出位置ＰＢ２との間を移動するのに必要な角度だけリンク部４０２，４０３を回動させることになる。
【０２６８】
＜バネ部材４５１＞
第２装飾装置２３３は、第１装飾装置２３２と同様に、回転演出部４０３ｂが演出位置ＰＢ２に移動する向き（演出向き）でリンク部４０２，４０３を付勢する付勢手段としてバネ部材４５１を有している。バネ部材４５１は、直線状に延びているコイルバネの一種であり、引っ張られた状態で縮む方向に付勢力を発揮する引張バネである。バネ部材４５１は、リンク駆動部４４２によるリンク部４０２，４０３の回動を補助するものであり、バネ部材４５１の付勢力がリンク部４０２，４０３に加えられることで、例えばリンク駆動部４４２の駆動力だけでリンク部４０２，４０３を回動させる場合に比べて、リンク部４０２，４０３の回動開始の加速度や最高速度が大きくなる。
【０２６９】
バネ部材４５１は、引っ張られた状態で第１リンク部４０２と本体部４０１とに接続されている。第１リンク部４０２は、バネ部材４５１の一端が引っ掛けられたリンク側引掛部４５２を有し、本体部４０１は、バネ部材４５１の他端が引っ掛けられた本体側引掛部４５３を有しており、バネ部材４５１は、リンク側引掛部４５２と本体側引掛部４５３とに掛け渡された状態で設けられている。リンク側引掛部４５２及び本体側引掛部４５３は、回転演出部４０３ｂが演出位置ＰＢ２に移動する向きで第１リンク部４０２が回動することで、それら引掛部４５２，４５３の離間距離が近付く位置に配置されている。
【０２７０】
バネ部材４５１の長さ寸法は、リンク側引掛部４５２と本体側引掛部４５３との離間距離よりも小さい。このため、バネ部材４５１は、回転演出部４０３ｂが演出位置ＰＢ２に移動するまで、リンク側引掛部４５２と本体側引掛部４５３とが近付く向き（回転演出部４０３ｂが演出位置ＰＢ２に移動する向き）で第１リンク部４０２に付勢力を継続して付与することになる。
【０２７１】
本体側引掛部４５３は、本体案内部４１１を挟んで回転演出部４０３ｂの出現方向（演出位置ＰＢ２）とは反対側に設けられており、本体部４０１の幅方向において本体案内部４１１に横並びに配置されている。本体側引掛部４５３は、本体部４０１から遊技機前方に向けて突出した凸部を有しており、バネ部材４５１の端部はその凸部に引っ掛けられた状態でネジ等により固定されている。この場合、バネ部材４５１は、本体側引掛部４５３の凸部を軸として本体部４０１の前面に沿って回動可能になっている。
【０２７２】
第１リンク部４０２は、第１軸部４０４から第３軸部４０６とは交差する方向（ほぼ直交する方向）において、演出位置ＰＢ２とは反対側に向けて膨出した膨出部４５４を有しており、その膨出部４５４がリンク側引掛部４５２を有している。リンク側引掛部４５２は、膨出部４５４から遊技機前方に向けて突出した凸部を有しており、バネ部材４５１の端部はその凸部に引っ掛けられた状態でネジ等により固定されている。この場合、バネ部材４５１は、リンク側引掛部４５２の凸部を軸として膨出部４５４の前面に沿って回動可能になっている。
【０２７３】
膨出部４５４は、第１リンク部４０２において第１軸部４０４から第１リンク部４０２とは交差する方向（本体部４０１の幅方向）に向けて本体部２４１の前面に沿って膨出している。リンク側引掛部４５２は膨出部４５４の先端に配置されており、膨出部４５４の膨出寸法は本体部４０１の幅寸法とほぼ同じになっている。つまり、第１軸部４０４とリンク側引掛部４５２との離間距離は、本体部４０１の幅寸法とほぼ同じになっている。
【０２７４】
バネ部材４５１は、本体案内部４１１を挟んで回転演出部４０３ｂの出現方向とは反対側において、本体部４０１の前面に沿って上下方向に延びた状態になっている。ここで、リンク側引掛部４５２の回動半径が、本体部４０１の幅寸法とほぼ同じという極力大きな寸法とされているため、第１リンク部４０２の回動に伴うリンク側引掛部４５２の移動方向がほぼ上下方向に限定されている。
【０２７５】
また、リンク側引掛部４５２の回動半径が極力大きくされていることは、バネ部材４５１の付勢力を第１リンク部４０２を回動させるための回動力として利用する構成において、その回動力を増大させることにもなる。ここで、第１軸部４０４を支点とし、リンク側引掛部４５２を力点とし、第３軸部４０６を作用点とした場合、支点と作用点との離間距離に対する支点と力点との離間距離に対する比が極力大きくされたことになるため、バネ部材４５１の付勢力によりリンク部４０２，４０３の回動開始の加速度や最高速度を極力大きくできる。
【０２７６】
＜本体部４０１＞
第２装飾装置２３３は、リンク駆動部４４２の駆動力を第２リンク部４０３（第２軸部４０５）に伝えるリンク伝達部４６２を有しており、リンク伝達部４６２は本体部４０１に搭載されている。リンク伝達部４６２は、リンク駆動部４４２の回転軸部に固定されたリンク歯車４９１を有している。リンク歯車４９１は、その回転軸がリンク駆動部４４２の回転軸部に沿って本体部４０１の厚み方向に沿って延びており、本体部４０１の前方に配置されている。この場合、リンク駆動部４４２の回転軸部は本体部４０１から遊技機前方に向けて突出しており、その突出部分にリンク歯車４９１が固定されている。
【０２７７】
第２装飾装置２３３は、本体部４０１の上部において第１軸部４０４及びリンク側引掛部４５２を遊技機前方から覆っている上部カバー体４６５と、本体部４０１の下部においてリンク歯車４９１及び本体側引掛部４５３を遊技機前方から覆っている下部カバー体４６６と、上部カバー体４６５の前面に取り付けられた上部装飾体４６７とを有している。
【０２７８】
第２装飾装置２３３は、回転演出部４０３ｂが退避位置ＰＢ１にある場合に、第２リンク部４０３が演出位置ＰＢ２とは反対側に向けて回動することを規制する逆回動ストッパ４６９を有している。逆回動ストッパ４６９は、下部カバー体４６６から遊技機前方に向けて突出した凸部であり、第２リンク部４０３を挟んで演出位置ＰＢ２とは反対側に配置されている。ここで、第２装飾装置２３３においては、回転演出部４０３ｂが退避位置ＰＢ１にある場合に、第２軸部４０５が下死点に存在するため、バネ部材４５１の付勢力により第２リンク部４０３が演出位置ＰＢ２とは反対側に向けて回動することが懸念される。これに対して、第２リンク部４０３の下部における演出位置ＰＢ２とは反対側の側面が逆回動ストッパ４６９に接触することで、第１軸部４０４と第２軸部４０５とを結ぶ直線を挟んで演出位置ＰＢ２とは反対側に第３軸部４０６が移動することが規制される。
【０２７９】
第２装飾装置２３３においては、回転演出部４０３ｂが退避位置ＰＢ１にある場合に、第２リンク部４０３が演出位置ＰＢ２とは反対側に向けて回動することが、逆回動ストッパ４６９に加えて上部カバー体４６５によっても規制される。上部カバー体４６５は、本体部４０１の厚み方向において第２リンク部４０３の少なくとも一部に重なる部分を有しており、第２リンク部４０３の上部における演出位置ＰＢ２とは反対側の側面が上部カバー体４６５に接触することで、回転演出部４０３ｂが退避位置ＰＢ１にある状態で第２リンク部４０３が逆向きに回動することが規制される。この場合、第２リンク部４０３においては、その下部に逆回動ストッパ４６９が引っ掛かり、その上部に上部カバー体４６５が引っ掛かることになる。
【０２８０】
なお、逆回動ストッパ２６９が、第２リンク部４０３のリンク部本体４０３ａにおける第３軸部４０６と第１軸部４０４との間の部分に当接する第１ストッパに相当し、上部カバー体４６５が、リンク部本体４０３ａにおける第３軸部４０６を挟んで第２軸部４０５とは反対側の部分に当接する第２ストッパに相当する。また、逆回動ストッパ４６９及び上部カバー体４６５が逆回動規制手段を構成している。
【０２８１】
＜第２リンク部４０３＞
第２装飾装置２３３は、回転演出部４０３ｂを回転させるために駆動する演出駆動部４７５を有している。演出駆動部４７５は、回転軸部を有するステッピングモータ等のモータであり、この回転軸部の回転に伴って回転演出部４０３ｂを回転させることが可能になっている。演出駆動部４７５は、第２リンク部４０３の前面側に突出した状態でその第２リンク部４０３に取り付けられている。演出駆動部４７５は、正逆両方向に回転することが可能であり、回転演出部４０３ｂは演出駆動部４７５の回転方向に合わせて回転する。
【０２８２】
リンク駆動部４４２と演出駆動部４７５とでは駆動に関する性能が異なっている。駆動トルクの定格値については、リンク駆動部４４２の方が演出駆動部４７５よりも大きく、駆動速度（回転軸部の回転速度）の定格値については、演出駆動部４７５の方がリンク駆動部４４２よりも大きくされている。この場合、リンク駆動部４４２は、リンク部４０２，４０３の回動に必要な駆動力を発揮する必要があるため、十分に大きな駆動トルクを有している必要がある。一方、演出駆動部４７５は、回転演出部４０３ｂを回転させることさえできれば過剰に大きな駆動トルクを発揮する必要はなく、回転演出部４０３ｂの回転について最高速度と最低速度との差を大きくするために極力大きな定格速度を有している。なお、リンク駆動部４４２がアーム駆動部に相当する。
【０２８３】
演出駆動部４７５は、第２リンク部４０３の長手方向において第２軸部４０５寄りの位置に配置されている。この場合、演出駆動部４７５は、第２リンク部４０３の長手方向において、第３軸部４０６を挟んで演出軸部４０７の反対側、つまり、第２軸部４０５と第３軸部４０６との間に配置されている。演出駆動部４７５は、遊技機前方からリンク部装飾体４０３ｃにより覆われており、第２リンク部４０３の回動状態に関係なく遊技機前方からは視認できないようになっている。演出駆動部４７５は、第２リンク部４０３の長手方向に沿って演出駆動部４７５及び回転演出部４０３ｂに横並びに配置されている。
【０２８４】
第２装飾装置２３３は、演出駆動部４７５の駆動力を回転演出部４０３ｂに伝える演出伝達部４７６を有している。図１９に示すように、演出伝達部４７６は、第２リンク部４０３に搭載されている。第２リンク部４０３のリンク部本体４０３ａは、その前面を形成する前面ケース体４８１と、その背面を形成する背面ケース体４８２とを有しており、これらケース体４８１，４８２の間に演出伝達部４７６が収納されている。前面ケース体４８１と背面ケース体４８２とは、それぞれの厚み方向に重ね合わされた状態でネジ等により互いに固定されている。
【０２８５】
ケース体４８１，４８２は、透明性を有する合成樹脂材料等により形成されており、これらケース体４８１，４８２の間に配置された演出伝達部４７６がケース体４８１，４８２を通じて視認可能になっている。この場合、リンク部本体４０３ａにおいては、演出伝達部４７６を含めて内部構造が視認可能になっているため、リンク部本体４０３ａのメンテナンス作業が容易になっている。
【０２８６】
演出伝達部４７６は、演出駆動部４７５の回転軸部に固定された回転用歯車４８４と、演出軸部４０７に固定された演出歯車４８５と、回転用歯車４８４から演出歯車４８５に駆動力を伝達する複数の伝達歯車４８６とを有している。これら歯車４８４〜４８６は、それぞれの回転軸が第２リンク部４０３の厚み方向に延びた向きで、リンク部本体４０３ａの板面に沿って並べられている。回転用歯車４８４は、演出駆動部４７５の回転軸部と共に回転する駆動歯車になっている。
【０２８７】
複数の伝達歯車４８６は、回転用歯車４８４と演出歯車４８５との間において、リンク部本体４０３ａの長手方向に沿って並べられている。これら伝達歯車４８６には、回転用歯車４８４に噛み合った歯車及び演出歯車４８５に噛み合った歯車が含まれており、各伝達歯車４８６及び演出歯車４８５は、回転用歯車４８４の回転に伴って回転する従動歯車になっている。
【０２８８】
複数の伝達歯車４８６には、第３軸部４０６に重なる位置に設けられた重ね歯車４８６ａが含まれている。重ね歯車４８６ａは、その軸線が第３軸部４０６の軸線に一致した状態で設けられており、第３軸部４０６に対する相対的な回転が可能になっている。この場合、第３軸部４０６の状態（第１リンク部４０２に対する第２リンク部４０３の角度など）に関係なく、演出駆動部４７５の駆動に伴って重ね歯車４８６ａが回転することになる。
【０２８９】
第２リンク部４０３には、リンク部本体４０３ａに対する回転演出部４０３ｂの回転角度を検出する演出センサ４８７が設けられている。演出歯車４８５は、演出センサ４８７の検出対象となる被検出部４８７ａを有しており、演出センサ４８７は、被検出部４８７ａが所定位置にあることを検出することが可能になっている。演出センサ４８７は、演出歯車４８５の背面側に配置されており、被検出部４８７ａは、演出歯車４８５からその径方向に向けて突出した凸部とされている。演出センサ４８７は、リンク部本体４０３ａの長手方向に回転演出部４０３ｂの長手方向が重なった状態の回転演出部４０３ｂの角度をゼロ角度として検出することが可能になっている。回転演出部４０３ｂは、ゼロ角度にある場合にその長手方向が、第２軸部４０５と第３軸部４０６との並び方向に一致している。
【０２９０】
＜回転演出部４０３ｂの動作＞
第２装飾装置２３３においては、リンク駆動部４４２の駆動に合わせて演出駆動部４７５が駆動することで、演出位置ＰＢ２に向けた回転演出部４０３ｂの移動の高速化が図られている。ここでは、リンク部４０２，４０３の回動と回転演出部４０３ｂの回転との関係について説明する。
【０２９１】
図１８（ａ）に示すように、第２装飾装置２３３が退避状態にある場合、回転演出部４０３ｂは、退避位置ＰＢ１において本体部４０１に沿って上下方向に延びた状態になっている。この場合、回転演出部４０３ｂは、リンク部本体４０３ａに対してゼロ角度になっており、そのほぼ全体が本体部４０１や第１リンク部４０２などに前後方向に重なった状態になっている。ゼロ角度にある回転演出部４０３ｂにおいては、回転演出部４０３ｂの一方の端部が上端部とされ、他方の端部が下端部とされており、上端部がリンク部本体４０３ａよりも上方に突出した状態で、第１軸部４０４に前後に重なる位置に配置されている。また、下端部が第３軸部４０６に前後に重なる位置に配置されている。
【０２９２】
第２装飾装置２３３は、リンク駆動部４４２及び演出駆動部４７５の両方が駆動することで、演出状態に移行する。この場合、リンク駆動部４４２は、回転演出部４０３ｂを演出位置ＰＢ２に移動させる向き（正回転）で駆動し、演出駆動部４７５は、回転演出部４０３ｂの上端を演出位置ＰＢ２側（第１装飾装置２３２側）に移動させる向き（正回転）で駆動する。
【０２９３】
図１８（ｂ）に示すように、第２リンク部４０３においては、リンク駆動部４４２及び演出駆動部４７５の駆動開始に伴って、リンク部本体４０３ａの上端部（演出軸部４０７）が演出位置ＰＢ２側に向けて移動するとともに、回転演出部４０３ｂの上端部が演出位置ＰＢ２側に向けて移動する。この場合、回転演出部４０３ｂの上端部が演出位置ＰＢ２に向けて移動する力（回転演出部４０３ｂの回転力）が演出軸部４０７に付与され、その回転力により演出軸部４０７の移動速度（リンク部本体４０３ａの回動速度）が高められることになる。
【０２９４】
演出駆動部４７５は、回転演出部４０３ｂが演出位置ＰＢ２に移動するまでの間に、その回転演出部４０３ｂをリンク部本体４０３ａに対して一回転させる。この場合、リンク駆動部４４２の回転軸部が４８０度だけ回転するのに対して、演出駆動部４７５の回転軸部が３６０度だけ回転することになる。
【０２９５】
図１８（ｃ）に示すように、演出駆動部４７５は、回転演出部４０３ｂが演出位置ＰＢ２に移動した後でも、継続して駆動することで回転演出部４０３ｂを回転させることが可能になっている。この場合、回転演出部４０３ｂが回転しながら表示画面７５ａの前方に勢い良く出現し、さらに、その回転演出部４０３ｂの回転が継続されるため、回転演出部４０３ｂによる演出効果を高めることができる。
【０２９６】
＜リンク伝達部４６２＞
次に、リンク伝達部４６２の構成について図２０を参照しつつ説明する。図２０は本体部４０１の分解斜視図である。なお、図２０は本体部４０１を背面側から見た図である。
【０２９７】
図２０に示すように、リンク伝達部４６２が搭載された本体部４０１は、その前面を形成する前面ケース体４８８と、その背面を形成する背面ケース体４８９とを有しており、リンク伝達部４６２は、これらケース体４８８，４８９の間や前面ケース体４８８の前面側に配置されている。前面ケース体４８８と背面ケース体４８９とは、それぞれの厚み方向に重ね合わされた状態でネジ等により互いに固定されている。
【０２９８】
ケース体４８８，４８９は、透明性を有する合成樹脂材料等により形成されており、これらケース体４８８，４８９の間に配置されたリンク伝達部４６２等がケース体４８８，４８９を通じて視認可能になっている。この場合、本体部４０１においては、ケース体４８８，４８９を含めて内部構造が視認可能になっているため、本体部４０１のメンテナンス作業が容易になっている。
【０２９９】
リンク伝達部４６２は、リンク歯車４９１に加えて、リンク歯車４９１に連動して回転するピニオン歯車４９２と、ピニオン歯車４９２の回転運動に連動して直進運動を行うラック４９３と、リンク歯車４９１からピニオン歯車４９２に駆動力を伝達する伝達歯車４９４ａ，４９４ｂとを有している。これらリンク歯車４９１、ピニオン歯車４９２及び伝達歯車４９４ａ，４９４ｂは、それぞれの回転軸が本体部４０１の厚み方向に延びた向きで、本体部４０１の板面に沿って並べられている。ラック４９３は、本体部４０１の板面に沿って延びている長尺状の板材であり、その長辺に沿って並べられた複数の歯を有している。
【０３００】
リンク伝達部４６２においては、リンク歯車４９１が前面ケース体４８８の前面側に配置されている一方で、ピニオン歯車４９２及びラック４９３は前面ケース体４８８と背面ケース体４８９との間に収納されている。ここで、伝達歯車４９４ａは、前面ケース体４８８の前面側に配置され、リンク歯車４９１に噛み合っており、伝達歯車４９４ｂは、前面ケース体４８８と背面ケース体４８９との間に配置され、ピニオン歯車４９２に噛み合っている。これら伝達歯車４９４ａ，４９４ｂは、それぞれの軸線が一致した状態で回転軸同士で連結されており、その連結部分は前面ケース体４８８を貫通している。
【０３０１】
リンク歯車４９１は、リンク駆動部４４２の回転軸部と共に回転する駆動歯車になっており、ピニオン歯車４９２及び伝達歯車４９４ａ，４９４ｂは、リンク歯車４９１の回転に伴って回転する従動歯車になっている。また、ラック４９３は、ピニオン歯車４９２の回転に伴って直線的に移動する従動ラックになっている。
【０３０２】
ラック４９３は、本体案内部４１１の長手方向に沿って延びる向きで配置されており、その本体案内部４１１に沿って移動する移動部材になっている。この場合、ラック４９３は、本体部４０１の前面ケース体４８８を挟んで本体案内部４１１の背面側に配置されている。本体部４０１は、ラック４９３の移動方向を案内する案内溝（図示略）を有しており、ラック４９３は、案内溝に入り込んだ状態で設けられている。案内溝は、本体部４０１の前面ケース体４８８及び背面ケース体４８９に設けられており、それら前面ケース体４８８や背面ケース体４８９の内側面が凹むことで形成されている。案内溝は、本体案内部４１１に沿って延びている。
【０３０３】
ラック４９３には、本体案内部４１１を介して第２軸部４０５が接続されており、ラック４９３がスライド移動することで第２軸部４０５が本体案内部４１１に沿って移動する。本体案内部４１１は、本体部４０１の前面ケース体４８８に形成された本体長孔４１１ａにより形成されており、第２軸部４０５は、この本体長孔４１１ａから離脱しない状態で前面ケース体４８８に取り付けられている。
【０３０４】
第２軸部４０５の移動可能な範囲は、本体長孔４１１ａにより上下方向について制限されている。本体長孔４１１ａの内周面のうち、下方を向いている天井面４１１ｂは、下方から当接した第２軸部４０５が最上位置ＨＢ１よりも上方に移動することを規制するものであり、上昇ストッパ４１２はこの天井面４１１ｂである。上方を向いている底面４１１ｃは、上方から当接した第２軸部４０５が最下位置ＬＢ１よりも下方に移動することを規制する下降規制部である。なお、上述したように、第２軸部４０５は、最下位置ＬＢ１にある場合に下死点又はそれに近い位置にあるため、底面４１１ｃにより下降が規制されなくても最下位置ＬＢ１よりも下方には移動しないという場合も想定される。
【０３０５】
本体長孔４１１ａは、前面ケース体４８８を前後方向に貫通しており、ラック４９３には、第２軸部４０５が前方から入り込んでいる引っ掛け孔４９５が形成されている。引っ掛け孔４９５は、ラック４９３の移動方向に沿って延びた長孔とされており、ラック４９３を前後方向に貫通している。第２軸部４０５は、本体部４０１の内部においてラック４９３に引っ掛かった状態で、そのラック４９３と共に移動することが可能になっている。
【０３０６】
第２軸部４０５は、本体長孔４１１ａ及び引っ掛け孔４９５に挿通され、且つ本体案内部４１１及びラック４９３を前後から挟み込んだ状態で設けられている。この場合、第２軸部４０５は、前面ケース体４８８の前面に引っ掛かった状態で前方から本体長孔４１１ａに挿し込まれた前側軸片４０５ａと、ラック４９３の裏面に引っ掛かった状態で後方から引っ掛け孔４９５に挿し込まれた後側軸片４０５ｂとを有しており、これら前側軸片４０５ａと後側軸片４０５ｂとがネジ等により固定されている。
【０３０７】
引っ掛け孔４９５は、本体部４０１の幅方向において、本体案内部４１１（本体長孔４１１ａ）と前後に重なる位置に配置されている。引っ掛け孔４９５の幅寸法は、本体長孔４１１ａの幅寸法とほぼ同じにされている。引っ掛け孔４９５の長さ寸法は、本体長孔４１１ａの長さ寸法よりも小さい一方で、第２軸部４０５の入り込み部の上下寸法よりも大きくされている。このため、第２軸部４０５は、引っ掛け孔４９５に挿通された状態でその引っ掛け孔４９５に対して相対的に上下に移動することが可能になっている。
【０３０８】
ラック４９３においては、引っ掛け孔４９５の内周面のうち、上下方向に延びている側面が第２軸部４０５の移動方向を上下方向に制限する制限手段になっている。また、引っ掛け孔４９５の内周面のうち、下方を向いている天井面４９５ａは、ラック４９３が下方に移動した場合に第２軸部４０５を下方に向けて押す下向き押し部であり、上方を向いている底面４９５ｂは、ラック４９３が上方に移動した場合に第２軸部４０５を上方に向けて押す上向き押し部である。
【０３０９】
第２軸部４０５が上方に移動した場合、回転演出部４０３ｂは演出位置ＰＢ２に向けて移動することになるため、底面４９５ｂは、回転演出部４０３ｂが演出位置ＰＢ２に移動する向きで第２軸部４０５を押す第１押し部に相当し、天井面４９５ａは、回転演出部４０３ｂが退避位置ＰＢ１に戻る向きで第２軸部４０５を押す第２押し部に相当する。天井面４９５ａと底面４９５ｂとは第２軸部４０５を挟んで対向しており、それら天井面４９５ａと底面４９５ｂとの離間距離は、第２軸部４０５の高さ寸法より大きくされている。このため、第２軸部４０５は、天井面４９５ａ及び底面４９５ｂの両方に同時に接触しているという状態にはならない。
【０３１０】
ラック４９３は、引っ掛け孔４９５の少なくとも一部が本体長孔４１１ａと前後に重なる範囲において移動可能になっている。ラック４９３が、その移動可能な範囲において最も高い位置である最上位置ＨＢ２にある場合（図２２（ｂ）参照）、引っ掛け孔４９５の底面４９５ｂと本体長孔４１１ａの天井面４１１ｂとの間に第２軸部４０５が挟まった状態になっている。この場合、ラック４９３が押し上げている第２軸部４０５が、本体長孔４１１ａの天井面４１１ｂに引っ掛かっていることで最上位置ＨＢ１にて位置保持されており、ラック４９３がその最上位置ＨＢ２よりも上方に移動することが第２軸部４０５により規制されている。
【０３１１】
ちなみに、ラック４９３は、第２軸部４０５に対して相対的にスライド移動することが可能であるため、例えば第２軸部４０５が最上位置ＨＢ１にある場合でも、ラック４９３の最上位置ＨＢ２から引っ掛け孔４９５の天井面４９５ａが第２軸部４０５に当接する位置まで、下方に移動することが可能になっている。
【０３１２】
一方、ラック４９３が、その移動可能な範囲において最も低い位置である最下位置ＬＢ２にある場合（図１８（ａ）参照）、引っ掛け孔４９５の底面４９５ｂが本体長孔４１１ａの底面４１１ｃとほぼ同じ高さ位置にある。この場合、引っ掛け孔４９５の底面４９５ｂの上に第２軸部４０５が載った状態になっており、第２軸部４０５が底面４９５ｂから上方に離間している場合とは異なり、ラック４９３が上方に向けて移動することで引っ掛け孔４９５の底面４９５ｂが即座に第２軸部４０５を押し上げることになる。また、この状態を、第２軸部４０５が引っ掛け孔４９５の底面４９５ｂを押し下げることでラック４９３が最下位置ＬＢ２に移動した状態ということもできる。
【０３１３】
本体部４０１には、ラック４９３が最下位置ＬＢ２にあることを検出するラックセンサ４９７が取り付けられている。ラック４９３は、ラックセンサ４９７の検出対象となる被検出部４９８を有しており、ラックセンサ４９７は、被検出部４９８が所定位置にあることを検出することでラック４９３が最下位置ＬＢ２にあることを検出する。ラックセンサ４９７は、ラック４９３の前面側に配置された状態で本体部４０１の前面ケース体４８８にネジ等で固定されており、被検出部４９８は、ラック４９３からラックセンサ４９７に向けて前方に突出した凸部とされている。
【０３１４】
被検出部４９８は、ラック４９３において引っ掛け孔４９５の下方に配置されており、ラック４９３が最下位置ＬＢ２にある場合にラックセンサ４９７により検出され、ラック４９３が最下位置ＬＢ２から上方に移動した場合には検出されない。被検出部４９８は、本体長孔４１１ａを通じて本体部４０１の前面側に突出しており、その突出部分がラックセンサ４９７により検出される部分になっている。本体部４０１の前面ケース体４８８には、本体長孔４１１ａから下方に向けて延びたスリットが形成されており、ラック４９３が最下位置ＬＢ２に向けて移動した場合、被検出部４９８は、本体長孔４１１ａの底面４１１ｃよりも下方位置にそのスリットを通じて移動することで、ラックセンサ４９７により検出される。
【０３１５】
なお、被検出部４９８は、ラック４９３の長手方向（上下方向）に沿って延びており、その上下方向において所定の長さ寸法を有している。この長さ寸法は、上下方向においてラックセンサ４９７の検出範囲の長さ寸法よりも大きくされている。この場合、ラックセンサ４９７は、ラック４９３が最下位置ＬＢ２にある場合はもちろんのこと、ラック４９３が最下位置ＬＢ２よりも若干高い位置にある場合でも、被検出部４９８を検出することができる。例えば、上下方向において被検出部４９８の長さ寸法が極めて小さい構成では、ラック４９３が最下位置ＬＢ２にあるにもかかわらず、被検出部４９８がラックセンサ４９７の検出範囲から外れた位置に存在していることでラックセンサ４９７が被検出部４９８を検出できないということが懸念される。
【０３１６】
＜第２装飾装置２３３のロック機構＞
第２装飾装置２３３は、回転演出部４０３ｂが退避位置ＰＢ１にある場合に、その回転演出部４０３ｂが演出位置ＰＢ２に移動する向きで第１リンク部４０２及び第２リンク部４０３が回動することを規制する退避ロック機構を有している。上述したように、第２装飾装置２３３において、ラック４９３が第２軸部４０５に対して相対的に移動することが可能になっているため、回転演出部４０３ｂが退避位置ＰＢ１にある場合に、第２軸部４０５が最下位置ＬＢ１にある一方で、ラック４９３は最下位置ＬＢ２にあるとは限らない。退避ロック機構は、このことを利用して、第２軸部４０５が最下位置ＬＢ１にあり且つラック４９３が最下位置ＬＢ２にある場合に、ロック状態として第２軸部４０５の移動を規制しており、第２軸部４０５が最下位置ＬＢ１にあってもラック４９３が最下位置ＬＢ２にない場合に、ロック解除状態として第２軸部４０５の規制を解除する。
【０３１７】
ここでは、この退避ロック機構について図２０、図２１を参照しつつ説明する。図２１は、本体部４０１の内部構造を示す図であり、（ａ）にラック４９３が最下位置ＬＢ２にある場合を示し、（ｂ）にラック４９３がロック解除位置ＬＢ３にある場合を示す。なお、図２１においては、ラック４９３の下端の高さ位置をロック解除位置ＬＢ３として示す。
【０３１８】
図２０に示すように、第１リンク部４０２は、その主要部分を形成する長板形状のアーム部材４０２ａと、膨出部４５４を形成する膨出部材４０２ｂとを有している。膨出部材４０２ｂは、アーム部材４０２ａの端部に取り付けられ、アーム部材４０２ａから交差する方向に延びており、その交差角度は例えば９０度になっている。アーム部材４０２ａと膨出部材４０２ｂとは、アーム部材４０２ａの厚み方向に重ねられた状態で固定されており、第１リンク部４０２においては、アーム部材４０２ａと膨出部材４０２ｂとが重なっている部分に第１軸部４０４が配置されている。膨出部材４０２ｂは、本体部４０１に向けて突出した凸部を有しており、この凸部により第１軸部４０４が形成されている。
【０３１９】
本体部４０１は、ラック４９３に引っ掛かることで第１リンク部４０２の回動を規制する回動規制部材５１１と、回動規制部材５１１を膨出部材４０２ｂに連結している連結部材５１２とを有している。回動規制部材５１１及び連結部材５１２は、いずれも前面ケース体４８８と背面ケース体４８９との間に収納されている。なお、回動規制部材５１１は、第１リンク部４０２の回動に伴って回動する回動体に相当する。
【０３２０】
回動規制部材５１１は、本体部４０１の厚み方向において、ピニオン歯車４９２に重なり、且つ直進運動するラック４９３の位置に関係なくそのラック４９３の少なくとも一部に重なる位置に配置されており、規制軸部５１３（図２１参照）を軸として回動することが可能になっている。回動規制部材５１１は、ラック４９３の背面側に配置されており、ラック４９３から背面ケース体４８９側に離間している。この場合、回動規制部材５１１は、背面ケース体４８９とラック４９３との間に入り込んだ状態になっている。
【０３２１】
規制軸部５１３は、回動規制部材５１１を背面ケース体４８９に対して回動可能に接続しており、規制軸部５１３の軸線は、本体部４０１の厚み方向に沿って延びている。規制軸部５１３は、背面ケース体４８９から回動規制部材５１１に向けて突出した凸部であり、回動規制部材５１１に形成された凹部５１３ａに入り込んだ状態でその回動規制部材５１１に固定されている。回動規制部材５１１は、規制軸部５１３を軸として本体部４０１の板面に沿って回動することになる。規制軸部５１３は、本体部４０１の厚み方向において、本体案内部４１１及びラック４９３に重なる位置に配置されている。
【０３２２】
回動規制部材５１１は、全体として板状に形成されており、背面ケース体４８９の内側面に沿って延びている。回動規制部材５１１は、ラック４９３に引っ掛かることが可能な規制引掛部５１５と、連結部材５１２に接続された規制接続部５１６とを有している。規制引掛部５１５及び規制接続部５１６は、規制軸部５１３に対して回動規制部材５１１の板面に沿って並べられており、いずれも規制軸部５１３から離間した位置に配置されている。規制引掛部５１５及び規制接続部５１６は、それぞれ規制軸部５１３から異なる方向に離間している。
【０３２３】
なお、規制引掛部５１５と規制軸部５１３とを結ぶ直線は、規制接続部５１６と規制軸部５１３とを結ぶ直線と交差しており、その交差角度は例えば９０度に設定されている。回動規制部材５１１は、全体として扇形に形成されており、その円弧の一端側に規制接続部５１６が配置され、他端側に規制引掛部５１５が配置されている。
【０３２４】
回動規制部材５１１においては、規制引掛部５１５が規制軸部５１３の上方位置に配置され、規制接続部５１６が規制軸部５１３の側方位置に配置されている。ここで、規制引掛部５１５は、回動規制部材５１１の回動に伴って本体部４０１の幅方向に沿って曲線上を移動することになる。例えば、規制引掛部５１５は、回転演出部４０３ｂが退避位置ＰＢ１にある場合に、本体部４０１の幅方方向において連結部材５１２から最も離れた位置（演出位置ＰＢ２に近い位置）にあり、回転演出部４０３ｂが演出位置ＰＢ２にある場合に、連結部材５１２に最も近い位置にある。
【０３２５】
一方、規制接続部５１６は、回動規制部材５１１の回動に伴って上下方向に沿って曲線上を移動することになる。例えば、規制接続部５１６は、回転演出部４０３ｂが退避位置ＰＢ１にある場合に最も高い位置にあり、回転演出部４０３ｂが演出位置ＰＢ２にある場合に最も低い位置にある。
【０３２６】
連結部材５１２は、ラック４９３に沿って上下方向に延びている縦長形状の板材とされている。連結部材５１２は、本体部４０１の幅方向においてラック４９３に横並びに配置されている。連結部材５１２においては、その上端部が膨出部材４０２ｂに回動可能に接続され、その下端部が回動規制部材５１１に回動可能に接続されている。連結部材５１２の下端部は、回動規制部材５１１の前面に重ねられた状態で規制接続部５１６に接続されている。この場合、回動規制部材５１１が、背面ケース体４８９と連結部材５１２との間に入り込んだ状態になっている。
【０３２７】
なお、回動規制部材５１１と連結部材５１２との接続部分においては、回動規制部材５１１の規制接続部５１６が連結部材５１２とは反対側に向けて凹んだ凹部とされ、連結部材５１２に形成された凸部５１６ａが規制接続部５１６（凹部）に入り込んだ状態で、規制接続部５１６が連結部材５１２に固定されている。
【０３２８】
また、連結部材５１２と膨出部材４０２ｂとの接続部分においては、連結部材５１２の上端部が膨出部材４０２ｂの背面側に配置された状態でその膨出部材４０２ｂに接続されている。膨出部材４０２ｂは、前面ケース体４８８を貫通して連結部材５１２に向けて突出した膨出接続部５１７を有しており、この膨出接続部５１７が、連結部材５１２に形成された凹部（図示略）に入り込んだ状態で連結部材５１２に固定されている。膨出接続部５１７は、膨出部４５４においてリンク側引掛部４５２の背面側に配置されている。この場合、膨出接続部５１７は、第１軸部４０４と第３軸部４０６との並び方向に交差する方向において、第１軸部４０４から離間した位置に配置されており、第１リンク部４０２の回動に伴って上下方向に移動する。
【０３２９】
前面ケース体４８８には、膨出接続部５１７が挿通された接続用孔５１８が形成されている。接続用孔５１８は、第１リンク部４０２の回動に伴って膨出接続部５１７が描く軌跡に沿って上下方向に延びる湾曲形状の長孔とされている。回動規制部材５１１の規制接続部５１６は、膨出接続部５１７の下方位置に配置されており、これら規制接続部５１６及び膨出接続部５１７の移動曲線はほぼ同じになっている。
【０３３０】
なお、第１リンク部４０２においては、膨出接続部５１７が第１リンク部４０２の回動に伴って変位するリンク変位部に相当する。また、回動規制部材５１１においては、規制接続部５１６が回動規制部材５１１の回動に伴って変位する回動変位部に相当し、規制軸部５１３が回動軸部に相当する。
【０３３１】
回動規制部材５１１において、規制引掛部５１５は、ラック４９３の背面に向けて突出している。ラック４９３は、規制引掛部５１５が引っ掛かることが可能なラック受け部５２１を有している。ラック受け部５２１は、ラック４９３から回動規制部材５１１に向けて後方に突出している。なお、規制引掛部５１５が、第１リンク部４０２の回動に伴って変位する第１変位部に相当し、ラック受け部５２１が、第２リンク部４０３の回動に伴って変位する第２変位部に相当する。
【０３３２】
ラック受け部５２１は、ラック４９３の厚み方向に延びている側面として、ラック４９３が最下位置ＬＢ２にある場合に規制引掛部５１５が引っ掛かる受け面５２１ａを有している。受け面５２１ａは、ラック受け部５２１の側面において、連結部材５１２とは反対側（演出位置ＰＢ２側）を向いている面である。
【０３３３】
図２１（ａ）に示すように、ラック４９３が最下位置ＬＢ２にある場合、ラック受け部５２１は、本体部４０１の幅方向において規制引掛部５１５と連結部材５１２との間に入り込んだ状態になっており、受け面５２１ａは、規制引掛部５１５の移動軌跡に沿ってその規制引掛部５１５に横並びに配置されている。受け面５２１ａは、上下方向に沿って延びていることで、規制引掛部５１５の移動方向にほぼ直交している。この場合、規制引掛部５１５が受け面５２１ａに当接することで回動規制部材５１１の回動が阻止されるため、連結部材５１２を介して回動規制部材５１１に連結された第１リンク部４０２の回動も阻止される。
【０３３４】
受け面５２１ａは、ラック４９３が上方に向けて移動した場合に、規制引掛部５１５よりも高い位置に移動することになる。図２１（ｂ）に示すように、ラック４９３が最下位置ＬＢ２よりも高い位置であるロック解除位置ＬＢ３にある場合、回動規制部材５１１の回動に伴って規制引掛部５１５がラック受け部５２１側に向けて側方に移動しても、その規制引掛部５１５が受け面５２１ａに引っ掛からない状態になっている。最下位置ＬＢ２とロック解除位置ＬＢ３とは、上下方向において引っ掛け孔４９５と第２軸部４０５との間の隙間の大きさの分だけ離間しており、ラック４９３がロック解除位置ＬＢ３にある場合でも、第２軸部４０５は最下位置ＬＢ１にある。
【０３３５】
また、ラック４９３の被検出部４９８においては、上下方向の長さ寸法が最下位置ＬＢ２とロック解除位置ＬＢ３との離間距離とほぼ同じ大きさになっている。ここで、ラック４９３が最下位置ＬＢ２及びロック解除位置ＬＢ３のいずれにある場合でも、被検出部４９８はラックセンサ４９７の検出範囲内に存在している。つまり、ラックセンサ４９７により検出されるようになっている。このため、ラックセンサ４９７は、ラック４９３がロック解除位置ＬＢ３よりも高い位置に移動した場合に被検出部４９８を検出しない状態になる。
【０３３６】
ラック受け部５２１の側面においては、受け面５２１ａがラック受け部５２１の上端から下方に向けて延びており、受け面５２１ａの下端には、ラック４９３が下方に向けて移動している場合に規制接続部５１６を受け面５２１ａに向けて案内する案内面５２１ｂが接続されている。案内面５２１ｂは、受け面５２１ａの下端から連結部材５１２側に向けて斜め下方に直線的に延びている。この場合、ラック受け部５２１の幅寸法は、全体として下端に近付くにつれて徐々に小さくなっている。なお、案内面５２１ｂは、ラック４９３の幅方向においてラック受け部５２１の外側に膨らむように湾曲していても、内側に凹むように湾曲していてもよい。
【０３３７】
ラック受け部５２１は、ラック４９３がロック解除位置ＬＢ３及び最下位置ＬＢ２に向けて移動することで、規制接続部５１６よりも高い位置から規制接続部５１６に横並びになる位置に移動することになる。この場合、ラック４９３の幅方向において、規制接続部５１６がラック受け部５２１を挟んで連結部材５１２とは反対側に入り込みさえすれば、その後は、規制接続部５１６が案内面５２１ｂに沿って移動することで受け面５２１ａにまで案内されることになる。
【０３３８】
なお、第２装飾装置２３３においては、第１リンク部４０２、ラック４９３、回動規制部材５１１及び連結部材５１２を含んでロック機構が構成されている。ロック機構は、ラック４９３が最下位置ＬＢ２にある場合にロック状態にあり、ラック４９３がロック解除位置ＬＢ３よりも高い位置にある場合にロック解除状態にある。この場合、ラック４９３の最下位置ＬＢ２がロック位置に相当する。
【０３３９】
＜第２装飾装置２３３の動作＞
次に、第２装飾装置２３３の動作態様について、図１８、図２１、図２２を参照しつつ説明する。図２２は、第２装飾装置２３３が演出状態から退避状態に移行する場合の動作図である。なお、図２２の拡大図においては、第２軸部４０５と引っ掛け孔４９５との位置関係を示す。
【０３４０】
＜回転演出部４０３ｂの出現＞
まず、第２装飾装置２３３において、回転演出部４０３ｂが退避位置ＰＢ１から演出位置ＰＢ２に向けて移動する場合について説明する。
【０３４１】
図１８（ａ）、図２１（ａ）に示すように、第２装飾装置２３３が退避状態にあり（回転演出部４０３ｂが退避位置ＰＢ１にあり）且つラック４９３が最下位置ＬＢ２にある場合、ロック機構がロック状態になっており、回転演出部４０３ｂが演出位置ＰＢ２に向けて移動することが規制されている。この場合、回動規制部材５１１がラック４９３に引っ掛かっていることで、バネ部材４５１の付勢力によりリンク部４０２，４０３が回動するということが抑止されており、回転演出部４０３ｂが表示画面７５ａの前方に出現しないようになっている。
【０３４２】
ここで、リンク駆動部４４２の駆動に伴って、第２軸部４０５が最下位置ＬＢ１から移動しない状態で、ラック４９３だけが最下位置ＬＢ２からロック解除位置ＬＢ３に移動するため、ロック機構によるロック解除とリンク部４０２，４０３の回動とが同時ではなく順番に行われることで、ロック解除後にリンク部４０２，４０３が急速に回動開始することになる。この場合、退避位置ＰＢ１から演出位置ＰＢ２に向けた回転演出部４０３ｂの移動が突然開始されるため、回転演出部４０３ｂを表示画面７５ａの前方に出現させることによる演出効果を高めることができる。
【０３４３】
これに対して、例えば、ラック４９３が最下位置ＬＢ２からロック解除位置ＬＢ３に移動する際に第２軸部４０５も押し上げるようになっている構成では、ロック解除を行いながらリンク部４０２，４０３がゆっくりと回動開始することになる。
【０３４４】
第２装飾装置２３３は、リンク駆動部４４２が正回転で駆動することで演出状態に移行する。ここで、リンク部４０２が駆動開始した場合、図２１（ｂ）に示すように、ラック４９３が最下位置ＬＢ２からロック解除位置ＬＢ３に移動することで、ラック４９３に対する回動規制部材５１１の引っ掛かりが解除され、ロック機構がロック解除状態に移行する。
【０３４５】
ロック機構がロック解除状態に移行した場合、回転演出部４０３ｂが演出位置ＰＢ２に移動する向きで第１リンク部４０２にバネ部材４５１の付勢力が付与される。また、ラック４９３は、ロック解除位置ＬＢ３を越えて上方に移動することで、第２軸部４０５を引っ掛け孔４９５の底面４９５ｂに引っ掛けた状態で押し上げ、その第２軸部４０５が最下位置ＬＢ１から上方に移動する。これらのことにより、バネ部材４５１の付勢力及びリンク駆動部４４２の駆動力の両方により、第１リンク部４０２及び第２リンク部４０３の回動が開始される。
【０３４６】
ここで、ラックセンサ４９７は、ラック４９３が最下位置ＬＢ２からロック解除位置ＬＢ３に達するまでは、ラック４９３の被検出部４９８を検出しており、ラック４９３がロック解除位置ＬＢ３よりも上方に移動した場合に、被検出部４９８を検出しない状態になる。このため、ラックセンサ４９７は、ラック４９３がロック解除位置ＬＢ３を越えて上方に移動したこと（ロック機構がロック解除状態に移行したこと）を検出することが可能であり、ラックセンサ４９７によりロック解除が検出された場合、演出駆動部４７５が駆動する。
【０３４７】
図１８（ｂ）に示すように、演出駆動部４７５が駆動することで、回転演出部４０３ｂが第２リンク部４０３の回動を加速させる向きで回動した場合、バネ部材４５１の付勢力及びリンク駆動部４４２の駆動力に回転演出部４０３ｂの回転力が加えられるため、例えば回転演出部４０３ｂが回転しない構成に比べて、回転演出部４０３ｂの移動速度（リンク部４０２，４０３の回動速度）が大きくなる。
【０３４８】
ここで、リンク駆動部４４２が駆動開始した後、ラックセンサ４９７によりロック解除が検出されてから演出駆動部４７５が駆動開始することで、回転演出部４０３ｂが退避位置ＰＢ１において回転するということを回避できる。遊技盤６０ａの背面側においては、回転演出部４０３ｂがゼロ角度で収納されることを想定したスペースが確保されており、例えば、回転演出部４０３ｂが退避位置ＰＢ１において回転した場合、回転演出部４０３ｂにおいて演出位置ＰＢ２とは反対側に向けて移動する下端部が、第２装飾装置２３３を挟んで中央開口７２とは反対側に配置された機器などに接触することが懸念される。これに対して、本実施形態では、リンク部４０２，４０３の回動が開始されることで、回転演出部４０３ｂが退避位置ＰＢ１から演出位置ＰＢ２に向けて移動した位置において回転開始するため、回転演出部４０３ｂが回転することで他の機器などに接触するということが回避される。これにより、回転演出部４０３ｂや他の機器などの破損や変形を抑制できる。
【０３４９】
そして、図１８（ｃ）に示すように、ラック４９３が最上位置ＨＢ２に到達した場合、そのラック４９３により押し上げられた第２軸部４０５も最上位置ＨＢ１に到達し、回転演出部４０３ｂが回転しながら演出位置ＰＢ２に移動したことになる。この場合、第２軸部４０５が本体案内部４１１の上昇ストッパ４１２（本体長孔４１１ａの天井面４１１ｂ）に引っ掛かることで、リンク部４０２，４０３の回動が停止し、それに伴って、回転演出部４０３ｂの移動が停止する。回転演出部４０３ｂが演出位置ＰＢ２にある場合、ラック４９３の引っ掛け孔４９５の天井面４９５ａは第２軸部４０５から上方に離間している。
【０３５０】
リンク駆動部４４２は、回転演出部４０３ｂが演出位置ＰＢ２に移動したことに伴って駆動停止する。リンク駆動部４４２が駆動停止した場合、バネ部材４５１の付勢力により第１リンク部４０２と本体部４０１との間の角度が小さくなる向き（回転演出部４０３ｂが退避位置ＰＢ１に移動する向き）で第１リンク部４０２が回動することが懸念される。これに対して、上述したように、回転演出部４０３ｂが演出位置ＰＢ２にある場合においては、第１リンク部４０２と第２リンク部４０３との交差角度（リンク角度β）が９０度より小さくなっていること、及び第２軸部４０５が上昇ストッパ４１２に引っ掛かっていることにより、バネ部材４５１の付勢力に抗して第１リンク部４０２の回動が阻止される。したがって、リンク駆動部４４２が駆動停止した状態でも、回転演出部４０３ｂが演出位置ＰＢ２にて位置保持される。
【０３５１】
＜回転演出部４０３ｂの収納＞
次に、回転演出部４０３ｂが演出位置ＰＢ２から退避位置ＰＢ１に戻る場合について説明する。
【０３５２】
第２装飾装置２３３は、リンク駆動部４４２が逆回転で駆動することで退避状態に移行する。リンク駆動部４４２が駆動開始した場合、ラック４９３が最上位置ＨＢ２から下方に向けて移動することで、図２２（ａ）に示すように、ラック４９３の引っ掛け孔４９５の天井面４９５ａが第２軸部４０５に上方から引っ掛かった状態になる。そして、ラック４９３が第２軸部４０５を引っ掛けた状態のまま下方に移動することで、図２２（ｂ）に示すように、ラック４９３により引き下げられた第２軸部４０５が最上位置ＨＢ１よりも下方に移動することになる。この場合、回転演出部４０３ｂが退避位置ＰＢ１に移動する向きで、バネ部材４５１の付勢力に抗してリンク部４０２，４０３が回動することになる。
【０３５３】
そして、図１８（ａ）に示すように、リンク駆動部４４２の駆動力により下降することで、ラック４９３がロック解除位置ＬＢ３を通過して最下位置ＬＢ２に到達した場合、リンク駆動部４４２が停止される。ここでは、ラックセンサ４９７によりラック４９３の被検出部４９８が検出されることで、ラック４９３が最下位置ＬＢ２に到達したことが検出される。
【０３５４】
ラック４９３が最下位置ＬＢ２に到達した場合、第２軸部４０５も最下位置ＬＢ１に到達しており、それに伴って、回転演出部４０３ｂも退避位置ＰＢ１に到達している。この場合、第２装飾装置２３３のロック機構は、回動規制部材５１１の規制引掛部５１５がラック４９３のラック受け部５２１に引っ掛かることでロック状態になっている。これにより、バネ部材４５１の付勢力に抗してリンク部４０２，４０３の回動が規制されている。
【０３５５】
演出駆動部４７５は、回転演出部４０３ｂを退避位置ＰＢ１に移動させる場合に、リンク駆動部４４２が逆回転での駆動を開始したことに合わせて、演出のための回転演出部４０３ｂの回転駆動を停止させ、第２リンク部４０３のリンク部本体４０３ａに対して回転演出部４０３ｂがゼロ角度となる向きで駆動する。この場合、第２装飾装置２３３においては、回転演出部４０３ｂを退避位置ＰＢ１に移動させる向きでリンク部４０２，４０３が回動しながら、回転演出部４０３ｂがゼロ角度となる向きで回転することになる。これにより、リンク部本体４０３ａに対して回転演出部４０３ｂがゼロ角度になった状態で、その回転演出部４０３ｂが退避位置ＰＢ１に到達することになる。
【０３５６】
＜第２装飾装置２３３の電気配線＞
第２装飾装置２３３は、複数の発光部（図示略）を有している。第２装飾装置２３３においては、発光部が回転演出部４０３ｂの移動に合わせて発光することで演出効果が高められている。発光部は、ＬＥＤ等の発光体と、その発光体が複数搭載された発光基板とを有しており、第２リンク部４０３に設けられている。第２リンク部４０３においては、回転演出部４０３ｂの前面部分が光透過性を有する部材により光透過部として形成されており、発光部は光透過部の背面側に配置されている。発光部が発光することで、例えば、骨を模した部分や文字が光った状態になる。
【０３５７】
発光部には電気配線が接続されており、その電気配線を通じて電源・発射制御装置１９１から発光基板に電力が供給される。電気配線は、リンク部４０２，４０３の回動や回転演出部４０３ｂの変形の支障にならない状態で、リンク部４０２，４０３の内部に敷設されている。第１軸部４０４及び第３軸部４０６においては、それぞれの軸線に重なる位置に配線通し孔が形成されており、電気配線は、本体部４０１の背面側から第１軸部４０４の配線通し孔を通じて第１リンク部４０２の内部に入り込み、第３軸部４０６の配線通し孔を通じて第２リンク部４０３の内部に入り込んだ状態になっている。
【０３５８】
第２リンク部４０３においては、演出駆動部４７５や演出センサ４８７にも電気配線が接続されている。これらの電気配線は、発光部用の電気配線と同様に、第１軸部４０４の配線通し孔を通じて第１リンク部４０２の内部に敷設されている一方で、第３軸部４０６の配線通し孔を通じてリンク部本体４０３ａの前面側に引き出されている。演出駆動部４７５には、リンク部本体４０３ａの前面側において電気配線が接続されており、演出センサ４８７には、電気配線が再びリンク部本体４０３ａの内部に引き込まれた部分において接続されている。
【０３５９】
＜電気的構成＞
次に、パチンコ機１０の電気的構成を図２３のブロック図に基づいて説明する。
【０３６０】
主制御装置１６２に設けられた主制御基板６０１には、ＭＰＵ６０２が搭載されている。ＭＰＵ６０２は、当該ＭＰＵ６０２により実行される各種の制御プログラムや固定値データを記憶したＲＯＭ６０３と、そのＲＯＭ６０３内に記憶される制御プログラムの実行に際して各種のデータ等を一時的に記憶するためのメモリであるＲＡＭ６０４と、割込回路、タイマ回路、データ入出力回路、乱数発生器としての各種カウンタ回路などが内蔵された素子である。なお、ＭＰＵ６０２が有する機能の一部、例えば、ＲＯＭ６０３の機能やＲＡＭ６０４の機能などを別の素子として有する構成としてもよい。
【０３６１】
ＭＰＵ６０２には、入力ポート及び出力ポートがそれぞれ設けられている。ＭＰＵ６０２の入力側には、主制御装置１６２に設けられた停電監視基板６０５、払出制御装置１８１、各種検知センサなどが接続されている。この場合に、停電監視基板６０５には電源・発射制御装置１９１が接続されており、ＭＰＵ６０２には停電監視基板６０５を介して電力が供給される。
【０３６２】
また、図示は省略するが、ＭＰＵ６０２には、各種検知センサの一部として、一般入賞口６１用の入賞検知センサ、上作動口６２用の入賞検知センサ、下作動口６３用の入賞検知センサ、可変入賞装置６４用の入賞検知センサ、スルーゲート６５用の入賞検知センサが接続されており、主制御装置１６２のＭＰＵ６０２において各入球部への入賞判定（入球判定）が行われる。また、ＭＰＵ６０２では、上作動口６２及び下作動口６３への入賞に基づいて大当たり発生抽選を実行するとともに、スルーゲート６５への入賞に基づいてサポート発生抽選を実行する。
【０３６３】
ＭＰＵ６０２の出力側には、停電監視基板６０５、払出制御装置１８１及び報知・演出制御装置１４３が接続されている。払出制御装置１８１には、例えば、上記入賞対応入球部への入賞判定結果に基づいて賞球コマンドが出力される。この場合、賞球コマンドの出力に際しては、ＲＯＭ６０３のコマンド情報記憶エリアが参照される。そして、一般入賞口６１への入賞を特定した場合には１０個の遊技球の払出に対応した賞球コマンドが出力され、可変入賞装置６４への入賞を特定した場合には１５個の遊技球の払出に対応した賞球コマンドが出力され、上作動口６２への入賞を特定した場合には３個の遊技球の払出に対応した賞球コマンドが出力され、下作動口６３への入賞を特定した場合には４個の遊技球の払出に対応した賞球コマンドが出力される。
【０３６４】
報知・演出制御装置１４３には、変動用コマンド、変動終了コマンド、オープニングコマンド及びエンディングコマンドなどの各種コマンドが出力される。この場合、これら各種コマンドの出力に際しては、ＲＯＭ６０３のコマンド情報記憶エリアが参照される。なお、上記各コマンドは、所定のバイト数の情報として構成されており、当該所定のバイト数の情報として各種情報が含まれている。特に、遊技回用のコマンドとしての変動用コマンドには、当該各種情報として、各遊技回の遊技結果の情報及び各遊技回の変動表示時間に関する情報に加えて、第１装飾装置２３２及び第２装飾装置２３３を動作させるか否かの情報が含まれている。
【０３６５】
また、ＭＰＵ６０２の出力側には、下作動口６３に付随した電動役物７１を駆動させる役物駆動部、可変入賞装置６４の開閉扉を駆動させる可変入球駆動部、及び主表示ユニット８１が接続されている。主制御基板６０１には各種ドライバ回路が設けられており、当該ドライバ回路を通じてＭＰＵ６０２は各種駆動部等の駆動制御を実行する。
【０３６６】
つまり、開閉実行モードにおいては可変入賞装置６４の大入賞口が開閉されるように、ＭＰＵ６０２において可変入賞装置６４における可変入球駆動部の駆動制御が実行される。また、下作動口６３の開放状態当選（サポート当選）となった場合には、電動役物７１が開閉されるように、ＭＰＵ６０２において電動役物７１の役物駆動部の駆動制御が実行される。また、各遊技回に際しては、ＭＰＵ６０２において主表示ユニット８１の表示制御が実行される。
【０３６７】
さらには、ＭＰＵ６０２の出力側には、外部端子板２１３が接続されている。外部端子板２１３には、状態移行に際して信号出力するための出力端子として、大当たり信号出力端子等が設けられている。ＭＰＵ６０２は、遊技結果が大当たり結果となった場合には、遊技ホール側の管理制御装置に対して、大当たり信号出力端子を通じて大当たり信号を出力することができる。具体的には、通常時では、大当たり信号出力端子からＬＯＷレベル信号が出力されており、大当たり結果となった場合にはＨＩレベル信号が出力される。なお、この信号の出力態様は逆でもよい。
【０３６８】
停電監視基板６０５は、主制御基板６０１と電源・発射制御装置１９１とを中継し、また電源・発射制御装置１９１から出力される最大電圧である直流安定２４ボルトの電圧を監視する。払出制御装置１８１は、主制御装置１６２から入力した賞球コマンドに基づいて、払出装置２２２により賞球や貸し球の払出制御を行うものである。
【０３６９】
電源・発射制御装置１９１は、例えば、遊技場等における商用電源（外部電源）に接続されている。そして、その商用電源から供給される外部電力に基づいて主制御基板６０１や払出制御装置１８１等に対して各々に必要な動作電力を生成するとともに、その生成した動作電力を所定の電力経路を通じて供給する。また、電源・発射制御装置１９１は、遊技球発射機構１１０の発射制御を担うものであり、遊技球発射機構１１０は所定の発射条件が整っている場合に駆動される。
【０３７０】
＜各種カウンタについて＞
次に、主制御装置１６２のＭＰＵ６０２にて各種抽選を行うための電気的な構成について図２４を用いて説明する。
【０３７１】
ＭＰＵ６０２は遊技に際し各種カウンタ情報を用いて、大当たりの発生抽選、主表示ユニット８１の表示の設定、図柄表示装置７５の図柄表示の設定などを行うこととしており、具体的には、図２４に示すように、大当たりの発生の抽選に使用する大当たり乱数カウンタＣ１と、大当たり種別を判定する際に使用する大当たり種別カウンタＣ２と、リーチ発生の有無及びその種別を振り分ける際に使用されるリーチ乱数カウンタＣ３と、大当たり乱数カウンタＣ１の初期値設定に使用する乱数初期値カウンタＣＩＮＩと、主表示ユニット８１及び図柄表示装置７５における変動表示時間を決定する変動種別カウンタＣＳを用いることとしている。さらに、下作動口６３の電動役物７１を電役開放状態とするか否かの抽選に使用する電動役物用カウンタＣ４を用いることとしている。
【０３７２】
各カウンタＣ１〜Ｃ４，ＣＩＮＩ，ＣＳは、その更新の都度前回値に１が加算され、最大値に達した後０に戻るループカウンタとなっている。各カウンタは短時間間隔で更新され、その更新値がＲＡＭ６０４の所定領域に設定された抽選カウンタ用バッファ６３１に適宜格納される。このうち抽選カウンタ用バッファ６３１において、大当たり乱数カウンタＣ１、大当たり種別カウンタＣ２及びリーチ乱数カウンタＣ３に対応した情報は、上作動口６２又は下作動口６３への入賞が発生した場合に、ＲＡＭ６０４に取得情報記憶手段として設けられた保留球格納エリア６３２に格納される。
【０３７３】
保留球格納エリア６３２は、第１結果表示部用保留エリアＲａ及び第２結果表示部用保留エリアＲｂからなる保留用エリアＲＥと、実行エリアＡＥとを備えている。保留エリアＲａ，Ｒｂは、第１エリアＲａ１，Ｒｂ１、第２エリアＲａ２，Ｒｂ２、第３エリアＲａ３，Ｒｂ３、第４エリアＲａ４，Ｒｂ４を備えており、上作動口６２又は下作動口６３への入賞履歴に合わせて、抽選カウンタ用バッファ６３１に格納されている大当たり乱数カウンタＣ１、大当たり種別カウンタＣ２及びリーチ乱数カウンタＣ３の各数値情報が保留情報として、いずれかのエリアＲａ１〜Ｒａ４，Ｒｂ１〜Ｒｂ４に格納される。なお、当該保留情報が特別情報に相当する。
【０３７４】
この場合、第１エリアＲａ１，Ｒｂ１〜第４エリアＲａ４，Ｒｂ４には、上作動口６２又は下作動口６３への入賞が複数回連続して発生した場合に、第１エリアＲａ１，Ｒｂ１→第２エリアＲａ２，Ｒｂ２→第３エリアＲａ３，Ｒｂ３→第４エリアＲａ４，Ｒｂ４の順に各数値情報が時系列的に格納されていく。このようにそれぞれ４つのエリアＲａ１〜Ｒａ４，Ｒｂ１〜Ｒｂ４が設けられていることにより、上作動口６２又は下作動口６３への遊技球の入賞履歴がそれぞれ最大４個まで保留記憶されるようになっている。また、保留球格納エリア６３２には総保留数記憶領域が設けられており、当該総保留数記憶領域には上作動口６２又は下作動口６３への入賞履歴を保留記憶している数を特定するための情報が格納される。
【０３７５】
なお、保留記憶可能な数は、４個に限定されることはなく任意であり、２個、３個又は５個以上といったように他の複数であってもよく、単数であってもよい。
【０３７６】
実行エリアＡＥは、主表示ユニット８１の変動表示を開始する際に、保留用エリアＲＥの第１エリアＲａ１，Ｒｂ１に格納された各数値情報を移動させるためのエリアであり、１遊技回の開始に際しては実行エリアＡＥに記憶されている各種数値情報に基づいて、当否判定などが行われる。
【０３７７】
各カウンタについて詳しくは、大当たり乱数カウンタＣ１は、例えば０〜５９９の範囲内で順に１ずつ加算され、最大値に達した後０に戻る構成となっている。特に大当たり乱数カウンタＣ１が１周した場合、その時点の乱数初期値カウンタＣＩＮＩの値が当該大当たり乱数カウンタＣ１の初期値として読み込まれる。なお、乱数初期値カウンタＣＩＮＩは、大当たり乱数カウンタＣ１と同様のループカウンタである（値＝０〜５９９）。大当たり乱数カウンタＣ１は定期的に更新され、遊技球が上作動口６２又は下作動口６３に入賞したタイミングでＲＡＭ６０４の保留球格納エリア６３２に格納される。より詳しくは、上作動口６２に遊技球が入賞したタイミングでＲＡＭ６０４の第１結果表示部用保留エリアＲａに格納され、下作動口６３に遊技球が入賞したタイミングでＲＡＭ６０４の第２結果表示部用保留エリアＲｂに格納される。
【０３７８】
大当たり当選となる乱数の値は、ＲＯＭ６０３における当否情報群記憶手段としての当否テーブル記憶エリア６２１に当否テーブル（当否情報群）として記憶されている。ここで、当否テーブルの内容について説明する。当否テーブルとしては、低確率モード用の当否テーブル（低確率用当否情報群）と、高確率モード用の当否テーブル（高確率用当否情報群）とが設定されている。つまり、本パチンコ機１０は、当否抽選手段における抽選モードとして、低確率モード（低確率状態）と高確率モード（高確率状態）とが設定されている。
【０３７９】
上記抽選に際して低確率モード用の当否テーブルが参照されることとなる遊技状態下では、大当たり当選となる乱数の値（すなわち、当選情報）は２個である。一方、上記抽選に際して高確率モード用の当否テーブルが参照されることとなる遊技状態下では大当たり当選となる乱数の値は２１個である。この場合、低確率モードである状況において大当たり当選となる大当たり乱数カウンタＣ１の値群は、高確率モードである状況において大当たり当選となる大当たり乱数カウンタＣ１の値群に含まれている。
【０３８０】
なお、低確率モードよりも高確率モードの方の当選確率が高くなるのであれば、上記当選となる乱数の数及び値は任意であり、また低確率モードである状況において大当たり当選となる大当たり乱数カウンタＣ１の値群が、高確率モードである状況において大当たり当選となる大当たり乱数カウンタＣ１の値群に一部のみが含まれている構成としてもよく、含まれていない構成としてもよい。
【０３８１】
各抽選モードにおいて、大当たり当選となる乱数の値以外は、抽選結果が外れ結果となる。
【０３８２】
次に、大当たり種別カウンタＣ２について説明する。大当たり種別カウンタＣ２は、０〜２９の範囲内で順に１ずつ加算され、最大値に達した後０に戻る構成となっている。大当たり種別カウンタＣ２は定期的に更新され、遊技球が上作動口６２又は下作動口６３に入賞したタイミングでＲＡＭ６０４の保留球格納エリア６３２に格納される。より詳しくは、上作動口６２に遊技球が入賞したタイミングでＲＡＭ６０４の第１結果表示部用保留エリアＲａに格納され、下作動口６３に遊技球が入賞したタイミングでＲＡＭ６０４の第２結果表示部用保留エリアＲｂに格納される。
【０３８３】
ここで、本パチンコ機１０では、（１）開閉実行モード終了後の当否抽選手段における当否抽選モード、（２）開閉実行モード終了後の下作動口６３の電動役物７１におけるサポートモード、という２つの条件に差異を設けることにより、複数種の大当たり結果が設定されている。当否抽選モードとしては、上述したとおり低確率モードと高確率モードとが設定されている。
【０３８４】
サポートモードとしては、遊技領域ＰＥに対して同様の態様で遊技球の発射が継続されている状況で比較した場合に、下作動口６３の電動役物７１が単位時間当たりに受入状態となる頻度が相対的に高低となるように、低頻度サポートモード（低頻度サポート状態又は低頻度ガイド状態）と高頻度サポートモード（高頻度サポート状態又は高頻度ガイド状態）とが設定されている。
【０３８５】
具体的には、低頻度サポートモードと高頻度サポートモードとでは、電動役物用カウンタＣ４を用いた電動役物用抽選における電役受入状態当選となる確率は同一（例えば、共に４／５）となっているが、高頻度サポートモードでは低頻度サポートモードよりも、電役受入状態当選となった際に電動役物７１が受入状態となる回数が多く設定されており、さらに１回の受入時間が長く設定されている。この場合、高頻度サポートモードにおいて電役受入状態当選となり電動役物７１の受入状態が複数回発生する場合において、１回の受入状態が終了してから次の受入状態が開始されるまでの待ち時間は、１回の受入時間よりも短く設定されている。さらにまた、高頻度サポートモードでは低頻度サポートモードよりも、１回の電動役物用抽選が行われてから次の電動役物用抽選が行われる上で最低限確保される確保時間が短く設定されている。
【０３８６】
上記のように高頻度サポートモードでは、低頻度サポートモードよりも下作動口６３への入賞が発生する確率が高くなる。換言すれば、低頻度サポートモードでは、下作動口６３よりも上作動口６２の入賞が発生する確率が高くなるが、高頻度サポートモードでは、上作動口６２よりも下作動口６３への入賞が発生する確率が高くなる。そして、下作動口６３への入賞が発生した場合には、所定個数の遊技球の払出が実行されるため、高頻度サポートモードでは、遊技者は持ち球をあまり減らさないようにしながら遊技を行うことができる。
【０３８７】
なお、高頻度サポートモードを低頻度サポートモードよりも単位時間当たりに電役受入状態となる頻度を高くする上での構成は、上記のものに限定されることはなく、例えば電動役物用抽選における電役受入状態当選となる確率を高くする構成としてもよい。さらには、受入状態への切替回数を多くする、受入時間を長くする、１回の電動役物用抽選が行われてから次の電動役物用抽選が行われる上で最低限確保される確保時間を短くする（すなわち、役物用結果表示部における１回の変動表示時間を短くする）及び当選確率を高くするのうち、いずれか１条件又は任意の組み合わせの条件を適用することで、低頻度サポートモードに対する高頻度サポートモードの有利性を高めてもよい。
【０３８８】
大当たり種別カウンタＣ２に対する遊技結果の振分先は、ＲＯＭ６０３における振分情報群記憶手段としての振分テーブル記憶エリアに振分テーブル（振分情報群）として記憶されている。そして、かかる振分先として、通常大当たり結果（低確率対応特別遊技結果）と、確変大当たり結果（高確率対応特別遊技結果）とが設定されている。
【０３８９】
通常大当たり結果は、開閉実行モードの終了後に、当否抽選モードが低確率モードとなるとともに、サポートモードが移行後において遊技回数が終了基準回数（具体的には、１００回）となるまで高頻度サポートモードとなる大当たり結果である。なお、終了基準回数が経過した後に、低頻度サポートモードに移行する。
【０３９０】
確変大当たり結果は、開閉実行モードの終了後に、当否抽選モードが高確率モードとなるとともに、サポートモードが高頻度サポートモードとなる大当たり結果である。当該高頻度サポートモードは、当否抽選における抽選結果が大当たり状態当選となり、それによる開閉実行モードに移行するまで継続する。
【０３９１】
振分テーブルにおいて、「０〜９」が通常大当たり結果に対応しており、「１０〜２９」が確変大当たり結果に対応しているが、この数値の振分は任意である。また、大当たり結果の振分先は、上記の２種類に限定されることはなく、例えば、開閉実行モードにおいて遊技球の獲得期待値が高低となるように複数のモードを設定し、当該開閉実行モードの移行先のモードに差異を設けることで大当たり結果の種別を上記の２種類よりも増やす構成としてもよい。
【０３９２】
リーチ乱数カウンタＣ３は、例えば０〜２３８の範囲内で順に１ずつ加算され、最大値に達した後０に戻る構成となっている。ここで、本パチンコ機１０には、図柄表示装置７５における表示演出の一種として期待演出が設定されている。期待演出とは、可変入賞装置６４が開閉実行モードとなる遊技回では変動表示後の停止結果が付与対応結果となる遊技機において、図柄表示装置７５における図柄（絵柄）の変動表示が開始されてから停止結果が導出表示される前段階で、前記付与対応結果となり易い変動表示状態であると遊技者に思わせるための表示状態をいう。
【０３９３】
期待演出には、リーチ表示と、当該リーチ表示が発生する前段階などにおいてリーチ表示の発生や付与対応結果の発生を期待させるための予告表示との２種類が設定されている。
【０３９４】
リーチ表示には、図柄表示装置７５の表示画面７５ａに表示される複数の図柄列のうち一部の図柄列について図柄を停止表示させることで、リーチ図柄の組み合わせを表示し、その状態で残りの図柄列において図柄の変動表示を行う表示状態が含まれる。また、上記のようにリーチ図柄の組み合わせを表示した状態で、残りの図柄列において図柄の変動表示を行うとともに、その背景画面において所定のキャラクタなどを動画として表示することによりリーチ演出を行うものや、リーチ図柄の組み合わせを縮小表示させる又は非表示とした上で、表示画面の略全体において所定のキャラクタなどを動画として表示することによりリーチ演出を行うものが含まれる。
【０３９５】
予告表示には、図柄表示装置７５の表示画面７５ａにおいて図柄の変動表示が開始されてから、全ての図柄列にて図柄が変動表示されている状況において、又は一部の図柄列であって複数の図柄列にて図柄が変動表示されている状況において、図柄列上の図柄とは別にキャラクタを表示させる態様が含まれる。また、背景画面をそれまでの態様とは異なる所定の態様とするものや、図柄列上の図柄をそれまでの態様とは異なる所定の態様とするものも含まれる。かかる予告表示は、リーチ表示が行われる場合及びリーチ表示が行われない場合のいずれの遊技回においても発生し得るが、リーチ表示の行われる場合の方がリーチ表示の行われない場合よりも高確率で発生するように設定されている。
【０３９６】
リーチ表示は、開閉実行モードに移行する遊技回では、リーチ乱数カウンタＣ３の値に関係なく実行される。また、開閉実行モードに移行しない遊技回では、ＲＯＭ６０３のリーチ用テーブル記憶エリアに記憶されたリーチ用テーブルを参照して、所定のタイミングで取得したリーチ乱数カウンタＣ３がリーチ表示の発生に対応している場合に実行される。一方、予告表示を行うか否かの決定は、主制御装置１６２において行うのではなく、報知・演出制御装置１４３又は表示制御装置１７０において行われる。
【０３９７】
変動種別カウンタＣＳは、例えば０〜１９８の範囲内で順に１ずつ加算され、最大値に達した後０に戻る構成となっている。変動種別カウンタＣＳは、主表示ユニット８１における変動表示時間と、図柄表示装置７５における図柄の変動表示時間とをＭＰＵ６０２において決定する上で用いられる。変動種別カウンタＣＳは、後述する通常処理が１回実行される毎に１回更新され、当該通常処理内の残余時間内でも繰り返し更新される。そして、主表示ユニット８１における変動表示の開始時及び図柄表示装置７５による図柄の変動開始時における変動パターン決定に際して変動種別カウンタＣＳのバッファ値が取得される。
【０３９８】
電動役物用カウンタＣ４は、例えば、０〜２４９の範囲内で順に１ずつ加算され、最大値に達した後０に戻る構成となっている。電動役物用カウンタＣ４は定期的に更新され、スルーゲート６５に遊技球が入賞したタイミングでＲＡＭ６０４の電役保留エリア６３３に格納される。そして、所定のタイミングにおいて、その格納された電動役物用カウンタＣ４の値によって下作動口６３の電動役物７１を受入状態に制御するか否かの抽選が行われる。例えば、Ｃ３＝０〜１９９であれば、電動役物７１を受入状態に制御し、Ｃ３＝２００〜２４９であれば、電動役物７１を受入状態に制御しない。
【０３９９】
既に説明したように、ＭＰＵ６０２では、少なくとも変動種別カウンタＣＳのバッファ値を用いて、主表示ユニット８１における変動表示時間が決定されるが、その決定に際してはＲＯＭ６０３の変動表示時間テーブル記憶エリアが用いられる。また、ＭＰＵ６０２では、実行エリアＡＥに格納されている大当たり乱数カウンタＣ１の値及び大当たり種別カウンタＣ２の値を用いて、主表示ユニット８１における停止結果が決定されるが、その決定に際してはＲＯＭ６０３の停止結果テーブル記憶エリアが用いられる。
【０４００】
＜報知・演出制御装置１４３及び表示制御装置１７０の電気的構成について＞
再び図２３のブロック図を参照して、報知・演出制御装置１４３及び表示制御装置１７０の電気的構成について説明する。
【０４０１】
報知・演出制御装置１４３は、主制御装置１６２から入力した各種コマンドに基づいて前扉枠１４に設けられたランプ部２６〜２８やスピーカ部２９を制御するものである。
【０４０２】
報知・演出制御装置１４３はＭＰＵ６５２が搭載された音声ランプ制御基板６５１を有してなり、ＭＰＵ６５２には各種制御プログラムや固定値データを記憶したＲＯＭ６５３、そのＲＯＭ６５３内に記憶される制御プログラムの実行に際して各種データを一時的に記憶するためのメモリであるＲＡＭ６５４が内蔵されている。
【０４０３】
ＭＰＵ６５２には、入力ポート及び出力ポートがそれぞれ設けられている。ＭＰＵ６５２の入力側には、主制御装置１６２が接続されており、主制御装置１６２からの各種コマンドを受信する。ＭＰＵ６５２の出力側には、前扉枠１４に設けられた各種ランプ部２６〜２８やスピーカ部２９が接続されているとともに表示制御装置１７０が接続されている。
【０４０４】
表示制御装置１７０は、ＭＰＵ７０２が搭載された表示制御基板７０１を有してなり、そのＭＰＵ７０２には、各種の制御プログラムや固定値データを記憶したプログラムＲＯＭや、そのプログラムＲＯＭ内に記憶される制御プログラムの実行に際して各種のデータ等を一時的に記憶するためのメモリであるワークＲＡＭなどが内蔵されている。
【０４０５】
表示制御基板７０１には、図柄表示装置７５と、第１装飾装置２３２の駆動部２８１，２８２と、第２装飾装置２３３の駆動部４４２，４７５が接続されている。表示制御装置１７０のＭＰＵ７０２は、報知・演出制御装置１４３から入力したコマンドに基づいて、図柄表示装置７５の表示制御や、駆動部２８１，２８２，４４２，４７５の駆動制御を行う。この場合、ＭＰＵ７０２は、駆動部２８１，２８２，４４２，４７５に対して指令信号を出力する。なお、表示制御装置１７０では、主制御装置１６２から入力した各種コマンドに基づいて、図柄表示装置７５における図柄の変動表示時間及び最終的に停止表示させる図柄の組み合わせの種類を決定するとともに、リーチ発生の有無及びリーチ演出の内容を決定する。
【０４０６】
また、ＭＰＵ７０２では、主制御装置１６２から入力した変動用コマンドに基づいて、各遊技回において第１装飾装置２３２及び第２装飾装置２３３が特別演出を実行するタイミングを決定する。具体的には、ＭＰＵ７０２のワークＲＡＭに格納されている各特別演出タイミング判定用カウンタの値を参照して、いずれかの特別演出を開始するタイミングであるか否かを判定する。
【０４０７】
特別演出としては、第１装飾装置２３２を動作させる第１特別演出と、第２装飾装置２３３を動作させる第２特別演出とがある。第１特別演出は、第１装飾装置２３２の移動演出部２４３ｂを退避位置ＰＡ１から演出位置ＰＡ２に移動させることで、犬の顔を模した移動演出部２４３ｂを表示画面７５ａの前方に出現させるものである。第２特別演出は、第２装飾装置２３３の回転演出部４０３ｂを退避位置ＰＢ１から演出位置ＰＢ２に移動させることで、骨を模した回転演出部４０３ｂを表示画面７５ａの前方に回転させながら出現させるものである。
【０４０８】
第１特別演出及び第２特別演出は、その実行タイミングが一の遊技回中においてランダムとなっている。例えば、図柄表示装置７５の表示画面７５ａにおいて各図柄の変動表示を開始してから当該変動表示を終了するまでの間のいずれかのタイミングや、図柄表示装置７５の表示画面７５ａにおいてリーチ表示を開始してから当該リーチ表示を終了するまでの期間中などにおいて行われる。
【０４０９】
第１特別演出及び第２特別演出は、それぞれ単独で実行されることもあれば、重なったタイミングで実行されることもある。これら特別演出のいずれが実行されるかによって、各遊技回においていずれかの大当たり結果となる期待度が異なっている。例えば、第２特別演出→第１特別演出→第１特別演出及び第２特別演出の両演出の順で期待度が高く設定されている。この場合、第２特別演出が行われる場合が最も期待度が低く、第１特別演出及び第２特別演出の両方が行われる場合が最も期待度が高くなっている。
【０４１０】
また、表示制御装置１７０には、第１装飾装置２３２のアームセンサ３２５及びラックセンサ３３７と、第２装飾装置２３３の演出センサ４８７及びラックセンサ４９７とが接続されており、これらセンサ３２５，３３７，４８７，４９７は検出信号をＭＰＵ７０２に対して出力する。ＭＰＵ７０２は、アームセンサ３２５及びラックセンサ３３７の検出信号に基づいて、第１装飾装置２３２の状態判定や、第１駆動部２８１及び第２駆動部２８２への指令信号の設定を行う。また、演出センサ４８７及びラックセンサ４９７の検出信号に基づいて、第２装飾装置２３３の状態判定や、リンク駆動部４４２及び演出駆動部４７５への指令信号の設定を行う。
【０４１１】
＜特別演出処理＞
表示制御装置１７０のＭＰＵ７０２は、特別演出処理を実行することで第１装飾装置２３２及び第２装飾装置２３３のそれぞれに第１特別演出及び第２特別演出を行わせる。ここでは、演出処理について、図２５、図２６のフローチャートを参照しつつ説明する。図２５は、表示制御装置１７０が実行する演出処理を示すフローチャート、図２６は、第２装飾装置２３３の動作処理を示すフローチャートである。なお、ＭＰＵ７０２は、特別演出処理を所定周期（例えば２ｍｓｅｃ）で繰り返し実行する。
【０４１２】
図２５において、ステップＳ１０１では、第１装飾装置２３２による第１特別演出を実行するか否かを判定する。ここでは、特別演出タイミング判定用カウンタの値に基づいて、第１特別演出を実行するタイミングであるか否かを判定する。なお、第１装飾装置２３２が退避状態にあるか否かの判定をあらかじめ行っておき、退避状態にある場合に第１特別演出を実行するか否かの判定を行う。ちなみに、第１装飾装置２３２が退避状態にあるか否かの判定としては、中間アーム２６１が縮み状態にあるか否かの判定が挙げられ、この判定は、アームセンサ３２５の検出信号に基づいて行う。
【０４１３】
第１特別演出を実行する場合、ステップＳ１０２に進み、第１駆動部２８１及び第２駆動部２８２をそれぞれ正回転で駆動開始させる。ここでは、第１駆動部２８１及び第２駆動部２８２の両方に対して指令信号を出力することでこれら駆動部２８１，２８２の駆動が同時に開始されることになる。これにより、第１装飾装置２３２においては、移動演出部２４３ｂが演出位置ＰＡ２に移動する向きで第１リンク部２４２及び第２リンク部２４３が回動する。この場合、中間アーム２６１が縮み状態から伸び状態に向けて延びている。
【０４１４】
Ｓ１０３では、中間アーム２６１が折れ状態に移行したか否かを判定する。ここでは、第１駆動部２８１の回転角度が折れ角度に達したか否かを判定し、折れ角度に達した場合に、中間アーム２６１が折れ状態に移行したとする。なお、第２アーム部２６５に対する第１アーム部２６４の角度や、本体部２４１に対する第２アーム部２６５の角度、第１リンク部２４２に対する第１アーム部２６４の角度を検出するセンサが設けられていれば、このセンサの検出信号に基づいて、中間アーム２６１が折れ状態に移行したか否かを判定してもよい。例えば、センサの検出信号に基づいて、第２アーム部２６５に対する第１アーム部２６４の角度が所定角度よりも小さくなったか否かを判定し、小さくなった場合に、中間アーム２６１が折れ状態に移行したと判定する。
【０４１５】
中間アーム２６１が折れ状態に移行した場合、ステップＳ１０４に進み、第１駆動部２８１の駆動を停止させる。これにより、例えば第１駆動部２８１及び第２駆動部２８２の両方が、移動演出部２４３ｂが演出位置ＰＡ２に到達するまで継続して駆動する構成に比べて、省エネルギ化を図ることができる。ここで、なお、中間アーム２６１が折れ状態に移行した場合の移動演出部２４３ｂの位置が駆動停止位置に相当する。
【０４１６】
なお、中間アーム２６１は、第１駆動部２８１の駆動が停止された後でも、第２駆動部２８２の駆動力により回動する第１リンク部２４２により引っ張られる状態で伸び状態に移行する。この場合、第１駆動部２８１も中間アーム２６１の第１アーム部２６４の回動に合わせて回転するため、移動演出部２４３ｂが演出位置ＰＡ２に移動することで、第１駆動部２８１の回転角度が演出角度に到達することになる。また、中間アーム２６１が折れ状態に移行していない場合、移行するまで本特別演出処理を繰り返し実行する。
【０４１７】
ステップＳ１０５では、移動演出部２４３ｂが演出位置ＰＡ２に到達したか否かを判定する。ここでは、第２駆動部２８２の回転角度が演出角度に達したか否かを判定し、演出角度に達した場合に、移動演出部２４３ｂが演出位置ＰＡ２に到達したとする。この場合、第２軸部２４５及びラック３３３は、それぞれ最上位置ＨＡ１，ＨＡ２に移動した状態になっている。なお、本体部２４１に対する第１リンク部２４２の角度や、第２軸部２４５が最上位置ＨＡ１に移動したことを検出するセンサが設けられていれば、このセンサの検出信号に基づいて、移動演出部２４３ｂが演出位置ＰＡ２に移動したか否かの判定を行ってもよい。例えば、センサの検出信号に基づいて、第２軸部２４５が最上位置ＨＡ１に移動したか否かを判定し、移動した場合に、移動演出部２４３ｂが演出位置ＰＡ２に到達したと判定する。
【０４１８】
移動演出部２４３ｂが演出位置ＰＡ２に到達した場合、ステップＳ１０６に進み、第２駆動部２８２の駆動を停止させる。この場合、第１装飾装置２３２が演出状態に移行し、第１特別演出を実行していることになる。なお、移動演出部２４３ｂが演出位置ＰＡ２に到達していない場合、到達するまで本特別演出処理を繰り返し実行する。
【０４１９】
そして、ステップＳ１０７では、第１特別演出を終了するか否かを判定する。ここでは、特別演出タイミング判定用カウンタの値に基づいて、第１特別演出を終了するタイミングであるか否かを判定する。なお、第１装飾装置２３２が演出状態にあるか否かの判定をあらかじめ行っておき、演出状態にある場合に第１特別演出を終了するか否かの判定を行う。
【０４２０】
第１特別演出を終了する場合、ステップＳ１０８に進み、第２駆動部２８２を逆回転で駆動させる。この場合、第１装飾装置２３２においては、ラック３３３が最上位置ＨＡ２から下方に移動し、それに伴って、第２軸部２４５も最上位置ＨＡ１から下方に移動する。これにより、移動演出部２４３ｂが退避位置ＰＡ１に移動する向きで第１リンク部２４２及び第２リンク部２４３が回動する。
【０４２１】
ステップＳ１０９では、ラックセンサ３３７の検出信号に基づいて、ラック３３３が最下位置ＬＡ２に到達したか否かを判定する。なお、第２駆動部２８２の回転軸部の回転角度（駆動角度）に基づいて、ラック３３３が最下位置に到達したか否かを判定してもよい。例えば、移動演出部２４３ｂを演出位置ＰＡ２に移動させる前の状態（ラック３３３が最下位置ＬＡ２にある状態）における第２駆動部２８２の回転軸部の角度を基準角度として、第２駆動部２８２の駆動角度が基準角度に戻ったか否かを判定し、戻った場合に、ラック３３３が最下位置ＬＡ２にあると判定する。
【０４２２】
ラック３３３が最下位置ＬＡ２に到達した場合、ステップＳ１１０にて、第２駆動部２８２の駆動を停止させ、ステップＳ１１１にて、第１駆動部２８１を駆動させる。この場合、第１駆動部２８１の駆動に伴って中間アーム２６１が縮むため、第２駆動部２８２の駆動が停止しても、移動演出部２４３ｂが退避位置ＰＡ１に移動する向きでのリンク部４０２，４０３の回動が継続して行われる。なお、ラック３３３が最下位置ＬＡ２に到達していない場合、到達するまで本特別演出処理を繰り返し実行する。
【０４２３】
ステップＳ１１２では、移動演出部２４３ｂが退避位置ＰＡ１に到達したか否かを判定する。ここでは、上述したように、アームセンサ３２５の検出信号に基づいて、中間アーム２６１が縮み状態にあるか否かの判定を行い、中間アーム２６１が縮み状態にある場合に、移動演出部２４３ｂが退避位置ＰＡ１に到達したと判定する。なお、第１駆動部２８１の駆動角度に基づいて、移動演出部２４３ｂが退避位置ＰＡ１に到達したか否かを判定してもよい。例えば、移動演出部２４３ｂを演出位置ＰＡ２に移動させる前の状態（第２軸部２４５が最下位置ＬＡ１にある状態）における第１駆動部２８１の回転軸部の角度を基準角度として、第１駆動部２８１の駆動角度が基準角度に戻ったか否かを判定し、戻った場合に、移動演出部２４３ｂが退避位置ＰＡ１にあると判定する。
【０４２４】
移動演出部２４３ｂが退避位置ＰＡ１に移動した場合、ステップＳ１１３に進み、第１駆動部２８１の駆動を停止させる。この場合、第１装飾装置２３２が退避状態に移行し、第１特別演出を終了させたことになる。なお、移動演出部２４３ｂが退避位置ＰＡ１に到達していない場合、到達するまで本特別演出処理を繰り返し実行する。
【０４２５】
ステップＳ１１４では、第２装飾装置２３３の動作処理を実行する。第２装飾装置２３３の動作処理については、図２６を参照しつつ説明する。
【０４２６】
図２６において、ステップＳ２０１では、第２装飾装置２３３による第２特別演出を実行するか否かを判定する。ここでは、特別演出タイミング判定用カウンタの値に基づいて、第２特別演出を実行するタイミングであるか否かを判定する。なお、第２装飾装置２３３が退避状態にあるか否かの判定をあらかじめ行っておき、退避状態にある場合に第２特別演出を実行するか否かの判定を行う。ちなみに、第２装飾装置２３３が退避状態にあるか否かの判定としては、ラック４９３が最下位置ＬＢ２にあり且つ回転演出部４０３ｂがゼロ角度にあるか否かの判定が挙げられる。ラック４９３が最下位置ＬＢ２にあるか否かの判定は、ラックセンサ４９７の検出信号に基づいて行い、回転演出部４０３ｂがゼロ角度にあるか否かの判定は、演出センサ４８７の検出信号に基づいて行う。
【０４２７】
第２特別演出を行う場合、ステップＳ２０２に進み、リンク駆動部４４２を正回転で駆動させる。これにより、第２装飾装置２３３においては、ラック４９３が最下位置ＬＢ２から上方に向けて移動する。
【０４２８】
ステップＳ２０３では、ロック機構による第１リンク部４０２及び第２リンク部４０３の回動規制が解除されたか否かを判定する。ここでは、ラックセンサ４９７の検出信号に基づいて、ラック４９３がロック解除位置ＬＢ３を通過して上方に移動したか否かを判定し、ロック解除位置ＬＢ３を通過している場合に、回動規制が解除されたと判定する。なお、リンク駆動部４４２の駆動角度に基づいて、ロック機構による回動規制が解除されたか否かを判定してもよい。例えば、回転演出部４０３ｂを演出位置ＰＢ２から退避位置ＰＢ１に移動させた場合のリンク駆動部４４２の回転軸部の角度を基準角度として、その基準角度に対する駆動角度が所定角度に達した場合に、ラック３３３がロック解除位置ＬＢ３に到達したとして、ロック機構による回動規制が解除されたと判定する。
【０４２９】
回動規制が解除された場合、ステップＳ２０４に進み、演出駆動部４７５を正回転で駆動開始させる。この場合、リンク駆動部４４２の駆動力に加えて演出駆動部４７５の回転力がリンク部４０２，４０３に付与されるため、これらリンク部４０２，４０３の回動が加速される。なお、回動規制が解除されていない場合、解除されるまで本動作処理を繰り返し実行する。
【０４３０】
ステップＳ２０５では、回転演出部４０３ｂが演出位置ＰＢ２に到達したか否かを判定する。ここでは、リンク駆動部４４２の回転角度が演出角度に達したか否かを判定し、演出角度に達した場合に、回転演出部４０３ｂが演出位置ＰＢ２に到達したとする。この場合、第２軸部４０５及びラック４９３は、それぞれ最上位置ＨＢ１，ＨＢ２に移動した状態になっている。なお、本体部４０１に対する第１リンク部４０２の角度や、第２軸部４０５が最上位置ＨＢ１に移動したことを検出するセンサが設けられていれば、このセンサの検出信号に基づいて、回転演出部４０３ｂが演出位置ＰＢ２に移動したか否かの判定を行ってもよい。例えば、センサの検出信号に基づいて、第２軸部４０５が最上位置ＨＢ１に移動したか否かを判定し、移動した場合に、回転演出部４０３ｂが演出位置ＰＢ２に到達したと判定する。
【０４３１】
回転演出部４０３ｂが演出位置ＰＢ２に到達した場合、ステップＳ２０６に進み、リンク駆動部４４２の駆動を停止させる。この場合、第２装飾装置２３３が演出状態に移行し、第２特別演出を実行していることになる。また、回転演出部４０３ｂが演出位置ＰＢ２に移動した後は、演出駆動部４７５を、演出効果を高める態様で回転演出部４０３ｂが回転するように駆動させる。演出効果を高める態様としては、例えば、正回転と逆回転とを交互に行うことや、駆動速度を不規則に変化させることなどが挙げられる。なお、回転演出部４０３ｂが演出位置ＰＢ２に到達していない場合、到達するまで本動作処理を繰り返し実行する。
【０４３２】
そして、ステップＳ２０７では、第２特別演出を終了するか否かを判定する。ここでは、特別演出タイミング判定用カウンタの値に基づいて、第２特別演出を終了するタイミングであるか否かを判定する。なお、第２装飾装置２３３が演出状態にあるか否かの判定をあらかじめ行っておき、演出状態にある場合に第２特別演出を終了するか否かの判定を行う。
【０４３３】
第２特別演出を終了する場合、ステップＳ２０８に進み、リンク駆動部４４２を逆回転で駆動させ、且つ回転演出部４０３ｂがゼロ角度になる向きで演出駆動部４７５を駆動させる。この場合、第２装飾装置２３３においては、ラック４９３が最上位置ＨＢ２から下方に移動し、それに伴って、第２軸部４０５も最上位置ＨＢ１から下方に移動する。これにより、回転演出部４０３ｂが退避位置ＰＢ１に移動する向きで第１リンク部４０２及び第２リンク部４０３が回動する。なお、演出駆動部４７５については、正回転及び逆回転のいずれが、回転演出部４０３ｂをゼロ角度に移行させるのに要する回転角度が小さいかを判定し、所要回転角度が小さい方の向きで演出駆動部４７５を回転させる。
【０４３４】
ステップＳ２０９では、演出センサ４８７の検出信号に基づいて、回転演出部４０３ｂがゼロ角度に移行したか否かを判定する。なお、演出駆動部４７５の回動角度に基づいて、回転演出部４０３ｂがゼロ角度にあるか否かを判定してもよい。例えば、回転演出部４０３ｂが退避位置ＰＢ１にあり且つ回転開始する前の状態（演出駆動部４７５を駆動させる前の状態）における演出駆動部４７５の回転軸部の角度を基準角度として、演出駆動部４７５の駆動角度が基準角度に戻ったか否かを判定し、戻った場合に、回転演出部４０３ｂがゼロ角度に移行したと判定する。
【０４３５】
回転演出部４０３ｂがゼロ角度に移行した場合、ステップＳ２１０に進み、演出駆動部４７５の駆動を停止させる。なお、回転演出部４０３ｂがゼロ角度に移行していない場合、到達するまで本動作処理を繰り返し実行する。
【０４３６】
ステップＳ２１１では、回転演出部４０３ｂが退避位置ＰＢ１に到達したか否かを判定する。ここでは、上述したように、ラックセンサ４９７の検出信号に基づいて、ラック４９３が最下位置ＬＢ２にあるか否かの判定を行い、さらに、回転演出部４０３ｂが演出位置ＰＢ２から移動開始した後のリンク駆動部４４２の回転角度が演出角度に達したか否かの判定を行う。そして、ラック４９３が最下位置ＬＢ２にあり、且つリンク駆動部４４２の回転角度が演出角度に達した場合に、回転演出部４０３ｂが退避位置ＰＢ１に到達したと判定する。これにより、ラック４９３がロック解除位置ＬＢ３よりも低い位置にあれば、ラックセンサ４９７によりラック４９３の被検出部４９８が検出されるという構成であっても、ラック４９３が最下位置ＬＢ２に移動したことについての判定の正確性を高めることができる。
【０４３７】
なお、ラック４９３が最下位置ＬＢ２にあることと、ロック解除位置ＬＢ３にあることとを個別に検出するセンサが設けられていれば、このセンサの検出信号に基づいて、回転演出部４０３ｂが退避位置ＰＢ１に到達したか否かの判定を行ってもよい。例えば、センサの検出信号に基づいて、ラック４９３が最下位置ＬＢ２に移動したか否かを判定し、ラック４９３が最下位置ＬＢ２に移動した場合に、リンク駆動部４４２の回動角度に関する判定を行うことなく、回転演出部４０３ｂが退避位置ＰＢ１に到達したと判定する。
【０４３８】
回転演出部４０３ｂが退避位置ＰＢ１に移動した場合、ステップＳ２１２に進み、リンク駆動部４４２の駆動を停止させる。この場合、第２装飾装置２３３が退避状態に移行し、第２特別演出を終了させたことになる。なお、回転演出部４０３ｂが退避位置ＰＢ１に到達していない場合、到達するまで本動作処理を繰り返し実行する。
【０４３９】
以上詳述した本実施の形態によれば、以下の優れた効果を奏する。
【０４４０】
＜第１装飾装置２３２の第１駆動部２８１及び第２駆動部２８２について＞
第１装飾装置２３２が本体部２４１及びリンク部２４２，２４３を含むリンク機構を有しているため、移動演出部２４３ｂの移動範囲を拡張することや、移動演出部２４３ｂの動作態様を多様化させることが可能になる。このため、移動演出部２４３ｂを演出位置ＰＡ２に移動させることでその移動演出部２４３ｂに対する注目度を高めることができる。
【０４４１】
第１リンク部２４２及び第２リンク部２４３に対して第１駆動部２８１及び第２駆動部２８２が個別に設けられているため、リンク部２４２，２４３のそれぞれの動作態様などに合わせて個別に選択したモータ等を駆動部２８１，２８２としてそれぞれ設定することができる。このため、第１駆動部２８１として定格トルクが極力大きいモータ等を選択し、第２駆動部２８２として定格速度が極力大きいモータ等を選択することが可能となる。これにより、コスト負担の低減を目的として、専用品ではなく汎用品のモータ等を駆動部２８１，２８２として選択しても、リンク機構に付与される駆動力について、そのリンク機構を動作させるために必要なトルクを確保しつつ、移動演出部２４３ｂを演出位置ＰＡ２に素早く移動させるために必要な最高速度を確保することができる。したがって、第１装飾装置２３２の演出に対する注目度を好適に向上させることができる。
【０４４２】
定格トルクについては、第１駆動部２８１の方が第２駆動部２８２よりも大きくされ、定格速度については、第２駆動部２８２の方が第１駆動部２８１よりも大きくされているため、リンク部２４２，２４３の回動について、第１駆動部２８１の駆動力により加速を速やかに行い、第２駆動部２８２により最高速度を大きくすることができる。この場合、第１駆動部２８１と第２駆動部２８２とが異なる役割を果たせばよいため、汎用品のモータ等を駆動部２８１，２８２として選択することができる。
【０４４３】
第１特別演出が実行される場合に、第１駆動部２８１及び第２駆動部２８２がそれぞれ駆動されるため、第１駆動部２８１の方が駆動速度が大きい期間を、第２駆動部２８２を加速させるための期間として利用することができる。したがって、駆動部２８１，２８２について都度の駆動速度が大きい方の駆動力を選択的に利用して、リンク部２４２，２４３の回動速度を速くすることができる。
【０４４４】
第１特別演出の実行に際して、第２駆動部２８２の駆動に伴って移動するラック３３３が、第１駆動部２８１の駆動に伴って移動する第２軸部２４５に追い付いた後、第１駆動部２８１の駆動が停止されるため、第１駆動部２８１が発電ブレーキの役割を果たしてしまうことを回避できる。
【０４４５】
第２駆動部２８２の回転軸部の演出角度が第１駆動部２８１の回転軸部の演出角度よりも大きいため、第２駆動部２８２の駆動速度が定格速度に到達するのに必要な回転確保を確保しやすくなる。この場合、移動演出部２４３ｂを演出位置ＰＡ２まで移動させる際に、第２駆動部２８２が有する性能の最大値が発揮されるため、リンク部２４２，２４３の回動速度を速くすることができる。
【０４４６】
第１特別演出の終了に際して、第２駆動部２８２の駆動開始及び停止が行われた後に、第１駆動部２８１の駆動開始及び停止が行われるため、電力消費のピーク値を抑えることができる。これは、本パチンコ機１０を複数設置している遊技ホール等において、電力設備の保全に関して有効である。
【０４４７】
ラック３３３に引っ掛け孔３３５が形成されていることで、第２軸部２４５がラック３３３に対して相対的に移動可能になっているため、第１駆動部２８１と第２駆動部２８２とで駆動速度が相違することを、第２軸部２４５とラック３３３との間で許容することができる。このため、第２軸部２４５がラック３３３に対して相対移動できない構成とは異なり、第１特別演出を開始した際に、第１駆動部２８１の駆動に伴うラック３３３の移動速度が、第２駆動部２８２の駆動に伴う第２軸部２４５の移動速度に合わせて遅くなるということを回避できる。したがって、リンク部２４２，２４３が演出向きで回動開始した直後において移動演出部２４３ｂの移動速度を速くすることができる。
【０４４８】
ラック３３３に対する第２軸部２４５の移動方向が、本体部２４１に対するラック３３３の移動方向に一致しているため、ラック３３３が第２軸部２４５を押す場合や、第２軸部２４５がラック３３３を押す場合において力の損失が生じにくくなっている。この場合、駆動部２８１，２８２の駆動力が効率良くリンク部２４２，２４３に伝わるため、リンク部２４２，２４３の回動速度を速くすることができる。
【０４４９】
第２駆動部２８２の回転運動が、ピニオン歯車３３２及びラック３３３によりラック３３３の直進運動に変換されるため、第２駆動部２８２の駆動力がラック３３３に伝わる際の損失が生じにくくなっている。
【０４５０】
バネ部材２９１の付勢力が演出向きでリンク部２４２，２４３に付与されているため、リンク部２４２，２４３の回動速度を速くすることができる。また、移動演出部２４３ｂが退避位置ＰＡ１にある場合の方が演出位置ＰＡ２にある場合に比べて、バネ部材２９１の伸び率が大きくなっていることに起因してバネ部材２９１の付勢力が大きくなっている。これに対して、第１特別演出を終了する際に、定格トルクが小さい方の第２駆動部２８２を駆動開始及び停止させた後に、定格トルクが大きい方の第１駆動部２８１を駆動開始及び停止させることで、電力消費のピーク値を抑えた上で、リンク部２４２，２４３の退避向きでの回動がバネ部材２９１の付勢力により過剰に遅くなるということを抑制できる。
【０４５１】
駆動部２８１，２８２の両方が本体部２４１に搭載されているため、駆動部２８１，２８２がリンク部２４２，２４３に搭載されている構成に比べて、リンク部２４２，２４３の軽量化を図ることができる。この場合、定格トルクが少しでも小さいモータ等を駆動部２８１，２８２として選択することが可能になるため、リンク部２４２，２４３の回動速度を向上させることがすることができる。
【０４５２】
本体案内部２５１の延長線上に第１軸部２４４が配置されているため、第２軸部２４５が死点に移動しても、第１駆動部２８１の駆動方向によりリンク部２４２，２４３の回動方向を適正に選択することができる。このため、第２軸部２４５の移動範囲に死点が含まれていることで、移動演出部２４３ｂの移動範囲を極力大きく確保した構成を実現でき、しかも、この構成であってもリンク部２４２，２４３を適正な向きで回動させることができる。
【０４５３】
＜第１装飾装置２３２の中間アーム２６１について＞
第１駆動部２８１の駆動力が中間アーム２６１を介して第１リンク部２４２の中間位置に付与されるため、中間アーム２６１のリンク側軸部２６３が第１リンク部２４２の第１軸部２４４から離間している分だけ、第１リンク部２４２を回動させるための力のモーメントを大きくすることができる。このため、定格トルクが極力大きいモータ等の中で定格トルクが少しだけ小さいものを第１駆動部２８１として選択しても、リンク部２４２，２４３を回動させるための力のモーメントを確保することが可能になる。これにより、少しでも定格速度が大きいモータ等を第１駆動部２８１として選択することができる。この場合、リンク部２４２，２４３の演出向きでの回動速度を大きくすることが可能となり、その結果、第１装飾装置２３２の演出に対する注目度を好適に向上させることができる。
【０４５４】
リンク部２４２，２４３は、中間アーム２６１の伸縮に伴って演出向き又は退避向きに回動するため、中間アーム２６１が第１リンク部２４２の中間位置に接続されていても、中間アーム２６１が第１リンク部２４２の回動範囲を制限しない構成を実現できる。
【０４５５】
中間アーム２６１が中間軸部２６６を軸に折れ曲がった状態で伸縮するため、第１駆動部２８１の回転運動を中間アーム２６１の伸縮運動に変換する構成を容易に実現できる。また、中間アーム２６１の伸縮に際しては、第１アーム部２６４及び第２アーム部２６５が第１リンク部２４２と共に回動運動するため、第２アーム部２６５の回動が第１リンク部２４２の回動運動の支障にならない構成を実現できる。
【０４５６】
中間アーム２６１が縮み状態にあることでリンク部２４２，２４３の演出向きでの回動が規制されるため、リンク部２４２，２４３とは独立して動作する専用部材を使用しなくても、移動演出部２４３ｂが表示画面７５ａの前方に意図せずに出現することを抑止できる。この場合、移動演出部２４３ｂを適正に移動させることができる構成を実現する上で、第１装飾装置２３２の構成が複雑になることを抑制できる。
【０４５７】
中間アーム２６１は、縮み状態にある場合に第１リンク部２４２から演出位置ＰＡ２とは反対側に向けて延びた状態になっているため、移動演出部２４３ｂが退避位置ＰＡ１にある場合に中間アーム２６１が表示画面７５ａの前方に露出するということを回避できる。しかも、この場合、リンク部２４２，２４３の回動状態に関係なく、中間アーム２６１が第１リンク部２４２を挟んで演出位置ＰＡ２とは反対側に配置されているという構成を実現できるため、第１リンク部２４２と中間アーム２６１とを本体部２４１の幅方向に沿って配置することができる。これにより、例えば中間アーム２６１が本体部２４１と第１リンク部２４２との間に配置された構成に比べて、第１装飾装置２３２の厚み寸法を低減できる。第１装飾装置２３２の厚み寸法を低減することは、遊技盤６０ａの背面側（遊技盤６０ａとユニット本体２３１との間）という限られた領域に第１装飾装置２３２を設置する上で効果的である。
【０４５８】
中間アーム２６１が縮み状態にある場合に、第２アーム部２６５の逆回動が逆回動ストッパ２６９により規制されるため、第１駆動部２８１の駆動方向が同一であるにもかかわらず中間アーム２６１が伸びること及び縮むことの両方が実行されるということを回避できる。したがって、第１駆動部２８１の駆動方向を選択することで、中間アーム２６１の伸び及び縮みを適正に管理することができる。
【０４５９】
中間アーム２６１においては、第１駆動部２８１の駆動力が第２アーム部２６５に付与されるため、第１駆動部２８１や第１伝達部３０１を中間アーム２６１や第１リンク部２４２に搭載する必要がない。したがって、第１リンク部２４２や中間アーム２６１の軽量化を図ることが可能となり、その結果、リンク部２４２，２４３の演出向きでの回動速度を速くすることができる。
【０４６０】
移動演出部２４３ｂが演出位置ＰＡ２にある場合に、第１リンク部２４２に対する第２リンク部２４３のリンク角度α１が所定角度（例えば９０度）以下になっていることで、中間アーム２６１が縮むことで第１リンク部２４２を退避向きで回動させることが規制される。このため、移動演出部２４３ｂが演出位置ＰＡ２に移動した後に、駆動部２８１，２８２の駆動が停止された状態でも、リンク部２４２，２４３が退避向きで意図せずに回動することを抑制できる。つまり、移動演出部２４３ｂが退避位置ＰＡ１に向けて意図せずに移動することを抑制できる。
【０４６１】
また、リンク角度α１が所定角度以下であっても、第２軸部２４５が第２リンク部２４３を退避向きに回動させる向き（下向き）に移動することで、中間アーム２６１の縮みによる第１リンク部２４２の回動規制を解除することができる。このため、リンク部２４２，２４３とは独立して動作する専用部材を設けなくても、第２軸部２４５の移動というリンク機構の動作の一部を利用して、退避向きでのリンク部２４２，２４３の回動を再開することができる。
【０４６２】
第１特別演出の終了に伴って、リンク角度α１が所定角度より大きくなった場合に、第１駆動部２８１の駆動開始に伴って中間アーム２６１が縮むことでリンク部２４２，２４３が退避向きで回動するため、リンク部２４２，２４３の演出向き及び退避向きの両方の回動について第１駆動部２８１の駆動力を使用することができる。したがって、リンク部２４２，２４３を退避向きで回動させるための専用の駆動部を設ける必要がないため、コスト負担の低減を図ることができる。
【０４６３】
中間アーム２６１が伸縮する場合として、第１アーム部２６４が中間軸部２６６を軸として第２アーム部２６５に対して回動する場合と、第１アーム部２６４が中間軸部２６６と共に第２アーム部２６５の長手方向に沿ってスライド移動する場合との両方があるため、リンク部２４２，２４３が退避向きで回動する場合に、必ずしもアーム部２６４，２６５が回動する必要がない。つまり、中間アーム２６１が伸び状態から縮む際に、必ずしも第１伝達部３０１が動作する必要がない。したがって、第２駆動部２８２の駆動力によりリンク部２４２，２４３が退避向きで回動する場合に、第１伝達部３０１を動作させる分の電力を消費しなくて済む。
【０４６４】
第１特別演出が終了される場合に、第２駆動部２８２の駆動開始及び停止の後に、第１駆動部２８１の駆動開始及び停止が行われるため、駆動部２８１，２８２の両方が重なるタイミングで駆動する構成に比べて、電力消費のピーク値を抑えることができる。
【０４６５】
中間アーム２６１が第２リンク部２４３の突出部分２７１の背面側に隠れる位置に配置されているため、中間アーム２６１が遊技機前方から視認しにくい状態を実現できる。また、中間アーム２６１が本体部２４１の幅方向において第１リンク部２４２に横並びに配置されているため、例えば中間アーム２６１が第１リンク部２４２に前後に重なる位置に配置された構成に比べて、第１装飾装置２３２の厚み寸法を低減できる。
【０４６６】
＜第２装飾装置２３３の回転演出部４０３ｂ及び演出駆動部４７５について＞
第２リンク部４０３においては、リンク部本体４０３ａ及び回転演出部４０３ｂの両方を動作させることで、回転演出部４０３ｂの移動範囲を拡張することや、回転演出部４０３ｂの動作態様を多様化させることが可能になる。このため、回転演出部４０３ｂを演出位置ＰＢ２に移動させることでその回転演出部４０３ｂに対する注目度を高めることができる。
【０４６７】
リンク部本体４０３ａ及び回転演出部４０３ｂのそれぞれに対してリンク駆動部４４２及び演出駆動部４７５から個別に駆動力が付与されるため、リンク部本体４０３ａ及び回転演出部４０３ｂのそれぞれの動作態様などに合わせて個別に選択したモータ等を駆動部４４２，４７５として設定することができる。このため、リンク駆動部４４２として定格トルクが極力大きいモータ等を選択し、回転演出部４０３ｂとして定格速度が極力大きいモータ等を選択することが可能となる。この場合、コスト負担の低減を目的として、専用品ではなく汎用品のモータ等をリンク駆動部４４２や演出駆動部４７５として選択しても、リンク部本体４０３ａを回動させるために必要な力のモーメントを確保しつつ、回転演出部４０３ｂの回転による演出効果を高めるために必要な回転速度を確保することができる。
【０４６８】
しかも、リンク部本体４０３ａが演出向きで回動する場合に、その演出向きに合わせて回転演出部４０３ｂが回転するため、回転演出部４０３ｂの回転力をリンク部本体４０３ａの回動高速化に利用することができる。この場合、回転演出部４０３ｂの回動速度を向上させることでその回転演出部４０３ｂによる演出効果を高めることができる。したがって、第２装飾装置２３３の演出に対する注目度を好適に向上させることができる。
【０４６９】
回転演出部４０３ｂが長尺状に形成され、リンク部４０２，４０３が演出向きで回動する場合に、回転演出部４０３ｂの上端部がリンク部本体４０３ａの上端部より高い位置から回転開始するため、回転演出部４０３ｂの上端部が移動する力のモーメントをリンク部本体４０３ａの上端部の加速に利用することができる。
【０４７０】
しかも、回転演出部４０３ｂの長手方向の中央部分に演出軸部４０７が配置されているため、回転演出部４０３ｂが回転してもその回転演出部４０３ｂの重心が変位しない。したがって、回転演出部４０３ｂからリンク部本体４０３ａに付与される回転力が、回転演出部４０３ｂの重心が移動することで増減するということを回避できる。これにより、リンク部本体４０３ａを安定した状態で演出向きに回動させることができる。
【０４７１】
第２特別演出が実行される場合に、リンク部本体４０３ａの回動が開始された後に、回転演出部４０３ｂの回転が開始されるため、遊技盤６０ａの背面側に配置された他の機器等に回転演出部４０３ｂが接触するということを回避できる。
【０４７２】
リンク駆動部４４２の駆動力により第２軸部４０５が直線的にスライド移動するため、回転演出部４０３ｂを退避位置ＰＢ１から演出位置ＰＢ２に移動させるまでに必要なリンク駆動部４４２の駆動量が、例えばリンク駆動部４４２の駆動力により第１軸部４０４が回動する構成に比べて大きくなる。ここで、リンク部４０２，４０３の回動速度を大きくするには、定格速度が極力大きいモータ等をリンク駆動部４４２として選択することが好ましいという観点において、リンク駆動部４４２が定格速度に達するまでに必要な駆動量を確保できる。しかも、リンク部４０２，４０３の回動開始に際しては、リンク駆動部４４２の駆動力に加えて回転演出部４０３ｂの回転力によりリンク部４０２，４０３の回動が加速されるため、リンク部４０２，４０３を加速させる上でリンク駆動部４４２の定格トルクが不足していたとしても、その不足分を回転演出部４０３ｂの回転力で補うことができる。
【０４７３】
第２装飾装置２３３が本体部４０１及びリンク部４０２，４０３を含むリンク機構を有しているため、回転演出部４０３ｂの移動範囲を拡張することや、回転演出部４０３ｂの動作態様を多様化させることが可能になる。また、回転演出部４０３ｂが退避位置ＰＢ１にある場合に、リンク部４０２，４０３が退避向きで回動することが逆回動ストッパ４６９及び上部カバー体４６５により規制されるため、遊技盤６０ａの背面側において回転演出部４０３ｂや第１リンク部４０２などが他の機器に接触することを回避できる。
【０４７４】
リンク部本体４０３ａの長手方向において、演出軸部４０７と演出駆動部４７５とが重ならない位置に配置されているため、例えば演出軸部４０７と演出駆動部４７５とが軸線同士で一致する位置に配置された構成に比べて、第２リンク部４０３の厚み寸法を低減できる。
【０４７５】
さらに、演出駆動部４７５は、回転演出部４０３ｂの回転範囲に含まれない位置に配置されているため、演出駆動部４７５と回転演出部４０３ｂとをリンク部本体４０３ａの長手方向において横並びに配置できる。この場合、演出駆動部４７５との接触を避ける分だけ回転演出部４０３ｂをリンク部本体４０３ａから離間させるという必要がないため、第２リンク部４０３の厚み寸法を極力小さくすることができる。
【０４７６】
＜第２装飾装置２３３の回動規制部材５１１及びラック受け部５２１について＞
回動規制部材５１１の規制引掛部５１５がラック４９３のラック受け部５２１に引っ掛かることで、リンク部４０２，４０３が演出向きに回動することが規制されるため、リンク部４０２，４０３とは独立して動作する専用部材を第２装飾装置２３３に設置しなくても、回転演出部４０３ｂが表示画面７５ａの前方に意図せずに出現することを抑制できる。この場合、演出位置ＰＢ２への回転演出部４０３ｂの移動を意図した場合に制限できるため、それによって、回転演出部４０３ｂが演出位置ＰＢ２に移動することに対する遊技の期待度を高めることができる。
【０４７７】
規制引掛部５１５の移動軌跡は、回動規制部材５１１が回動することに起因して曲線状に延びている。一方、ラック受け部５２１の移動軌跡がラック４９３の移動方向に沿って直線状になるため、この移動軌跡が延びている方向は所定方向（上下方向）に統一されている。したがって、ラック受け部５２１の移動軌跡に回動規制部材５１１の規制引掛部５１５の移動軌跡を交差させるには、ラック受け部５２１の直線状の移動軌跡に対して、規制引掛部５１５の移動軌跡の位置及び角度を対応させるだけで済むため、例えば規制引掛部５１５及びラック受け部５２１の各移動軌跡が両方とも曲線状である構成に比べて、ラック受け部５２１と規制引掛部５１５との位置合わせが容易になる。これにより、ラック４９３と回動規制部材５１１との相対的な動作態様を設定する作業が煩雑になるということを抑制できる。
【０４７８】
回動規制部材５１１が連結部材５１２を介して第１リンク部４０２に連結されているため、回動規制部材５１１が第１リンク部４０２から離間した位置に配置しても、その回動規制部材５１１が第１リンク部４０２に連動して回動する構成を実現できる。また、回動規制部材５１１の設置位置に関する自由度が連結部材５１２により高められているため、回動規制部材５１１をその規制引掛部５１５がラック受け部５２１に引っ掛かる位置に配置することができる。
【０４７９】
第１リンク部４０２における第１軸部４０４と膨出接続部５１７との並び方向に沿って、回動規制部材５１１における規制軸部５１３と規制接続部５１６とが並べられているため、第１リンク部４０２の回動に伴う膨出接続部５１７の変位量を規制接続部５１６にそのまま付与できるため、ラック受け部５２１に対する規制引掛部５１５の引っ掛け及び引っ掛け解除を行う上で必要な変位量を、回動規制部材５１１について適正に確保することができる。しかも、第１リンク部４０２の回動に伴って回動規制部材５１１が回動する構成が複雑になることを抑制できる。
【０４８０】
ラック受け部５２１は、リンク駆動部４４２の回転運動を直進運動に変換するためのラック４９３に設けられているため、ラック受け部５２１を直進運動させるためにリンク機構とは独立して動作する専用部材を設けるという必要がない。したがって、リンク部４０２，４０３の回動を規制するロック機構の構成が複雑になることを抑制できる。
【０４８１】
第２特別演出の実行のためにラック４９３が移動する場合に、規制引掛部５１５とラック受け部５２１との引っ掛かりが解除される動作と、ラック４９３が第２軸部４０５を移動させる動作とが、重ならないタイミングで順番に実行されるため、これらの動作が同時に行われる構成に比べて、各動作を行うために必要な駆動トルクのピーク値を低減できる。したがって、ラック４９３を移動させるために駆動するリンク駆動部４４２として、ピーク値を低減した分だけ定格トルクが小さく、且つその分だけ定格速度の大きいモータ等を選択することができる。これにより、リンク駆動部４４２の駆動に伴うリンク部４０２，４０３の演出向きへの回動速度を速くすることができる。
【０４８２】
ラック４９３に対する第２軸部４０５の移動方向が、本体部４０１に対するラック４９３の移動方向に一致しているため、ラック４９３が第２軸部４０５を押す場合や、第２軸部４０５がラック４９３を押す場合において力の損失が生じにくくなっている。この場合、リンク駆動部４４２の駆動力が効率良くリンク部４０２，４０３や回動規制部材５１１に伝わるため、リンク部４０２，４０３の回動速度を速くすることや、規制引掛部５１５とラック受け部５２１との引っ掛かり及び引っ掛かり解除を適正に行うことが可能となる。
【０４８３】
回動規制部材５１１がラック４９３を挟んでリンク部４０２，４０３とは反対側に配置されているため、回動規制部材５１１がリンク部４０２，４０３の回動の支障になることを回避できる。
【０４８４】
回転演出部４０３ｂが退避位置ＰＢ１にある場合、規制引掛部５１５とラック受け部５２１とが引っ掛かっていることで、バネ部材４５１の付勢力に抗してリンク部４０２，４０３の回動が規制されているため、回転演出部４０３ｂの出現速度がバネ部材４５１の付勢力により大きくされている構成であっても、回転演出部４０３ｂが表示画面７５ａの前方に意図せずに出現するということを好適に抑止できる。
【０４８５】
＜他の実施形態＞
なお、上述した各実施形態の記載内容に限定されず例えば次のように実施してもよい。ちなみに、以下の各構成を個別に上記各実施形態に対して適用してもよく、一部又は全部を組み合わせて上記各実施形態に対して適用してもよい。
【０４８６】
（ａ１）上記実施形態では、第１装飾装置２３２において、第２軸部２４５が本体部２４１に沿ってスライド移動可能になっていたが、第２軸部２４５が第２リンク部２４３に沿ってスライド移動可能になっていてもよい。この場合でも、第１リンク部２４２及び第２リンク部２４３が、第３軸部２４６が第２軸部２４５に近付く向きで回動することで、移動演出部２４３ｂが退避位置に向けて移動する。また、第１リンク部２４２及び第２リンク部２４３が、第３軸部２４６が第２軸部２４５から遠ざかる向きで回動することで、移動演出部２４３ｂが演出位置に向けて移動する。なお、第２軸部２４５が、本体部２４１及び第２リンク部２４３の両方に対してスライド移動可能にされていてもよい。
【０４８７】
また、第３軸部２４６が第１リンク部２４２及び第２リンク部２４３の少なくとも一方に沿ってスライド移動可能なスライド軸部とされていてもよい。この場合でも、第１リンク部２４２及び第２リンク部２４３が、第３軸部２４６が第１軸部２４４及び第２軸部２４５の少なくとも一方に近付く向きで回動することで、移動演出部２４３ｂが退避位置に向けて移動する。また、第１リンク部２４２及び第２リンク部２４３が、第３軸部２４６が第１軸部２４４及び第２軸部２４５の少なくとも一方から遠ざかる向きで回動することで、移動演出部２４３ｂが演出位置に向けて移動する。
【０４８８】
（ａ２）上記実施形態では、第１装飾装置２３２において、移動演出部２４３ｂが第２リンク部２４３に含まれていたが、移動演出部２４３ｂは、第１リンク部２４２に含まれていてもよい。この場合でも、移動演出部２４３ｂは、第２軸部２４５が第１軸部２４４に近付く向きでリンク部２４２，２４３が回動することで演出位置に向けて移動し、第２軸部２４５が第１軸部２４４から離れる向きでリンク部２４２，２４３が回動することで退避位置に向けて移動する。
【０４８９】
（ａ３）上記実施形態では、第１装飾装置２３２において、第２軸部２４５が第１軸部２４４に近付くことで移動演出部２４３ｂが演出位置ＰＡ２に向けて移動する構成としたが、第２軸部２４５が第１軸部２４４に近付くことで移動演出部２４３ｂが退避位置ＰＡ１に向けて移動する構成としてもよい。例えば、第２軸部２４５が第１軸部２４４に近付いた場合に、第３軸部２４６が演出位置ＰＡ２とは反対側（第２装飾装置２３３とは反対側）に向けて移動する構成とする。この構成では、第２リンク部２４３において、移動演出部２４３ｂがリンク部本体２４３ａから演出位置ＰＡ２に向けて延びており、移動演出部２４３ｂにおいて第３軸部２４６よりも演出位置ＰＡ２側に突出した部分が、表示画面７５ａの前方に出現することになる。
【０４９０】
（ａ４）上記実施形態では、第１装飾装置２３２において、本体案内部２５１の延長線上に第１軸部２４４が配置されていたが、第１軸部２４４は、本体案内部２５１の延長線上に配置されていなくてもよい。例えば、第１軸部２４４が本体案内部２５１の延長線よりも演出位置ＰＡ２側に配置された構成とする。
【０４９１】
（ａ５）上記実施形態では、第１装飾装置２３２において、第１リンク部２４２及び第２リンク部２４３が本体部２４１の前面側に配置されていたが、これらリンク部２４２，２４３は本体部２４１の背面側に配置されていてもよい。この場合でも、本体部２４１が遊技盤６０ａの背面側に隠れた位置に配置されていれば、本体部２４１が遊技機前方に露出するということは回避できる。
【０４９２】
（ａ６）上記実施形態では、第１装飾装置２３２において、ラック３３３に対する第２軸部２４５の相対的な移動が可能にされていたが、第２軸部２４５は、ラック３３３に対する相対的な移動をしない状態でそのラック３３３に対して接続されていてもよい。
【０４９３】
（ａ７）上記実施形態では、第１装飾装置２３２において、第１駆動部２８１の回転運動がラック３３３及びピニオン歯車３３２により第２軸部２４５の直進運動に変換されていたが、運動変換手段により回転運動が直進運動に変換される構成であればよい。運動変換手段としては、巻取部がワイヤ等の線状部材を巻き取るという構成が挙げられる。例えば、第２軸部２４５に線状部材が接続され、第１駆動部２８１の回転に伴って巻取部が回転する構成により、第１駆動部２８１の回転運動が第２軸部２４５の直進運動に変換される。
【０４９４】
（ａ８）上記実施形態では、第１装飾装置２３２において、バネ部材２９１が第１リンク部２４２と本体部２４１とに掛け渡された状態で設けられていたが、バネ部材２９１は、第２リンク部２４３と本体部２４１とに掛け渡された状態で設けられていてもよく、第１リンク部２４２と第２リンク部２４３とに掛け渡された状態で設けられていてもよい。要は、移動演出部２４３ｂが演出位置ＰＡ２に移動する向きでリンク部２４２，２４３を付勢する状態でバネ部材２９１が設けられていればよい。
【０４９５】
（ａ９）上記実施形態では、第１装飾装置２３２において、本体案内部２５１が本体長孔２５１ａとされていたが、本体案内部２５１は、本体部２４１の外側に突出した凸部や内側に凹んだ凹部により形成されていてもよい。この場合、本体案内部２５１の上昇ストッパ２５２は、本体長孔２５１ａの天井面２５１ｂではなく、凸部や凹部により形成されていればよい。
【０４９６】
（ａ１０）上記実施形態では、第１装飾装置２３２において、移動部材としてのラック３３３において、第２軸部２４５が引っ掛け孔３３５に引っ掛かった状態で移動したが、第２軸部２４５は、ラック３３３の外側に突出した凸部や内側に凹んだ凹部に引っ掛かった状態で移動してもよい。この場合、第２軸部２４５を押す第１押し部や第２押し部は、引っ掛け孔３３５の天井面３３５ａや底面３３５ｂではなく、凸部や凹部により形成されていればよい。
【０４９７】
（ａ１１）上記実施形態では、第１装飾装置２３２について、第１駆動部２８１の駆動力が中間アーム２６１を介して第１リンク部２４２に付与される構成としたが、第１駆動部２８１の駆動力が中間アーム２６１を介さずに第１リンク部２４２に付与される構成としてもよい。例えば、第１駆動部２８１の回転軸部が歯車等を介して第１軸部２４４に接続された構成とする。
【０４９８】
（ａ１２）上記実施形態では、第１装飾装置２３２について、回転運動を行うモータ等の駆動源が第１駆動部２８１や第２駆動部２８２とされていたが、直進運動を行う駆動源が第１駆動部２８１や第２駆動部２８２とされていてもよい。例えば、直進運動を行う駆動源が第２駆動部２８２とされた構成とする。この構成では、第２駆動部２８２が第２伝達部３０２を介さずに第２駆動部２８２に駆動力を直接付与する構成としてもよい。
【０４９９】
（ａ１３）上記実施形態では、第１装飾装置２３２において、第１駆動部２８１の方が第２駆動部２８２より定格トルクが大きくされ、第２駆動部２８２の方が第１駆動部２８１より定格速度が大きくされていたが、定格トルクは第２駆動部２８２の方が第１駆動部２８１より大きくされていてもよく、定格速度は第１駆動部２８１の方が第２駆動部２８２より大きくされていてもよい。また、定格トルクや定格速度は、第１駆動部２８１と第２駆動部２８２とで同じにされていてもよい。
【０５００】
また、第１駆動部２８１や第２駆動部２８２の駆動力が第１伝達部３０１や第２伝達部３０２により変換されることで、第１リンク部２４２や第２リンク部２４３を回動させるための駆動速度や駆動トルクが増減されていてもよい。例えば、速度伝達比が第１伝達部３０１の方が第２伝達部３０２よりも大きく設定された構成とする。この構成では、仮に第１駆動部２８１と第２駆動部２８２とで定格トルクが同じであっても、第１リンク部２４２に付与される駆動力の駆動トルクを、第２リンク部２４３に付与される駆動力の駆動トルクよりも大きくできる。また、第２リンク部２４３に付与される駆動力の駆動速度を、第１リンク部２４２に付与される駆動力の駆動速度よりも大きくできる。
【０５０１】
さらに、第１駆動部２８１の演出角度が第２駆動部２８２の演出角度より大きくされていてもよい。
【０５０２】
（ａ１４）上記実施形態では、第１特別演出を実行する場合に、第１駆動部２８１と第２駆動部２８２とが同時に駆動開始する構成としたが、これら駆動部２８１，２８２は異なるタイミングで駆動開始してもよい。例えば、第１駆動部２８１と第２駆動部２８２とが所定間隔（例えば１０ｍｓｅｃ）で連続して駆動開始される構成とする。
【０５０３】
また、第１駆動部２８１が駆動開始した後、所定の条件が満たされた場合に第２駆動部２８２を駆動開始する構成とする。この構成では、第１駆動部２８１の駆動開始に伴って第１リンク部２４２及び第２リンク部２４３が回動し、第２軸部２４５が最下位置ＬＡ１から上昇することでラック３３３を押し上げることになる。ここで、所定の条件としては、ラック３３３が最下位置ＬＡ２から上方に移動したことが挙げられる。
【０５０４】
この構成において、表示制御装置１７０のＭＰＵ７０２は、第１駆動部２８１を駆動開始させた後、第２軸部２４５のじラックセンサ３３７の検出信号に基づいて、ラック３３３が最下位置ＬＡ２から上方に移動したか否かを判定し、最下位置ＬＡ２から上方に移動した場合に、第１駆動部２８１の駆動を停止させ、その後、第２駆動部２８２を駆動開始させる。第２駆動部２８２が駆動開始した場合、ラック３３３が上昇することで、その引っ掛け孔３３５の底面３３５ｂが第２軸部２４５に引っ掛かり、その状態でラック３３３が第２軸部２４５を押し上げることになる。このため、第１駆動部２８１の駆動が停止された後でも、リンク部２４２，２４３の回動が継続して行われ、それによって、移動演出部２４３ｂが演出位置ＰＡ２に移動することになる。
【０５０５】
この構成によれば、移動演出部２４３ｂを退避位置ＰＡ１から演出位置ＰＡ２に移動させる場合に、第１駆動部２８１と第２駆動部２８２とが重ならないタイミングで順番に駆動するため、電力消費のピーク値を抑えることができる。
【０５０６】
（ａ１５）上記実施形態では、第１特別演出を実行する場合に、第１駆動部２８１及び第２駆動部２８２の両方が駆動している状態において、中間アーム２６１が折れ状態になった場合に第１駆動部２８１が駆動停止される構成としたが、第１駆動部２８１が駆動停止されるのは移動演出部２４３ｂが駆動停止位置に到達した場合とされていればよい。例えば、移動演出部２４３ｂが駆動停止位置に到達したことを検出するセンサが設けられ、そのセンサの検出信号に基づいて第１駆動部２８１を駆動停止させる構成とする。このセンサとしては、第２リンク部２４３に対する第１リンク部２４２の角度を検出するセンサや、第１駆動部２８１の回転軸部の回転角度を検出するセンサ、第２軸部２４５の位置を検出するセンサなどが挙げられる。
【０５０７】
また、第２駆動部２８２の駆動力によるラック３３３の上昇速度が、第１駆動部２８１の駆動力による第２軸部２４５の上昇速度を越えた場合に、第１駆動部２８１を駆動停止させる構成としてもよい。この構成によれば、第１駆動部２８１が発電ブレーキのような働きをすることを抑制できる。
【０５０８】
さらに、中間アーム２６１が折れ状態になった場合に、第１駆動部２８１から中間アーム２６１への駆動力の伝達が遮断されてもよい。例えば、第１伝達部３０１のアーム側歯車３２２に歯車の無い歯無し部分が設けられた構成とする。この構成では、中間アーム２６１が折れ状態に移行することで、歯無し部分によりアーム側歯車３２２が第１歯車３２１に噛み合わない状態になり、第１駆動部２８１から中間アーム２６１への駆動力の伝達が遮断される。
【０５０９】
（ａ１６）上記実施形態では、第１特別演出を実行する場合に、第１駆動部２８１及び第２駆動部２８２が両方とも駆動している状態から、先に第１駆動部２８１が駆動停止され、その後に第２駆動部２８２が駆動停止されていたが、第２駆動部２８２の方が先に駆動停止されてもよく、これら駆動部２８１，２８２が同時に駆動停止されてもよい。
【０５１０】
（ａ１７）上記実施形態では、第１特別演出を終了する場合に、第２駆動部２８２が駆動開始及び駆動停止された後に、第１駆動部２８１が駆動開始及び駆動停止されたが、この駆動の順番は逆にされていてもよい。要は、第１駆動部２８１と第２駆動部２８２とが重複しないタイミングで順番に駆動される構成であれば、これら駆動部２８１，２８２が重なるタイミングで駆動される構成に比べて、電力消費のピーク値を低減することができる。
【０５１１】
また、第１駆動部２８１及び第２駆動部２８２は、重複するタイミングで駆動されてもよい。例えば、第１駆動部２８１及び第２駆動部２８２が同時に駆動開始され、同時に駆動停止される構成とする。
【０５１２】
（ｂ１）上記実施形態では、第１装飾装置２３２において、第１駆動部２８１及び第２駆動部２８２が設けられていたが、いずれか一方だけが設けられていてもよい。例えば、第１駆動部２８１だけが設けられ、この第１駆動部２８１の駆動力が第１伝達部３０１及び第２伝達部３０２の少なくとも一方を介して第１リンク部２４２及び第２リンク部２４３に付与される構成とする。この構成でも、第１駆動部２８１の駆動に伴って中間アーム２６１が伸縮すれば、その中間アーム２６１の伸縮によりリンク部２４２，２４３を回動させることができる。
【０５１３】
（ｂ２）上記実施形態では、第１装飾装置２３２において、中間アーム２６１が２つのリンク部２４２，２４３を有していたが、３つ以上のリンク部を有していてもよい。また、これらリンク部は、相対的に回動するのではなく、それぞれの長手方向に沿って相対的にスライド移動してもよい。この場合でも、複数のリンク部が互いに重なる向きでスライド移動することで中間アーム２６１が縮み状態に移行し、複数のリンク部が互いの重なり部分が短くなる向きでスライド移動することで中間アーム２６１が伸び状態に移行することになる。
【０５１４】
（ｂ３）上記実施形態では、第１装飾装置２３２の第１リンク部２４２において、第１軸部２４４と第３軸部２４６との間に中間アーム２６１が接続されていたが、中間アーム２６１は、第１リンク部２４２のどの部分に接続されていてもよい。例えば、中間アーム２６１が第１リンク部２４２の膨出部２９４に接続された構成とする。この場合でも、中間アーム２６１の伸縮に伴って第１リンク部２４２が回動することになる。
【０５１５】
（ｂ４）上記実施形態では、第１装飾装置２３２において、移動演出部２４３ｂが、中間アーム２６１が伸びることで演出位置ＰＡ２に向けて移動し、中間アーム２６１が縮むことで退避位置ＰＡ１に向けて移動したが、移動演出部２４３ｂは、中間アーム２６１が伸びることで退避位置ＰＡ１に向けて移動し、中間アーム２６１が縮むことで演出位置ＰＡ２に向けて移動してもよい。例えば、中間アーム２６１が第１リンク部２４２を挟んで演出位置ＰＡ２とは反対側に配置されているのではなく、第１リンク部２４２より演出位置ＰＡ２側に配置された構成とする。この構成では、中間アーム２６１の本体側軸部２６２がリンク側軸部２６３よりも演出位置ＰＡ２側に配置されており、中間アーム２６１が第１リンク部２４２を本体側軸部２６２側に引き寄せることで、移動演出部２４３ｂが演出位置ＰＡ２に向けて移動することになる。
【０５１６】
（ｂ５）上記実施形態では、第１装飾装置２３２において、中間アーム２６１が縮み状態にある場合に、第１アーム部２６４と第２アーム部２６５とが中間軸部２６６の軸線方向に重なった状態になっていたが、この場合に、第１アーム部２６４と第２アーム部２６５とは、これらアーム部２６４，２６５の回動方向に沿って横並びに配置されていてもよい。この構成でも、これらアーム部２６４，２６５が平行に重なることで、中間アーム２６１が縮み状態になっている。
【０５１７】
（ｂ６）上記実施形態では、第１装飾装置２３２において、本体側軸部２６２が第１リンク部２４２の回動状態に関係なくその第１リンク部２４２と本体部２４１との間には入り込まない位置に配置されていたが、本体側軸部２６２は、中間アーム２６１が縮み状態にある場合に第１リンク部２４２と本体部２４１との間に入り込む位置に配置されていてもよい。
【０５１８】
（ｂ７）上記実施形態では、第１装飾装置２３２において、縮み状態にある中間アーム２６１が逆回動ストッパ２６９に下方から当接することで中間アーム２６１（第１アーム部２６４及び第２アーム部２６５）の回動が規制される構成としたが、縮み状態にある中間アーム２６１が逆回動ストッパ２６９に上方から当接することで中間アーム２６１の回動が規制される構成としてもよい。この構成でも、逆回動ストッパ２６９により中間アーム２６１の伸びが規制されるため、第１駆動部２８１の駆動方向が制御されることで中間アーム２６１の伸縮状態を適正に管理することができる。
【０５１９】
また、逆回動ストッパ２６９は、本体部２４１ではなく、第１リンク部２４２や第１アーム部２６４、第２アーム部２６５に設けられていてもよい。例えば、第２アーム部２６５から第１アーム部２６４側に向けて突出した凸部が逆回動ストッパ２６９とされた構成とする。この構成では、中間アーム２６１が縮み状態にある場合に、第１アーム部２６４の回動方向のうち一方側から逆回動ストッパ２６９が第１アーム部２６４に当接することで、第２アーム部２６５に対する第１アーム部２６４の回動が規制される。
【０５２０】
（ｂ８）上記実施形態では、第１装飾装置２３２において、移動演出部２４３ｂが演出位置ＰＡ２にある場合に、第２リンク部２４３が中間アーム２６１の縮みを規制する収縮規制状態になっていたが、第２リンク部２４３は、収縮規制状態に移行せずに、常に収縮許可状態になっていてもよい。
【０５２１】
（ｂ９）上記実施形態では、第１装飾装置２３２の中間アーム２６１において、中間軸部２６６が第２アーム部２６５に沿ってスライド移動する構成としたが、中間軸部２６６が第１アーム部２６４に沿ってスライド移動する構成としてもよい。つまり、アーム長孔２６５ａが第１アーム部２６４に形成されていてもよい。
【０５２２】
（ｂ１０）上記実施形態では、第１装飾装置２３２において、中間アーム２６１が第１リンク部２４２に横並びに設けられていたが、中間アーム２６１は、第１リンク部２４２と本体部２４１との間や、第１リンク部２４２と第２リンク部２４３との間に設けられていてもよい。
【０５２３】
（ｃ１）第２装飾装置２３３のリンク機構の構成について、第１装飾装置２３２と同様に（ａ１）〜（ａ１０）の構成としてもよい。なお、この場合、本体部、第１リンク部、第２リンク部、第１軸部、第２軸部、第３軸部、バネ部材、本体案内部、本体長孔、ラック、引っ掛け孔、演出位置、退避位置などはそのまま置き換え、移動演出部２４３ｂは回転演出部４０３ｂに置き換える。
【０５２４】
（ｃ２）第２装飾装置２３３において、回転演出部４０３ｂの回転力により第２リンク部２４３の回動が加速される構成では、リンク機構が構築されていなくてもよい。例えば、第１リンク部２４２が設けられておらず、第２リンク部２４３のリンク部本体２４３ａを演出アームとして、その演出アームが第２軸部２４５を軸に回動する構成とする。この構成でも、演出アームの回動に合わせて回転演出部４０３ｂを回転させることで、演出アームの回動速度を高めることができる。
【０５２５】
また、この場合、第２軸部２４５のスライド移動に伴って演出アームが回動する構成としてもよい。例えば、第２軸部２４５に歯車が固定され、その歯車に噛み合う複数の歯が本体案内部２５１に設けられた構成とする。この構成では、本体案内部２５１の複数の歯が第２軸部２４５のスライド方向に沿って並べられており、第２軸部２４５が本体案内部２５１に沿ってスライド移動した場合に、第２軸部２４５の歯車が回転して演出アームが回動することになる。
【０５２６】
（ｃ３）上記実施形態では、第２装飾装置２３３の第２リンク部４０３において、回転演出部４０３ｂがリンク部本体２４３ａの回動先端部に配置されているが、回転演出部４０３ｂはリンク部本体２４３ａの中間部分に配置されていてもよい。例えば、回転演出部４０３ｂが、リンク部本体４０３ａの回動先端部と第３軸部４０６との間に配置された構成とする。この構成では、回転演出部４０３ｂの回転半径が、リンク部本体２４３ａの回動先端部と演出軸部４０７との離間距離より小さくされていてもよい。つまり、第２装飾装置２３３が退避状態にある場合に、回転演出部４０３ｂがリンク部本体４０３ａよりも回動先端側に突出していなくてもよい。
【０５２７】
（ｃ４）上記実施形態では、第２装飾装置２３３の第２リンク部４０３において、演出軸部４０７が回転演出部４０３ｂの重心に重なる位置に配置されていたが、演出軸部４０７は、回転演出部４０３ｂの重心に重ならない位置に配置されていてもよい。この構成としては、演出軸部４０７が、回転演出部４０３ｂの中央部分からずれた位置に配置された構成や、回転演出部４０３ｂの両端のうち一端側に重り部材が設けられた構成とする。
【０５２８】
演出軸部４０７が回転演出部４０３ｂの重心からずれた位置に配置された構成では、第２装飾装置２３３が退避状態にある場合に、回転演出部４０３ｂが、演出軸部４０７より高い位置に重心が配置される向きでゼロ角度に保持されていることが好ましい。この場合に第２特別演出が実行されると、回転演出部４０３ｂの重心を演出軸部４０７よりも低い位置に引っ張る重力を利用して、回転演出部４０３ｂの回転速度を速くできる。このため、回転演出部４０３ｂの回転力が大きくなり、それによって、第２リンク部４０３の回動速度も速くなる。
【０５２９】
また、回転演出部４０３ｂは、細長形状にされていなくてもよく、例えば円形や正方形とされていてもよい。
【０５３０】
（ｃ５）上記実施形態では、第２装飾装置２３３において、逆回動ストッパ４６９及び上部カバー体４６５等の逆回動規制手段が本体部４０１に設けられていたが、逆回動規制手段は、第１リンク部４０２や第２リンク部４０３に設けられていてもよい。例えば、第１リンク部４０２から第２リンク部４０３に向けて突出した凸部が逆回動規制手段とされた構成とする。この構成では、回転演出部４０３ｂが退避位置ＰＢ１にある場合に、第２リンク部４０３における演出位置ＰＢ２とは反対側の側面に逆回動規制手段が当接することで、第１リンク部４０２に対する第２リンク部４０３の回動が規制される。
【０５３１】
（ｃ６）上記実施形態では、第２装飾装置２３３の第２リンク部４０３において、演出駆動部４７５が第３軸部４０６を挟んで演出軸部４０７とは反対側に配置されていたが、演出駆動部４７５は、演出軸部４０７や第３軸部４０６に重ならない位置に配置されていればよい。例えば、演出駆動部４７５が演出軸部４０７と第３軸部４０６との間に配置された構成とする。この構成でも、演出駆動部４７５が、その演出駆動部４７５の軸線に交差する方向において、演出軸部４０７や第３軸部４０６に横並びに配置されているため、第２リンク部４０３の厚み寸法を低減できる。
【０５３２】
（ｃ７）上記実施形態では、第２特別演出を実行する場合に、リンク駆動部４４２の駆動開始に伴ってラック４９３がロック解除位置ＬＢ３に到達した後に、演出駆動部４７５が駆動開始する構成としたが、リンク駆動部４４２の駆動開始後、所定時間が経過した場合に演出駆動部４７５が駆動開始する構成としてもよい。要は、ロック機構による回動規制が解除された後に、演出駆動部４７５が駆動開始すればよい。
【０５３３】
また、上記実施形態では、リンク駆動部４４２が駆動開始した後に、演出駆動部４７５が駆動開始する構成としたが、これら駆動部４４２，４７５が同時に駆動開始する構成としてもよい。この場合、回転演出部４０３ｂが退避位置ＰＢ１にて回転開始しても、その回転演出部４０３ｂが遊技盤６０ａの背面側において他の機器に接触しない構成とすることが好ましい。
【０５３４】
退避位置ＰＢ１にある回転演出部４０３ｂがゼロ角度でなくても、この回転演出部４０３ｂが他の機器に接触しない構成であれば、演出駆動部４７５が回動開始した後に、リンク駆動部４４２が回動開始してもよい。つまり、回転演出部４０３ｂが回転開始した後に、第２リンク部２４３が回動開始してもよい。また、第２装飾装置２３３が退避状態にある場合に、回転演出部４０３ｂが第２リンク部４０３に交差する方向に延びた状態になっていてもよい。さらに、第２特別演出を終了する場合に、リンク駆動部４４２を駆動させることで回転演出部４０３ｂを退避位置ＰＢ１に移動させ、その後、演出駆動部４７５を回動させて回転演出部４０３ｂをゼロ角度に移行させてもよい。
【０５３５】
（ｄ１）第２装飾装置２３３が退避状態にある場合に、回動規制部材５１１がラック受け部５２１に引っ掛かることで第１リンク部４０２及び第２リンク部４０３の回動が規制される構成では、これらリンク部４０２，４０３が自重により回動する構成とされていてもよい。例えば、第２装飾装置２３３が中央開口７２の上方位置に配置され、回動規制部材５１１とラック受け部５２１との引っ掛かりによる回動規制が解除された場合に、回転演出部４０３ｂが中央開口７２（演出位置ＰＢ２）側に移動する向きでリンク部４０２，４０３が回動開始する構成とする。この場合、リンク駆動部４４２やバネ部材４５１が設けられていなくてもよい。
【０５３６】
（ｄ２）上記実施形態では、第２装飾装置２３３において、回動規制部材５１１がラック４９３の背面側に配置されていたが、回動規制部材５１１は、ラック４９３の前面側に配置されていてもよく、ラック４９３に横並びに配置されていてもよい。例えば、回動規制部材５１１がラック４９３に横並びに配置された構成では、ラック受け部５２１が回動規制部材５１１側に向けてラック４９３から側方に突出していることが好ましい。
【０５３７】
（ｄ３）上記実施形態では、第２装飾装置２３３において、第１変位部が回動規制部材５１１の規制引掛部５１５とされ、第２変位部がラック４９３のラック受け部５２１とされていたが、第１変位部は、第１リンク部４０２の回動に伴って変位する部材に設けられていればよく、第２変位部は、第２リンク部４０３の回動に伴って変位する部材に設けられていればよい。例えば、第１変位部が第１リンク部４０２に設けられ、第２変位部がラック４９３に設けられた構成とする。この構成では、リンク部４０２，４０３の回動状態に関係なく、本体部４０１の厚み方向においてラック４９３が第１軸部４０４に重なる状態で配置され、回転演出部４０３ｂが退避位置ＰＢ１に移動することで、ラック４９３の第２変位部が第１リンク部４０２の第１変位部に引っ掛かる。
【０５３８】
（ｄ４）上記実施形態では、第２装飾装置２３３において、回動規制部材５１１及びラック４９３が本体部４０１の内部に収納されているが、これら回動規制部材５１１及びラック４９３は、本体部４０１の前面側や背面側に配置されていてもよい。
【０５３９】
（ｅ１）上記実施形態では、第１装飾装置２３２や第２装飾装置２３３が中央開口７２の側方に配置されていたが、これら装飾装置２３２，２３３は、中央開口７２の上方や下方に配置されていてもよい。この構成では、装飾装置２３２，２３３において、移動演出部２４３ｂや回転演出部４０３ｂが遊技機幅方向ではなく、遊技機高さ方向に移動することになる。この場合、退避位置ＰＡ１，ＰＢ１と演出位置ＰＡ２，ＰＢ２とが横並びではなく、縦並びに配置された状態になっている。
【０５４０】
（ｅ２）上記実施形態では、装飾装置２３２，２３３において、移動演出部２４３ｂや回転演出部４０３ｂが退避位置ＰＡ１，ＰＢ１にある場合に全体が遊技盤６０ａの背面側に隠れた状態になっていたが、移動演出部２４３ｂや回転演出部４０３ｂは、退避位置ＰＡ１，ＰＢ１にある場合でも少なくとも一部が遊技盤６０ａの背面側に隠れていない状態になっていてもよい。この場合でも、演出位置ＰＡ２，ＰＢ２が退避位置ＰＡ１，ＰＢ１よりも中央開口７２の中央側に設定されていることで、移動する移動演出部２４３ｂや回転演出部４０３ｂについて注目度を高めることができる。
【０５４１】
（ｅ３）第１装飾装置２３２及び第２装飾装置２３３のそれぞれの構成要素を組み合わせてもよい。例えば、回転可能な回転演出部４０３ｂと、その回転演出部４０３ｂに駆動力を付与する演出駆動部４７５という第２装飾装置２３３の構成が、第１装飾装置２３２に搭載されていてもよい。また、回動規制部材５１１がラック受け部５２１に引っ掛かることで、第１リンク部４０２及び第２リンク部４０３の回動が規制されるという第２装飾装置２３３の構成が、第１装飾装置２３２に搭載されていてもよい。
【０５４２】
（ｅ４）上記実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも本発明を適用できる。
【０５４３】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組み合わせが成立していた場合にはメダルの払い出し等といった特典を遊技者に付与するスロットマシンにも本発明を適用できる。
【０５４４】
更に、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも本発明を適用できる。
【０５４５】
＜上記実施の形態から抽出される発明群について＞
以下、上述した実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０５４６】
＜特徴Ａ群＞
下記特徴Ａ群の発明は、以下の課題に対して効果的である。
【０５４７】
パチンコ遊技機等の遊技機においては、遊技領域に設けられた入球部への入球を契機として絵柄の変動表示を行う絵柄表示装置を備え、この絵柄表示装置の表示画面にて各種演出を行うことにより、遊技に対する注目度の向上が図られているものがある。
【０５４８】
また、例えば表示画面の周辺に発光部や可動体等からなる演出用手段を設け、絵柄の変動表示による演出と演出用手段による演出とに所定の対応関係をもたせることにより、更なる注目度の向上を図った遊技機が提案されている（例えば特開２００２−７８９０４号公報参照）。
【０５４９】
ここで、演出用手段の演出に対する注目度の向上を図るには、演出用手段を単に動作させるだけでは注目度の向上に限界がある。そこで、演出用手段の動作範囲を拡張することや、演出用手段の動作態様を多様化することなどにより、演出用手段の演出に対する注目度を向上させることが考えられる。しかしながら、演出用手段について動作範囲の拡張や動作態様の多様化を実現させた場合、演出用手段の動作速度が低下し、それによって演出用手段による演出効果が損なわれる、ということが懸念される。
【０５５０】
特徴Ａ１．固定リンクとしての本体部（本体部２４１）に第１リンク部（第１リンク部２４２）及び第２リンク部（第２リンク部２４３）が接続され、且つそれら第１リンク部と第２リンク部とが互いに接続されていることでリンク機構が構成され、該リンク機構を有するリンク装置（第１装飾装置２３２）が設けられた遊技機であって、
前記第１リンク部は、第１軸部（第１軸部２４４）を介して前記本体部に回動可能に接続されており、
前記第２リンク部は、第２軸部（第２軸部２４５）を介して前記本体部に回動可能に接続され、且つ第３軸部（第３軸部２４６）を介して前記第１リンク部に回動可能に接続されており、
前記第１軸部は、前記本体部及び前記第１リンク部のそれぞれに固定された固定軸部とされており、
前記第２軸部は、前記本体部又は前記第２リンク部に沿ってスライド移動可能なスライド軸部とされており、
前記リンク装置は、
前記第１リンク部及び前記第２リンク部の少なくとも一方により構成され、前記本体部に対して前記第１リンク部及び前記第２リンク部が互いに連動して回動することに伴って、遊技機前方から視認可能となる演出位置（演出位置ＰＡ２）と該演出位置から退避した退避位置（退避位置ＰＡ１）とに移動することが可能な移動演出部（移動演出部２４３ｂ）と、
前記固定軸部を軸として前記第１リンク部を前記本体部に対して回動させる第１駆動部（第１駆動部２８１）と、
前記スライド軸部を軸として前記第２リンク部を前記本体部に対して回動させるために、該スライド軸部をスライド移動させる第２駆動部（第２駆動部２８２）と、
を有していることを特徴とする遊技機。
【０５５１】
特徴Ａ１では、リンク装置がリンク機構を有しているため、第１リンク部と第２リンク部とを連動して回動させることで、移動演出部の移動範囲を拡張することや、移動演出部の動作態様を多様化させることが可能になる。このため、移動演出部を演出位置に移動させることでその移動演出部に対する注目度を高めることができる。
【０５５２】
ここで、リンク機構においては、第１リンク部や第２リンク部の動作態様が複雑になることや、複数の部材を連動して動作させることなどに起因して、動作速度が遅くなることが懸念される。第１リンク部及び第２リンク部の回動速度が遅くなると、移動演出部の移動速度も遅くなり、演出効果を高めるためにリンク機構を採用したにもかかわらず、移動演出部が演出位置に移動することによる演出効果が低下してしまう。
【０５５３】
また、第１リンク部及び第２リンク部に対して１つの駆動部だけから駆動力が付与される構成では、これらリンク部のうち一方が原動リンクとされ、他方が従動リンクとされることになり、原動リンクが従動リンクを動作させる状態になる。この場合、原動リンク及び従動リンクの両方を動作させるという観点では、定格トルクが極力大きいモータ等を駆動部として選択することが好ましい一方で、これらリンクを高速で動作させるという観点では、定格速度が極力大きいモータ等を駆動部として選択することが好ましい。そこで、定格トルク及び定格速度の両方が大きいモータ等を専用品として製作することが考えられるが、これではコスト負担が大きくなってしまう。
【０５５４】
これに対して、特徴Ａ１によれば、第１リンク部及び第２リンク部に対して第１駆動部及び第２駆動部が個別に設けられているため、各リンク部のそれぞれの動作態様などに合わせて個別に選択したモータ等を第１駆動部及び第２駆動部として設定することができる。このため、第１駆動部及び第２駆動部のうち、一方の駆動部として定格トルクが極力大きいモータ等を選択し、他方の駆動部として定格速度が極力大きいモータ等を選択することが可能となる。これにより、コスト負担の低減を目的として、専用品ではなく汎用品のモータ等を第１駆動部や第２駆動部として選択しても、リンク機構に付与される駆動力について、そのリンク機構を動作させるために必要なトルクを確保しつつ、移動演出部を演出位置に素早く移動させるために必要な最高速度を確保することができる。したがって、リンク装置の演出に対する注目度を好適に向上させることができる。
【０５５５】
特徴Ａ２．前記第１駆動部及び前記第２駆動部のうち、一方の駆動部は、他方の駆動部よりも駆動トルクの定格値が大きいトルク駆動部であり、他方の駆動部は、前記トルク駆動部よりも駆動速度の定格値が大きい速度駆動部であることを特徴とする特徴Ａ１に記載の遊技機。
【０５５６】
特徴Ａ２によれば、第１リンク部及び第２リンク部の回動について、トルク駆動部により加速を速やかに行い、速度駆動部により最高速度を向上させることができる。換言すれば、トルク駆動部と速度駆動部とが異なる役割を果たせばよいため、汎用品のモータ等をトルク駆動部や速度駆動部として選択することができる。
【０５５７】
特徴Ａ３．前記移動演出部を前記退避位置から前記演出位置に向けて移動開始させるために、前記トルク駆動部及び前記速度駆動部を両方とも駆動開始させる手段（ステップＳ１０２の処理を実行する機能）を備えていることを特徴とする特徴Ａ２に記載の遊技機。
【０５５８】
トルク駆動部と速度駆動部とがそれぞれの回転軸部を揃って駆動開始させた場合、トルク駆動部の方が加速度が大きいことに起因して、回転軸部の回転速度は、駆動開始からある程度の期間まではトルク駆動部の方が速度駆動部よりも大きいが、やがて速度駆動部がトルク駆動部を追い越すことになる。
【０５５９】
そこで、特徴Ａ３によれば、トルク駆動部及び速度駆動部が揃って駆動開始されるため、駆動開始からある程度の期間までは、トルク駆動部の駆動力により第１リンク部及び第２リンク部が回動され、その期間を過ぎた後は速度駆動部の駆動力により第１リンク部及び第２リンク部が回動されることになる。この場合、速度駆動部の駆動速度がトルク駆動部の駆動速度に追い付くまでの期間を、速度駆動部を加速させるための期間として利用していることになる。したがって、トルク駆動部と速度駆動部とで駆動速度が大きい方の駆動部の駆動力を選択的に利用して、移動演出部が退避位置から演出位置に移動する際の移動演出部の高速化を図ることができる。
【０５６０】
特徴Ａ４．前記移動演出部を前記退避位置から前記演出位置に向けて移動させるために前記トルク駆動部が駆動している状態で、前記移動演出部が前記演出位置よりも手前の駆動停止位置（中間アーム２６１が折れ状態に移行した場合の移動演出部２４３ｂの位置）に到達した場合に、当該トルク駆動部を駆動停止させる手段（ステップＳ１０４の処理を実行する機能）を備えていることを特徴とする特徴Ａ２又はＡ３に記載の遊技機。
【０５６１】
トルク駆動部及び速度駆動部が駆動開始した後、回転軸部の回転速度について、トルク駆動部が先行して速度駆動部がトルク駆動部を追い越した場合、第１リンク部及び第２リンク部が速度駆動部の駆動力により回動することになるため、トルク駆動部は、駆動していることで発電ブレーキのような働きとして、第１リンク部及び第２リンク部の回動に対して抑止力を発揮してしまうことが懸念される。
【０５６２】
これに対して、特徴Ａ４によれば、トルク駆動部及び速度駆動部が駆動開始した後、移動演出部が駆動停止位置に到達することでトルク駆動部の駆動が停止されるため、トルク駆動部が発電ブレーキの役割を果たしてしまうことを回避できる。これにより、回転軸部の回転速度について、先行していたトルク駆動部を速度駆動部が追い越した後に、第１リンク部及び第２リンク部の回動速度がトルク駆動部の駆動に伴って制限されてしまうということを抑制できる。
【０５６３】
特徴Ａ５．前記演出位置にある前記移動演出部を前記退避位置に戻すために前記速度駆動部を駆動させる手段（ステップＳ１０８の処理を実行する機能）と、
前記速度駆動部の駆動に伴って前記移動演出部が前記退避位置よりも手前の切替位置（ラック３３３が最下位置ＬＡ２に到達した場合の移動演出部２４３ｂの位置）に到達した場合に、前記速度駆動部を駆動停止させる手段（ステップＳ１１０の処理を実行する機能）と、
前記速度駆動部が駆動停止された後に、前記トルク駆動部を駆動開始させる手段（ステップＳ１１１の処理を実行する機能）を備えていることを特徴とする特徴Ａ２乃至Ａ４のいずれか１項に記載の遊技機。
【０５６４】
特徴Ａ５によれば、移動演出部を演出位置から退避位置に向けて移動させる場合に、トルク駆動部と速度駆動部とが重複しないタイミングで順番に駆動するため、例えば、トルク駆動部及び速度駆動部の両方を同時に駆動させて移動演出部を退避位置に移動させる構成に比べて、電力消費のピーク値を抑えることができる。電力消費のピーク値を抑えることは、本遊技機を複数設置している遊技ホール等において効果的である。
【０５６５】
特徴Ａ６．前記第１駆動部は、前記トルク駆動部として、前記移動演出部を前記退避位置から前記演出位置に移動させる場合に所定の第１角度（第１駆動部２８１の演出角度）だけ回転する第１モータであり、
前記第２駆動部は、前記速度駆動部として、前記移動演出部を前記退避位置から前記演出位置に移動させる場合に前記第１角度よりも大きい所定の第２角度（第２駆動部２８２の演出角度）だけ回転し、前記第１モータよりも回転トルクの定格値が小さく且つ前記第１モータよりも回転速度の定格値が大きい第２モータであることを特徴とする特徴Ａ２乃至Ａ５のいずれか１項に記載の遊技機。
【０５６６】
特徴Ａ６によれば、移動演出部が退避位置から演出位置まで移動するのに必要な回転角度が、第２モータの方が第１モータよりも大きいため、第２モータの回転速度が定格速度に到達するのに必要な回転角度を確保することができる。これにより、移動演出部が演出位置に移動する場合に、第２モータが有する性能の最大値を発揮させることで、移動演出部の高速移動を実現できる。
【０５６７】
特徴Ａ７．前記リンク装置は、
前記速度駆動部の駆動力により移動し、移動することで前記第２軸部をスライド移動させる移動部材（ラック３３３）を有しており、
前記移動部材は、
前記移動演出部が前記演出位置に移動する向きで前記第２軸部を押す第１押し部（引っ掛け孔３３５の底面３３５ｂ）と、
前記移動演出部が前記退避位置に戻る向きで前記第２軸部を押す第２押し部（引っ掛け孔３３５の天井面３３５ａ）と、
を有しており、
前記第２軸部は、前記第１押し部と前記第２押し部との間において当該第２軸部の移動方向に沿ってスライド移動可能になっていることを特徴とする特徴Ａ２乃至Ａ６のいずれか１項に記載の遊技機。
【０５６８】
特徴Ａ７によれば、速度駆動部の駆動力が第２軸部に付与されることで第２リンク部が回動し、トルク駆動部の駆動力により第１リンク部が回動する構成において、速度駆動部の駆動力により移動する移動部材が第２軸部に対して相対的に移動することが可能になっているため、移動部材と第２軸部とで移動速度が相違することを許容できる。この場合、速度駆動部及びトルク駆動部が駆動開始した後、それぞれの回転軸部の回転速度について、トルク駆動部の方が速度駆動部よりも速い期間において、各リンク部を介してトルク駆動部の駆動力により移動する第２軸部の移動速度を、速度駆動部の駆動力により移動する移動部材の移動速度よりも速くさせることができる。このため、例えば移動部材が第２軸部に対して相対的に移動できない構成とは異なり、速度駆動部の駆動速度の遅さに合わせて第２軸部の移動速度が遅くなるということを回避できる。したがって、トルク駆動部の加速度の大きさを有効に利用して、移動演出部が移動を開始した直後において移動演出部の高速移動を実現できる。
【０５６９】
特徴Ａ８．前記移動部材に対する前記第２軸部の移動方向は、前記移動部材の移動方向と同じであることを特徴とする特徴Ａ７に記載の遊技機。
【０５７０】
特徴Ａ８によれば、移動部材の移動方向と第２軸部の移動方向とが一致しているため、先行していたトルク駆動部の駆動速度を速度駆動部の駆動速度が追い越した後、移動部材の第１押し部が第２軸部を押している状況において、第１押し部が第２軸部を押す力について損失が生じにくくなっている。このため、移動演出部を高速移動させる上で、速度駆動部の駆動力を効率良く活用することができる。
【０５７１】
特徴Ａ９．前記リンク装置は、
前記速度駆動部の駆動に伴って回転するピニオン歯車（ピニオン歯車３３２）を有しており、
前記移動部材は、前記ピニオン歯車の歯に噛み合う複数の歯を有する長尺状のラック（ラック３３３）であることを特徴とする特徴Ａ７又はＡ８に記載の遊技機。
【０５７２】
特徴Ａ９によれば、直進運動するラックが移動部材とされているため、移動部材の移動方向をスライド軸部の移動方向に一致させた構成を容易に実現できる。しかも、速度駆動部の駆動力がピニオン歯車を介してラックに付与されているため、速度駆動部の回転運動をラックの直進運動に変換する際に駆動力の損失が生じにくくなっている。
【０５７３】
特徴Ａ１０．前記移動演出部が前記演出位置に移動する向きで前記第１リンク部及び前記第２リンク部を回動させるように、前記第１リンク部及び前記第２リンク部の少なくとも一方を付勢する付勢手段（バネ部材２９１）を備えていることを特徴とする特徴Ａ１乃至Ａ９のいずれか１項に記載の遊技機。
【０５７４】
特徴Ａ１０によれば、第１駆動部及び第２駆動部の各駆動力に加えて、付勢手段の付勢力が第１リンク部や第２リンク部に加えられるため、移動演出部が演出位置に移動する場合のより一層の高速化を図ることができる。
【０５７５】
なお、移動演出部が演出位置に移動する向きで各リンク部に対して付勢手段から付勢力が付与される構成では、移動演出部が演出位置にある場合に比べて退避位置にある場合の方が、付勢手段の付勢力が大きくなりやすい。したがって、移動演出部が退避位置に移動する向きで各リンク部が回動する場合、移動演出部が退避位置い近付くほど各リンク部を回動させるために大きなトルクが必要になる。
【０５７６】
そこで、本特徴を特徴Ａ５に適用することが好ましい。この場合、付勢力が比較的小さい移動範囲（演出位置から切替位置までの範囲）においては速度駆動部の駆動力により各リンク部を回動させ、付勢力が比較的大きい移動範囲（切替位置から退避位置までの範囲）においてはトルク駆動部の駆動力により各リンク部を回動させることで、各リンク部を速やかに回動させて移動演出部を極力素早く退避位置に移動させることができる。
【０５７７】
特徴Ａ１１．前記演出位置にある前記移動演出部を前記退避位置に戻すために前記第１駆動部及び前記第２駆動部のうち一方の駆動部を駆動させる手段（ステップＳ１０８の処理を実行する機能）と、
前記移動演出部が前記退避位置よりも手前の切替位置（ラック３３３が最下位置ＬＡ２に到達した場合の移動演出部２４３ｂの位置）に到達した場合に、前記切替位置まで駆動していた方の駆動部を停止させる手段（ステップＳ１１０の処理を実行する機能）と、
前記切替位置まで駆動していた方の駆動部が駆動停止された後に、前記切替位置まで駆動していなかった方の駆動部を駆動開始させる手段（ステップＳ１１１の処理を実行する機能）を備えていることを特徴とする特徴Ａ１乃至Ａ１０のいずれか１項に記載の遊技機。
【０５７８】
特徴Ａ１１によれば、第１駆動部と第２駆動部とを順番に駆動させることで、移動演出部を演出位置から退避位置に移動させることができるため、例えば、第１駆動部及び第２駆動部の両方を同時に駆動させて移動演出部を退避位置に移動させる構成に比べて、本遊技機を複数設置している遊技ホール等においては、電力消費のピーク値を抑えることができる。
【０５７９】
特徴Ａ１２．前記第１駆動部及び前記第２駆動部は、いずれも前記本体部に設けられていることを特徴とする特徴Ａ１乃至Ａ１１のいずれか１項に記載の遊技機。
【０５８０】
特徴Ａ１２によれば、第１駆動部及び第２駆動部が本体部に搭載されているため、これら駆動部が例えば第１リンク部や第２リンク部に搭載されている構成に比べて、これらリンク部の軽量化を図ることができる。この場合、少しでも定格トルクが小さくて定格速度が大きいモータ等を、第１駆動部や第２駆動部として選択することが可能になるため、移動演出部の移動速度を向上させることができる。
【０５８１】
特徴Ａ１３．前記第１軸部は、前記第２軸部の移動線の延長線上に配置されていることを特徴とする特徴Ａ１乃至Ａ１２のいずれか１項に記載の遊技機。
【０５８２】
特徴Ａ１３によれば、リンク機構において第２軸部が死点に移動した場合でも、第１駆動部が第１リンク部及び第２リンク部の回動方向を決定することができる。このため、第１駆動部及び第２駆動部のうち第２駆動部の駆動力だけが、第１リンク部及び第２リンク部に付与される構成とは異なり、移動演出部が退避位置にある場合にその移動演出部を演出位置とは反対側に移動する向きで各リンク部が回動するということを抑止できる。したがって、第２軸部の死点を活用することで、移動演出部の移動範囲を極力大きく確保したリンク機構であっても、第１リンク部及び第２リンク部を適正に動作させることができる。
【０５８３】
＜特徴Ｂ群＞
下記特徴Ｂ群の発明は、以下の課題に対して効果的である。
【０５８４】
パチンコ遊技機等の遊技機においては、遊技領域に設けられた入球部への入球を契機として絵柄の変動表示を行う絵柄表示装置を備え、この絵柄表示装置の表示画面にて各種演出を行うことにより、遊技に対する注目度の向上が図られているものがある。
【０５８５】
また、例えば表示画面の周辺に発光部や可動体等からなる演出用手段を設け、絵柄の変動表示による演出と演出用手段による演出とに所定の対応関係をもたせることにより、更なる注目度の向上を図った遊技機が提案されている（例えば特開２００２−７８９０４号公報参照）。
【０５８６】
ここで、演出用手段の演出に対する注目度の向上を図るには、演出用手段を単に動作させるだけでは注目度の向上に限界がある。そこで、演出用手段の動作範囲を拡張することや、演出用手段の動作態様を多様化することなどにより、演出用手段の演出に対する注目度を向上させることが考えられる。しかしながら、演出用手段について動作範囲の拡張や動作態様の多様化を実現させた場合、演出用手段の動作速度が低下し、それによって演出用手段による演出効果が損なわれる、ということが懸念される。
【０５８７】
特徴Ｂ１．固定リンクとしての本体部（本体部２４１）に第１リンク部（第１リンク部２４２）及び第２リンク部（第２リンク部２４３）が接続され、且つそれら第１リンク部と第２リンク部とが互いに接続されていることでリンク機構が構成され、該リンク機構を有するリンク装置（第１装飾装置２３２）が設けられた遊技機であって、
前記第１リンク部は、第１軸部（第１軸部２４４）を介して前記本体部に回動可能に接続されており、
前記第２リンク部は、第２軸部（第２軸部２４５）を介して前記本体部に回動可能に接続され、且つ第３軸部（第３軸部２４６）を介して前記第１リンク部に回動可能に接続されており、
前記第１軸部は、前記本体部及び前記第１リンク部のそれぞれに固定された固定軸部とされており、
前記第２軸部は、前記本体部又は前記第２リンク部に沿ってスライド移動可能なスライド軸部とされており、
前記リンク装置は、
前記第１リンク部及び前記第２リンク部の少なくとも一方により構成され、前記本体部に対して前記第１リンク部及び前記第２リンク部が互いに連動して回動することに伴って、遊技機前方から視認可能となる演出位置（演出位置ＰＡ２）と該演出位置から退避した退避位置（退避位置ＰＡ１）とに移動することが可能な移動演出部（移動演出部２４３ｂ）と、
本体側軸部（本体側軸部２６２）を介して前記本体部に回動可能に接続され、且つリンク側軸部（リンク側軸部２６３）を介して前記第１リンク部における前記第１軸部と前記第３軸部との中間位置に回動可能に接続されていることで、前記本体部と前記第１リンク部とを連結し、伸縮することで前記本体部に対して前記第１リンク部を回動させることが可能な中間アーム（中間アーム２６１）と、
前記中間アームを伸縮させるための駆動力を該中間アームに付与する伸縮駆動部（第１駆動部２８１）と、
を有していることを特徴とする遊技機。
【０５８８】
特徴Ｂ１では、リンク装置がリンク機構を有しているため、第１リンク部と第２リンク部とを連動して回動させることで、移動演出部の移動範囲を拡張することや、移動演出部の動作態様を多様化させることが可能になる。このため、移動演出部を演出位置に移動させることでその移動演出部に対する注目度を高めることができる。
【０５８９】
ここで、リンク機構においては、第１リンク部や第２リンク部の動作態様が複雑になることや、複数の部材を連動して動作させることなどに起因して、動作速度が遅くなることが懸念される。第１リンク部及び第２リンク部の回動速度が遅くなると、移動演出部の移動速度も遅くなり、演出効果を高めるためにリンク機構を採用したにもかかわらず、移動演出部が演出位置に移動することによる演出効果が低下してしまう。
【０５９０】
また、リンク機構において、ジョイントとしての軸部に対して駆動力が付与される構成では、リンク部を回動させるために必要なトルクを確保するために、大きな駆動力を軸部に加える必要がある。ところが、駆動部から大きな駆動力を軸部に加えるという観点では、定格トルクが極力大きいモータ等を駆動部として選択することが好ましい一方で、リンク機構を高速で動作させるという観点では、定格速度が極力大きいモータ等を駆動部として選択することが好ましい。そこで、定格トルク及び定格速度の両方が大きいモータ等を専用品として製作することが考えられるが、これではコスト負担が大きくなってしまう。
【０５９１】
これに対して、特徴Ｂ１によれば、中間アームを介して第１リンク部の中間位置に駆動力が付与されるため、第１リンク部の第１軸部や第３軸部に対して駆動力が付与される構成に比べて、第１リンク部に対する中間アームの接続位置が第１軸部や第３軸部から離間している分だけ、第１リンク部を回動させるためのトルクを大きくすることができる。このため、中間アームを介して第１リンク部に駆動力を付与する伸縮駆動部として、定格トルクが極力大きいモータ等の中で定格トルクが比較的小さめのものを選択しても、第１リンク部を回動させるためのトルクを確保することが可能になり、それに伴って、定格速度が少しでも速いものを伸縮駆動部として選択することが可能になる。この場合、コスト負担の低減を目的として、専用品ではなく汎用品のモータ等を伸縮駆動部として選択しても、リンク機構に付与される駆動力について、そのリンク機構を動作させるために必要なトルクを確保しつつ、移動演出部を演出位置に素早く移動させるために必要な速度を確保することができる。したがって、リンク装置の演出に対する注目度を好適に向上させることができる。
【０５９２】
特徴Ｂ２．前記中間アームは、前記伸縮駆動部から駆動力が伝えられることで伸縮し、その伸縮に伴って前記第１リンク部を回動させるものであることを特徴とする特徴Ｂ１に記載の遊技機。
【０５９３】
特徴Ｂ２によれば、中間アームが伸縮するため、中間アームが第１リンク部の中間位置に接続されていても、第１リンク部の回動範囲を制限しない状態で、中間アームが伸縮駆動部の駆動力を第１リンク部に伝えるという構成を実現できる。
【０５９４】
なお、前記中間アームは、伸びることで前記移動演出部を前記退避位置に移動させる向きで前記第１リンク部を回動させ、縮むことで前記移動演出部を前記演出位置に移動させる向きで前記第１リンク部を回動させることが好ましい。この構成によれば、中間アームが伸びて第１リンク部を押し出す状態になることで移動演出部を演出位置に向けて移動させることになる。この場合、第１リンク部に対して演出位置側に中間アームを配置せずに済むため、第１リンク部の回動範囲を中間アームが規制しない構成を容易に実現できる。
【０５９５】
特徴Ｂ３．前記中間アームは、
前記本体側軸部を軸に回動する第１アーム部（第１アーム部２６４）と、
前記リンク側軸部を軸に回動する第２アーム部（第２アーム部２６５）と、
前記第１アーム部と前記第２アーム部とを相対的な回動が可能な状態で連結している中間軸部（中間軸部２６６）と、
を有しており、前記中間軸部を軸として前記第１アーム部と前記第２アーム部とが折り畳まれる向きで相対的に回動することで縮み、折り畳みが解消される向きで相対的に回動することで伸びるものであることを特徴とする特徴Ｂ２に記載の遊技機。
【０５９６】
特徴Ｂ３によれば、中間アームは、第１アーム部及び第２アーム部のそれぞれが中間軸部を軸として回動することで伸縮するため、例えば伸縮駆動部として回転運動を行うモータ等が選択されていた場合に、伸縮駆動部の回転軸部が回転することで中間アームに付与される駆動力を中間アームの伸縮運動に変換する構成を容易に実現できる。また、中間アームの伸縮に際して第２アーム部が回動運動するため、同じく回動運動する第１リンク部に第２アーム部が接続されていても、第２アーム部が第１リンク部の回動運動の支障になるということを回避できる。
【０５９７】
特徴Ｂ４．前記中間アームは、
前記移動演出部が前記演出位置に移動するまで伸びることで伸び状態に移行し、前記移動演出部が前記退避位置に移動するまで縮むことで縮み状態に移行し、当該中間アームが前記縮み状態にある場合に、前記第１アーム部と前記第２アーム部とが互いに折り重なった状態で前記第１リンク部の回動に伴う前記リンク側軸部の移動方向に沿って延びていることで、前記移動演出部が前記演出位置に移動する向きで前記第１リンク部が回動することを規制するものであることを特徴とする特徴Ｂ３に記載の遊技機。
【０５９８】
特徴Ｂ４によれば、中間アームは、縮み状態に移行することで第１リンク部の回動を規制することが可能になっている。このため、例えば第１リンク部及び第２リンク部とは独立して動作する専用部材を使用しなくても、退避位置にある移動演出部が意図せずに演出位置に向けて移動することを規制できる。この場合、移動演出部を適正に移動させることができるリンク機構を実現する上で、構成が複雑になることを抑制できる。
【０５９９】
特徴Ｂ５．前記中間アームは、前記縮み状態にある場合に、前記第２アーム部が前記第１リンク部から前記演出位置とは反対側に向けて延びた状態になっていることを特徴とする特徴Ｂ４に記載の遊技機。
【０６００】
特徴Ｂ５によれば、移動演出部が退避位置にある場合に、第１リンク部の回動向きとは反対側に向けて第２アーム部が延びているため、中間アームは、第１アーム部及び第２アーム部のいずれも演出位置側にはみ出さない状態で第１リンク部の回動を規制できる。しかも、この場合、移動演出部の位置に関係なく、中間アームが第１リンク部を挟んで演出位置とは反対側において伸縮する、という構成を実現できるため、第１リンク部の回動方向において中間アームを第１リンク部に横並びに配置することができる。これにより、例えば中間アームが第１リンク部と本体部との間に配置された構成に比べて、リンク装置の厚み寸法を低減できる。リンク装置の厚み寸法を低減することは、遊技機の内部という限られた領域にリンク装置を設置する上で効果的である。
【０６０１】
特徴Ｂ６．前記リンク装置は、
前記中間アームが前記縮み状態から前記伸び状態に移行する場合に前記第１アーム部に対する前記第２アーム部の回動方向のうち一方を規制する逆回動規制部（逆回動ストッパ２６９）を有していることを特徴とする特徴Ｂ４又はＢ５に記載の遊技機。
【０６０２】
中間アームにおいては、その中間アームが縮み状態から伸び状態に移行する場合に、第２アーム部が本体側軸部を中心として第１軸部側及び第３軸部側の両方に回転可能になっている。このため、伸縮駆動部が駆動することで、中間アームが伸び状態から縮み状態に移行した場合に、伸縮駆動部が駆動停止しなければ、中間アーム部が縮み状態から再び伸びていってしまう。したがって、中間アームが伸びている最中及び縮んでいる最中のいずれの状態にあるのかが、伸縮駆動部の駆動方向だけでは判断することができないことになる。
【０６０３】
これに対して、特徴Ｂ６によれば、第２アーム部の回動が逆回動規制部により規制されるため、中間アームは伸縮駆動部が特定の方向（正方向）で駆動した場合に限って伸び、特定の方向とは反対向き（逆方向）で駆動した場合に限って縮むことになる。したがって、伸縮駆動部の駆動方向を制御することで中間アームの伸縮状態を適正に管理することができる。
【０６０４】
特徴Ｂ７．前記伸縮駆動部の駆動力を前記第２アーム部に伝達するアーム伝達手段（第１伝達部３０１）を備え、
前記中間アームは、前記伸縮駆動部の駆動力により前記第２アーム部が前記本体側軸部を軸に回動することで伸縮するものであることを特徴とする特徴Ｂ３乃至Ｂ６のいずれか１項に記載の遊技機。
【０６０５】
特徴Ｂ７によれば、伸縮駆動部の駆動力が第２アーム部に付与されるため、アーム伝達手段は、伸縮駆動部の回転軸部及び第２アーム部の本体側軸部のそれぞれに連結された歯車等を含んで構成されていればよい。この場合、伸縮駆動部及びアーム伝達手段を本体部に搭載することが可能になるため、例えば伸縮駆動部及びアーム伝達手段が第１リンク部に搭載されている構成に比べて、リンク装置の構造を簡易化することができる。
【０６０６】
特徴Ｂ８．前記第２リンク部は、前記移動演出部が前記演出位置に移動することで、前記第１リンク部及び前記本体部に対する当該第２リンク部の回動角度が前記伸縮駆動部の駆動力による前記中間アームの収縮を規制する大きさになっている収縮規制状態に移行するものであり、
前記第２リンク部が前記収縮規制状態にある場合でも、前記移動演出部が前記退避位置に移動する向きで前記第２リンク部に駆動力を伝えることで、前記第２リンク部を前記伸縮駆動部の駆動力により前記中間アームの収縮を許可する収縮許可状態に移行させるリンク伝達手段（第２伝達部３０２）が設けられていることを特徴とする特徴Ｂ３乃至Ｂ７のいずれか１項に記載の遊技機。
【０６０７】
特徴Ｂ８によれば、第１リンク部に対する第２リンク部が所定角度に達することで、中間アームを収縮させるだけでは、移動演出部が退避位置に移動する向きで第１リンク部を回動させることができない状態になる。つまり、中間アームにより移動演出部が演出位置に位置保持されている。この場合、演出位置にある移動演出部が意図せずに退避位置に向けて移動することが規制されるため、移動演出部が演出位置に移動した後に伸縮駆動部の駆動が停止されても、移動演出部の位置を適正に管理することができる。
【０６０８】
また、中間アームにより移動演出部が演出位置に位置保持されている場合でも、移動演出部が退避位置に移動する向きでリンク伝達手段から第２リンク部に駆動力を加えられることで、中間アームによる移動演出部の位置保持を解除することができる。このように、第２リンク部の回動というリンク機構の動作の一部を利用して、中間アームによる第１リンク部の回動規制を解除できるため、例えばリンク機構とは独立して動作する専用部材により移動演出部の位置保持を解除するという構成に比べて、リンク装置の構成が複雑になることを抑制できる。
【０６０９】
特徴Ｂ９．前記中間アームは、
前記中間軸部が前記第１アーム部及び前記第２アーム部の各長手方向の少なくとも一方に沿ってスライド移動を可能にし、且つ該スライド移動を案内するアーム案内部（アーム長孔２６５ａ）を有しており、
前記中間軸部は、前記第２リンク部が前記収縮規制状態にある場合に、前記リンク伝達手段からの駆動力の伝達により前記移動演出部が前記退避位置に移動する向きで当該第２リンク部が回動した場合に、前記アーム案内部に沿ってスライド移動するものであることを特徴とする特徴Ｂ８に記載の遊技機。
【０６１０】
特徴Ｂ９によれば、中間アームが伸縮する場合として、中間軸部を軸として第１アーム部が第２アーム部に対して相対的に回動する場合に加えて、第１アーム部が中間軸部と共にアーム案内部に沿って第２アーム部に対してスライド移動する場合がある。ここで、第１アーム部が第２アーム部に重なる向きでスライド移動した場合、第２アーム部を回動させなくても中間アームが縮むため、演出位置にある移動演出部が退避位置に移動する向きで第１リンク部を回動させることが可能となる。したがって、中間アームが伸び状態にある場合でも、第２リンク部を回動させることが可能となり、その結果、中間アームによる第１リンク部の回動規制を解除することができる。
【０６１１】
特徴Ｂ１０．前記リンク伝達手段からの駆動力の伝達に伴って前記第２リンク部が前記収縮許可状態に移行した場合に、前記移動演出部が前記退避位置に移動する向きで前記第１リンク部の回動を開始させるために、前記中間アームを縮める向きで前記伸縮駆動部を駆動させる縮み制御手段（ステップＳ１１１の処理を実行する機能）を備えていることを特徴とする特徴Ｂ８又はＢ９に記載の遊技機。
【０６１２】
特徴Ｂ１０によれば、第２リンク部が収縮規制状態にあることで収縮駆動部の駆動力では中間アームを収縮させることができない構成であっても、第２リンク部を収縮許可状態に移行させることで、収縮駆動部の駆動力により中間アームを収縮させることができる。この場合、収縮駆動部が、移動演出部を演出位置に移動させる場合とは反対向きの駆動力を発揮することで、移動演出部が退避位置に向けて移動することになるため、移動演出部を退避位置に移動させるための専用の駆動部を設置する必要がない。これにより、リンク機構の構造を利用して第１リンク部の回動を規制する構成においても、コスト負担の低減を図ることができる。
【０６１３】
特徴Ｂ１１．前記リンク伝達手段からの駆動力の伝達に伴って前記第２リンク部が前記収縮許可状態に移行した場合に、前記リンク伝達手段から前記第２リンク部への駆動力の伝達を停止する手段（ステップＳ１１０の処理を実行する機能）を備え、
前記縮み制御手段は、前記リンク伝達手段から前記第２リンク部への駆動力の伝達が停止された後に、前記伸縮駆動部を駆動開始させるものであることを特徴とする特徴Ｂ１０に記載の遊技機。
【０６１４】
特徴Ｂ１１によれば、移動演出部を演出位置から退避位置に移動させる場合に、第２リンク部に駆動力を付与するタイミングと、中間アームに駆動力を付与するタイミングとが重複しないため、例えば、第２リンク部及び中間アームに同時に駆動力を付与する構成に比べて、電力消費のピーク値を抑えることができる。電力消費のピーク値を抑えることは、本遊技機を複数設置している遊技ホール等において効果的である。
【０６１５】
特徴Ｂ１２．前記第２リンク部は、前記第１軸部から前記第２軸部とは反対側に向けて突出した突出部分（突出部分２７１）を有しており、
前記移動演出部は、少なくとも前記突出部分を含んで前記第２リンク部により構成されており、
前記第１リンク部は、前記移動演出部が前記退避位置にある場合に、該移動演出部と前記本体部との間に入り込んだ位置にあり、
前記第１リンク部及び中間アームは、互いに横並びに配置され、且つ前記移動演出部が前記退避位置にある場合に前記突出部分と前記本体部との間にそれぞれ入り込んだ状態になるものであることを特徴とする特徴Ｂ１乃至Ｂ１１のいずれか１項に記載の遊技機。
【０６１６】
特徴Ｂ１２によれば、移動演出部が第２リンク部により形成されている構成において、第１リンク部及び中間アームの両方が第２リンク部の背面側に配置されているため、移動演出部の位置に関係なく、第１リンク部及び中間アームが遊技機前方から視認しにくい状態を実現できる。
【０６１７】
しかも、中間アームが第１リンク部に横並びに配置されているため、例えば中間アームが第１リンク部に前後に重なる位置に配置された構成に比べて、リンク装置の厚み寸法を低減できる。リンク装置の厚み寸法を低減することは、遊技機の内部という限られた領域にリンク装置を設置する上で効果的である。
【０６１８】
＜特徴Ｃ群＞
下記特徴Ｃ群の発明は、以下の課題に対して効果的である。
【０６１９】
パチンコ遊技機等の遊技機においては、遊技領域に設けられた入球部への入球を契機として絵柄の変動表示を行う絵柄表示装置を備え、この絵柄表示装置の表示画面にて各種演出を行うことにより、遊技に対する注目度の向上が図られているものがある。
【０６２０】
また、例えば表示画面の周辺に発光部や可動体等からなる演出用手段を設け、絵柄の変動表示による演出と演出用手段による演出とに所定の対応関係をもたせることにより、更なる注目度の向上を図った遊技機が提案されている（例えば特開２００２−７８９０４号公報参照）。
【０６２１】
ここで、演出用手段の演出に対する注目度の向上を図るには、演出用手段を単に動作させるだけでは注目度の向上に限界がある。そこで、演出用手段の動作範囲を拡張することや、演出用手段の動作態様を多様化することなどにより、演出用手段の演出に対する注目度を向上させることが考えられる。しかしながら、演出用手段について動作範囲の拡張や動作態様の多様化を実現させた場合、演出用手段の動作速度が低下し、それによって演出用手段による演出効果が損なわれる、ということが懸念される。
【０６２２】
特徴Ｃ１．所定の取付対象（ユニット本体２３１）に取り付けられる本体部（本体部４０１）と、
アーム軸部（第２軸部４０５）を介して前記本体部に回動可能に接続された演出アーム（第２リンク部４０３のリンク部本体４０３ａ）と、
前記演出アームの回動先端側に設けられ、該演出アームが回動することに伴って、遊技機前方から視認可能となる演出位置（演出位置ＰＢ２）と該演出位置から退避した退避位置（退避位置ＰＢ１）とに移動することが可能な移動演出部（回転演出部４０３ｂ）と、を有する演出装置（第２装飾装置２３３）が設けられた遊技機であって、
前記移動演出部は、演出軸部（演出軸部４０７）を介して前記演出アームに回転可能に接続されており、
前記演出装置は、
前記アーム軸部を軸として前記演出アームを前記本体部に対して回動させるアーム駆動部（リンク駆動部４４２）と、
前記演出軸部を軸として前記移動演出部を前記演出アームに対して回転させる演出駆動部（演出駆動部４７５）と、
を有していることを特徴とする遊技機。
【０６２３】
特徴Ｃ１では、回動可能な演出アームに対して回転可能な移動演出部が取り付けられているため、これら演出アーム及び移動演出部の両方を動作させることで、移動演出部の移動範囲を拡張することや、移動演出部の動作態様を多様化させることが可能になる。このため、移動演出部を演出位置に移動させることでその移動演出部に対する注目度を高めることができる。
【０６２４】
ここで、演出アームの回動先端側に移動演出部が設けられた構成においては、移動演出部の重量などにより演出アームの回動速度が遅くなることが懸念される。演出アームの回動速度が遅くなることは、移動演出部の移動速度が遅くなることであり、演出効果を高めるために演出アームの先端側に移動演出部を配置したにもかかわらず、移動演出部が演出位置に移動することによる演出効果が低下してしまう。
【０６２５】
また、例えば、演出アームの駆動及び移動演出部の回転が１つの駆動部の駆動力により実施される構成では、演出アーム及び移動演出部の両方を動作させるために必要なトルクを確保するために、演出アーム及び移動演出部に対して大きな駆動力を付与する必要がある。ところが、演出アーム及び移動演出部の両方を動作させるという観点では、定格トルクが極力大きいモータ等を駆動部として選択することが好ましい一方で、演出アームの回動や移動演出部の回転を高速化するという観点では、定格速度が極力大きいモータ等を駆動部として選択することが好ましい。そこで、定格トルク及び定格速度の両方が大きいモータ等を専用品として製作することが考えられるが、これではコスト負担が大きくなってしまう。
【０６２６】
これに対して、特徴Ｃ１によれば、演出アーム及び移動演出部に対してアーム駆動部及び演出駆動部から個別に駆動力が付与されるため、演出アーム及び移動演出部のそれぞれの動作態様などに合わせて個別に選択したモータ等をアーム駆動部及び演出駆動部として設定することができる。このため、アーム駆動部として定格トルクが極力大きいモータ等を選択し、演出駆動部として定格速度が極力大きいモータ等を選択することが可能となる。この場合、コスト負担の低減を目的として、専用品ではなく汎用品のモータ等をアーム駆動部や演出駆動部として選択しても、演出アームを動作させるために必要なトルクを確保しつつ、移動演出部の回転による演出効果を高めるために必要な回転速度を確保することができる。
【０６２７】
しかも、演出アームが演出位置に向けて回動する場合に、その演出アームの回動方向に合わせて移動演出部を回転させることにより、移動演出部の回転力を演出アームの回動高速化に利用することができる。例えば、演出アームの回動先端側の移動方向と同じ向きで移動演出部を回転させることで、移動演出部の回動により演出アームの回動先端側の移動が加速されやすくなる。この場合、移動演出部が演出位置に高速で出現することになるため、移動演出部による演出効果を高めることができる。
【０６２８】
以上により、演出装置の演出に対する注目度を好適に向上させることができる。
【０６２９】
特徴Ｃ２．前記移動演出部を前記退避位置から前記演出位置に向けて移動させるために前記アーム駆動部が駆動する場合に、該アーム駆動部の駆動に合わせて、前記演出アームが回動する向きと同じ向きで前記移動演出部が回転するように前記演出駆動部を駆動させる回転開始手段（ステップＳ２０４の処理を実行する機能）を備えていることを特徴とする特徴Ｃ１に記載の遊技機。
【０６３０】
特徴Ｃ２によれば、移動演出部が演出位置に向けて移動開始する場合に、その移動演出部の回転方向が演出アームの回動方向と同じにされているため、移動演出部の回転力により演出アームの回動を加速させることができる。
【０６３１】
特徴Ｃ３．前記移動演出部は、長尺状に形成されており、前記退避位置にある場合に、前記演出アームに沿って延び且つ当該移動演出部の一端が前記演出軸部よりも前記演出アームの回動先端側に突出した姿勢で保持されていることを特徴とする特徴Ｃ２に記載の遊技機。
【０６３２】
特徴Ｃ３によれば、移動演出部が退避位置に収納されている場合に、演出アームに沿ってその演出アームに重なった状態になっているため、移動演出部が演出アームに交差する方向に延びた状態で収納されている構成に比べて、演出アーム及び移動演出部の収納スペースを縮小できる。
【０６３３】
しかも、移動演出部が退避位置にある場合には、移動演出部の上端部が演出アームの上端部よりも回動先端側に突出した位置に配置されているため、アーム軸部からの離間距離は移動演出部の上端部の方が演出アームの上端部よりも大きくなっている。この場合、例えば移動演出部の上端部が演出アームの上端部よりも演出軸部に近い位置に配置された構成に比べて、移動演出部の回転に伴ってその移動演出部の上端部が移動する場合にその上端部に生じた慣性力が大きくなるため、演出アームの回動速度を増加させることが可能になる。
【０６３４】
特徴Ｃ４．前記演出軸部は、前記移動演出部の長手方向の中央部分に配置されていることを特徴とする特徴Ｃ３に記載の遊技機。
【０６３５】
特徴Ｃ４によれば、移動演出部の回転に伴ってその移動演出部の重心が移動するということを抑制することができる。この場合、演出アームが回動しながら移動演出部が回転する構成において、移動演出部の重心の移動により演出アームの回動速度が増減するということが抑制されるため、演出アームを安定した状態で回動させることができる。
【０６３６】
特徴Ｃ５．前記移動演出部を前記退避位置から前記演出位置に向けて移動させるために、前記アーム駆動部を駆動開始させる手段（ステップＳ２０２の処理を実行する機能）を備え、
前記回転開始手段は、前記アーム駆動部が駆動開始された後に、前記移動演出部を回動させるために前記演出駆動部を駆動開始させるものであることを特徴とする特徴Ｃ４に記載の遊技機。
【０６３７】
演出軸部が移動演出部の中央部分に配置されている構成では、移動演出部が退避位置にある状態で回転すると、移動演出部の下端部が、遊技機の内部において移動演出部を挟んで演出位置とは反対側に配置された他の機器等に接触することが懸念される。
【０６３８】
これに対して、特徴Ｃ５によれば、移動演出部が演出位置に移動する向きで演出アームが回動を開始した後に、その移動演出部の回転が開始される。この場合、移動演出部が他の機器等から離間した位置で回動することになるため、その移動演出部の下端部が他の機器等に接触することを抑制できる。つまり、移動演出部や他の機器等が破損したり変形したりすることを抑制できる。
【０６３９】
特徴Ｃ６．前記アーム軸部は、前記本体部に沿ってスライド移動が可能であり、
前記演出装置は、前記アーム軸部のスライド移動に伴って前記演出アームが前記本体部に対して回動する構成を有しており、
前記アーム駆動部は、前記アーム軸部をスライド移動させるものであることを特徴とする特徴Ｃ１乃至Ｃ５のいずれか１項に記載の遊技機。
【０６４０】
特徴Ｃ６では、アーム軸部が本体部に沿ってスライド移動することで、移動演出部の移動範囲を拡張することができる。これにより、移動演出部に対する注目度を更に高めることができる。
【０６４１】
ここで、アーム駆動部の駆動力によりアーム軸部がスライド移動する構成では、移動演出部を高速移動させる上で、定格速度が極力大きいモータ等をアーム駆動部として選択することが好ましいと考えられる。ところが、定格速度が大きいモータ等においては、定格トルクが小さくなりやすく、このモータ等をアーム駆動部として選択すると、移動演出部が退避位置にある状態から演出アームを回動開始させる場合に、演出アームの加速度が小さくなることが懸念される。
【０６４２】
これに対して、本特徴は、移動演出部の回転力を利用して演出アームの回動速度が高められる構成に適用されるため、演出アームの回動開始に合わせて移動演出部を回転させることで、演出アームの回動についてその加速度を高めることができる。これにより、低格速度が大きいモータ等がアーム駆動部として選択されても、そのモータ等の定格トルクの不足分を移動演出部の回転力により補うことが可能となる。
【０６４３】
特徴Ｃ７．前記演出装置は、
固定リンク部としての前記本体部に第１リンク部（第１リンク部４０２）及び第２リンク部（第２リンク部４０３）が接続され、且つそれら第１リンク部と第２リンク部とが互いに接続されていることで構成されたリンク機構を有しており、
前記第１リンク部は、第１軸部（第１軸部４０４）を介して前記本体部に回動可能に接続されており、
前記第２リンク部は、前記演出アーム及び前記移動演出部を有しており、
前記演出アームは、第２軸部（第２軸部４０５）としての前記アーム軸部を介して前記本体部に回動可能に接続され、且つ第３軸部（第３軸部４０６）を介して前記第１リンク部に回動可能に接続されていることを特徴とする特徴Ｃ１乃至Ｃ６のいずれか１項に記載の遊技機。
【０６４４】
特徴Ｃ７によれば、演出装置において、アーム軸部のスライド移動に伴って演出アームが本体部に対して回動する構成を、リンク機構を構築することで実現できる。リンク機構においては、第１リンク部と第２リンク部とを連動して回動させることで、移動演出部の移動範囲を拡張することや、移動演出部の移動態様を多様化させることが可能になる。
【０６４５】
特徴Ｃ８．前記移動演出部が前記退避位置にある場合に、前記第３軸部が前記第２軸部の移動方向の延長線上に移動しないように前記演出アーム及び前記第１リンク部の少なくとも一方の回動を規制する逆回動規制手段（逆回動ストッパ４６９、上部カバー体４６５）を備えていることを特徴とする特徴Ｃ７に記載の遊技機。
【０６４６】
第１リンク部と第２リンク部とが連動して回動するリンク機構においては、退避位置にある移動演出部が演出位置とは反対側に移動する向きで各リンク部が回動する可能性がある。この場合、移動演出部を含む第２リンク部や第１リンク部が、遊技機の内部において移動演出部を挟んで演出位置とは反対側に配置された他の機器等に接触することが懸念される。
【０６４７】
これに対して、特徴Ｃ８によれば、第１リンク部及び第２リンク部の回動が逆回動規制手段により規制されるため、退避位置にある移動演出部が演出部とは反対側に移動する向きで、第２リンク部に含まれる演出アームが回動することを阻止できる。これにより、第２リンク部や第１リンク部が、他の機器等に接触することを抑制できる。つまり、リンク機構や他の機器等が破損したり変形したりすることを抑制できる。
【０６４８】
特徴Ｃ９．前記逆回動規制手段は、
前記演出アームにおける前記第３軸部と前記アーム軸部との間の部分に当接することで前記演出アームの回動を規制する第１規制部（逆回動ストッパ４６９）と、
前記演出アームにおける前記第３軸部を挟んで前記アーム軸部とは反対側の部分に当接することで前記演出アームの回動を規制する第２規制部（上部カバー体４６５）と、
を有していることを特徴とする特徴Ｃ８に記載の遊技機。
【０６４９】
特徴Ｃ９によれば、演出アームにおいては、第３軸部よりも回動基端側の部分に第１規制部が当接し、且つ第３軸部よりも回動先端側の部分に第２規制部が当接することで回動が規制されるため、演出アームの逆回動をより確実に抑制することができる。
【０６５０】
特徴Ｃ１０．前記移動演出部が前記演出位置に移動する向きで前記第１リンク部及び前記第２リンク部を回動させるように、前記第１リンク部及び前記第２リンク部の少なくとも一方を付勢する付勢手段（バネ部材４５１）を備えていることを特徴とする特徴Ｃ７乃至Ｃ９のいずれか１項に記載の遊技機。
【０６５１】
特徴Ｃ１０によれば、アーム駆動部の駆動力及び移動演出部の回転力に加えて、付勢手段の付勢力が第１リンク部や第２リンク部に加えられるため、移動演出部が演出位置に移動する場合のより一層の高速化を図ることができる。
【０６５２】
特徴Ｃ１１．前記演出アームにおいては、前記演出駆動部と前記演出軸部とが該演出軸部の軸線方向とは交差する方向に沿って横並びに設けられており、前記演出駆動部と前記演出軸部との間には、前記演出駆動部の駆動力を前記演出軸部に伝える演出伝達部（演出伝達部４７６）が設けられていることを特徴とする特徴Ｃ１乃至Ｃ１０のいずれか１項に記載の遊技機。
【０６５３】
特徴Ｃ１１によれば、演出アームにおいて、移動演出部と演出駆動部とが演出軸部の軸線方向に沿って重ならない位置に配置されているため、例えば演出軸部の軸線方向に沿って移動演出部と演出駆動部とが重なる位置に配置された構成に比べて、演出装置の厚み寸法を低減できる。演出装置の厚み寸法を低減することは、遊技機の内部という限られた領域に演出装置を設置する上で効果的である。
【０６５４】
特徴Ｃ１２．前記演出駆動部は、前記演出軸部の軸線方向において前記移動演出部の回転角度に関係なく該移動演出部に重ならない位置に配置されていることを特徴とする特徴Ｃ１１に記載の遊技機。
【０６５５】
特徴Ｃ１２によれば、演出軸部と演出駆動部との離間距離が移動演出部の回転半径より大きくされているため、その離間距離が移動演出部の回転半径以下とされている構成に比べて、演出装置の厚み寸法を低減できる。
【０６５６】
＜特徴Ｄ群＞
下記特徴Ｄ群の発明は、以下の課題に対して効果的である。
【０６５７】
パチンコ遊技機等の遊技機においては、遊技領域に設けられた入球部への入球を契機として絵柄の変動表示を行う絵柄表示装置を備え、この絵柄表示装置の表示画面にて各種演出を行うことにより、遊技に対する注目度の向上が図られているものがある。
【０６５８】
また、例えば表示画面の周辺に発光部や可動体等からなる演出用手段を設け、絵柄の変動表示による演出と演出用手段による演出とに所定の対応関係をもたせることにより、更なる注目度の向上を図った遊技機が提案されている（例えば特開２００２−７８９０４号公報参照）。
【０６５９】
ここで、演出用手段の演出に対する注目度の向上を図るには、演出用手段を単に動作させるだけでは注目度の向上に限界がある。そこで、演出用手段の動作範囲を拡張することや、演出用手段の動作態様を多様化することなどにより、演出用手段の演出に対する注目度を向上させることが考えられる。
【０６６０】
しかしながら、演出用手段について動作範囲の拡張や動作態様の多様化を実現させた場合、演出用手段の構成が複雑になることが想定される。しかも、演出用手段を動作させることで演出効果を高める構成では、演出用手段を動作させない状態で保持することも必要であり、例えば演出用手段とは独立して動作する専用部材を演出用手段に取り付けることで、その専用部材により演出用手段の動作を規制することはできても、演出用手段の構成がより一層複雑なものになってしまう。
【０６６１】
特徴Ｄ１．固定リンクとしての本体部（本体部４０１）に第１リンク部（第１リンク部４０２）及び第２リンク部（第２リンク部４０３）が接続され、且つそれら第１リンク部と第２リンク部とが互いに接続されていることでリンク機構が構成され、該リンク機構を有する演出装置（第２装飾装置２３３）が設けられた遊技機であって、
前記第１リンク部は、第１軸部（第１軸部４０４）を介して前記本体部に回動可能に接続されており、
前記第２リンク部は、第２軸部（第２軸部４０５）を介して前記本体部に回動可能に接続され、且つ第３軸部（第３軸部４０６）を介して前記第１リンク部に回動可能に接続されており、
前記第１軸部は、前記本体部及び前記第１リンク部のそれぞれに固定された固定軸部とされており、
前記第２軸部は、前記本体部又は前記第２リンク部に沿ってスライド移動可能なスライド軸部とされており、
前記演出装置は、
前記第１リンク部及び前記第２リンク部の少なくとも一方により構成され、前記本体部に対して前記第１リンク部及び前記第２リンク部が互いに連動して回動することに伴って、遊技機前方から視認可能となる演出位置（演出位置ＰＢ２）と該演出位置から退避した退避位置（退避位置ＰＢ１）とに移動することが可能な移動演出部（回転演出部４０３ｂ）と、
前記第１リンク部の回動に伴って変位する第１変位部（回動規制部材５１１の規制引掛部５１５）と、
前記第２リンク部の回動に伴って変位する第２変位部（ラック４９３のラック受け部５２１）と、
を有しており、
前記第１変位部及び前記第２変位部は、前記移動演出部が前記退避位置にある場合に互いに引っ掛かっていることで、前記移動演出部が前記演出位置に移動する向きで前記第１リンク部及び前記第２リンク部の回動を規制し、互いの引っ掛かりが解除されることで各リンク部の回動規制を解除するものであることを特徴とする遊技機。
【０６６２】
特徴Ｄ１では、演出装置がリンク機構を有しているため、第１リンク部と第２リンク部とを連動して回動させることで、移動演出部の移動範囲を拡張することや、移動演出部の動作態様を多様化させることが可能になる。このため、移動演出部を演出位置に移動させることでその移動演出部に対する注目度を高めることができる。
【０６６３】
ここで、リンク機構においては、少なくとも第１リンク部及び第２リンク部を含んで複数の部材を連動して動作させることなどに起因して、構成が複雑になることが懸念される。また、第１リンク部及び第２リンク部の回動を規制するために、これらリンク部とは独立して動作する専用部材をリンク機構に付加した場合、リンク機構の構成がより一層複雑になってしまう。しかも、専用部材を第１リンク部及び第２リンク部とは別の態様で動作させるには、これらリンク部を動作させる駆動部とは別の駆動部により専用部材を動作させる必要があり、リンク機構の動作制御も複雑なものになってしまう。
【０６６４】
これに対して、特徴Ｄ１によれば、第１リンク部の回動に伴って変位する第１変位部と、第２リンク部の回動に伴って変位する第２変位部とが互いに引っ掛かった状態になるため、これらリンク部とは独立して動作する専用部材をリンク機構に取り付けなくても、第１リンク部及び第２リンク部の回動を規制することができる。したがって、リンク機構の構成や動作が複雑になることを抑制できる。
【０６６５】
しかも、第１変位部と第２変位部とは、移動演出部が退避位置に移動した場合に互いに引っ掛かった状態になるため、移動演出部が演出位置に移動する向きで第１リンク部及び第２リンク部が意図せずに回動するということを規制できる。このため、演出位置への移動演出部の移動を意図した場合に限ることが可能となり、それによって、移動演出部が移動することで遊技に対する遊技の期待感を高めることができる。
【０６６６】
以上により、リンク機構による演出に対する注目度を好適に向上させることができる。
【０６６７】
特徴Ｄ２．前記演出装置は、
前記第２リンク部の回動に伴って前記第２軸部と共にスライド移動する移動部材（ラック４９３）と、
前記第１リンク部の回動に伴って回動する回動体（回動規制部材５１１）と、
を有しており、
前記第１変位部は前記回動体に設けられ、該回動体の回動に伴って変位するものであり、
前記第２変位部は前記移動部材に設けられ、該移動部材のスライド移動に伴って変位するものであることを特徴とする特徴Ｄ１に記載の遊技機。
【０６６８】
特徴Ｄ２では、第２軸部の移動方向に合わせて第２変位部を直線運動させることが可能となるため、第１変位部及び第２変位部の両方が曲線運動を行う構成に比べて、第１変位部の移動軌跡と第２変位部の移動軌跡とが交差する位置においてこれら第１変位部と第２変位部とが互いに引っ掛かるという構成を容易に実現できる。
【０６６９】
ここで、第１変位部と第２変位部とが引っ掛かりやすい位置は、第１変位部の移動軌跡と第２変位部の移動軌跡とが交差する角度がほぼ９０度になる位置であり、第１変位部及び第２変位部の各移動軌跡が両方とも曲線である場合には、例えば第１変位部及び第２変位部のそれぞれについて、移動軌跡の位置とその位置での移動軌跡の角度とを対応させて、第１変位部の移動軌跡と第２変位部の移動軌跡とが直交する位置を算出する必要がある。このため、第１変位部と第２変位部との相対的な動作態様を設定する作業が煩雑になることが懸念される。
【０６７０】
これに対して、本特徴によれば、第２変位部の移動軌跡が直線状になるため、第２変位部の移動軌跡については、どの部分でも移動軌跡の角度が同一になっている。この場合、移動軌跡の位置とその位置での移動軌跡の角度とを対応させる必要があるのは、第２変位部についてだけになるため、第１変位部と第２変位部とがそれぞれの移動軌跡が直交する位置にて互いに引っ掛かる構成を実現することが容易化できる。したがって、回動体及び移動部材の位置関係や第１変位部と第２変位部との相対的な動作態様を設定する作業が煩雑になるということを抑制できる。
【０６７１】
特徴Ｄ３．前記移動演出部は、前記第２軸部が前記第１軸部から遠ざかる向きで前記第１リンク部及び前記第２リンク部が回動した場合に、前記退避位置に向けて移動するものであり、
前記第１リンク部は、前記第１軸部と前記第３軸部との並び方向とは交差する方向において、前記第１軸部から離間した位置に配置され、当該第１リンク部の回動に伴って変位するリンク変位部（膨出接続部５１７）を有しており、
前記回動体は、当該回動体の回動軸部（規制軸部５１３）から離間した位置に配置され、同回動体の回動に伴って変位する回動変位部（規制接続部５１６）を有しており、
前記リンク変位部と前記回動変位部とが連結部材（連結部材５１２）により連結されていることで、前記第１リンク部の回動に伴って前記回動体が回動することを特徴とする特徴Ｄ２に記載の遊技機。
【０６７２】
特徴Ｄ３によれば、回動体が連結部材を介して第１リンク部に連結されているため、回動体を第１軸部から離間した位置に配置することができる。この場合、移動部材の移動範囲に重なる位置に第１変位部を配置することが可能になるため、第１変位部と第２変位部とがそれぞれの移動規制が交差する位置において互いに引っ掛かった状態になる構成を容易に実現できる。
【０６７３】
特徴Ｄ４．前記回動体においては、前記回動軸部と前記回動変位部とが、前記第１軸部と前記リンク変位部との並び方向に沿って並べられており、
前記連結部材は、前記第１軸部と前記回動軸部との並び方向に沿って延びていることを特徴とする特徴Ｄ３に記載の遊技機。
【０６７４】
特徴Ｄ４によれば、第１リンク部の回動に伴って変位するリンク変位部の変位量をそのまま第１変位部の変位量に変換することができるため、第１リンク部の回動に伴って第１変位部を変位させる構成が複雑になることを抑制できる。
【０６７５】
特徴Ｄ５．前記演出装置は、
前記第２リンク部を前記本体部に対して回動させるために前記第２軸部をスライド移動させるスライド駆動部（リンク駆動部４４２）と、
前記スライド駆動部の駆動に伴って回転するピニオン歯車（ピニオン歯車４９２）と、を有しており、
前記移動部材は、前記ピニオンの歯に噛み合う複数の歯を有するラックであり、
前記第２変位部は、前記ラックにおいて該ラックの移動方向における前記第１軸部側の端部に設けられていることを特徴とする特徴Ｄ３又はＤ４に記載の遊技機。
【０６７６】
特徴Ｄ５によれば、直進運動するラックが移動部材とされているため、第２変位部を直線運動させる構成を容易に実現できる。しかも、スライド駆動部の駆動力がラックを介して第２軸部及び第２変位部のそれぞれに付与されているため、例えば第２変位部を変位させるための専用部材が設けられている構成に比べて、演出装置の構成が複雑になることを抑制できる。さらに、第２軸部をスライド移動させるラックスライド駆動部の駆動力がピニオン歯車を介してラックに付与されているため、スライド駆動部の回転運動をラックの直線運動に変換する際に駆動力の損失が生じにくくなっている。
【０６７７】
特徴Ｄ６．前記移動部材は、
前記移動演出部が前記演出位置に移動する向きで前記第２軸部を押す第１押し部（引っ掛け孔４９５の底面４９５ｂ）と、
前記移動演出部が前記退避位置に戻る向きで前記第２軸部を押す第２押し部（引っ掛け孔４９５の天井面４９５ａ）と、
を有しており、
前記第２軸部は、前記第１押し部と前記第２押し部との間において当該第２軸部の移動方向に沿って移動可能になっており、
前記移動部材は、前記第１変位部と前記第２変位部とが互いに引っ掛かった状態になる引っ掛け位置（最下位置ＬＢ２）と、前記第１変位部と前記第２変位部との引っ掛かりが解除される引っ掛け解除位置（ロック解除位置ＬＢ３）とに移動可能であり、前記第２押し部で前記第２軸部を押すことで前記移動演出部が前記退避位置に移動した場合に前記引っ掛け位置に移動し、前記移動演出部が前記退避位置にある場合に前記第１押し部が前記第２軸部を押さない範囲で前記第２押し部が前記第２軸部から離間する向きに移動することで前記引っ掛け解除位置に移動するものであることを特徴とする特徴Ｄ２乃至Ｄ５のいずれか１項に記載の遊技機。
【０６７８】
特徴Ｄ６によれば、移動演出部が退避位置から演出位置に向けて移動する場合、第１変位部と第２変位部との引っ掛かりが解除される動作と、移動部材の第１押し部が第２軸部を押すことで第１リンク部及び第２リンク部が回動開始する動作とが、重ならないタイミングで順番に実施される。このため、これらの動作が同時に行われる構成に比べて、各動作を行うために必要な駆動力のピーク値を低減できる。したがって、第１リンク部や第２リンク部に駆動力を付与する駆動部として、ピーク値を低減した分だけ定格トルクの小さいモータ等を選択することができる。これにより、コスト負担の低減を図ることができる。
【０６７９】
特徴Ｄ７．前記移動部材に対する前記第２軸部の移動方向は、前記移動部材の移動方向と同じであることを特徴とする特徴Ｄ６に記載の遊技機。
【０６８０】
特徴Ｄ７によれば、移動部材の移動方向と第２軸部の移動方向とが一致しているため、第１変位部と第２変位部との引っ掛かりが解除された後に、移動部材の第１押し部が第２軸部を押している状況において、第１押し部が第２軸部を押す力について損失が生じにくくなっている。このため、第２軸部の移動速度を高めることができ、それによって、移動演出部の高速移動が実現されてその移動演出部による演出効果を高めることができる。
【０６８１】
特徴Ｄ８．前記回動体は、前記移動部材を挟んで前記第１リンク部及び前記第２リンク部とは反対側に設けられていることを特徴とする特徴Ｄ２乃至Ｄ７のいずれか１項に記載の遊技機。
【０６８２】
特徴Ｄ８によれば、演出装置の厚み方向において、回動体が移動部材や第１リンク部、第２リンク部に重なる位置に配置されていても、その回動体が第１リンク部及び第２リンク部の回動の支障になることを回避できる。
【０６８３】
特徴Ｄ９．前記移動演出部が前記演出位置に移動する向きで前記第１リンク部及び前記第２リンク部を回動させるように、前記第１リンク部及び前記第２リンク部の少なくとも一方を付勢する付勢手段（バネ部材４５１）を備え、
前記第１変位部及び前記第２変位部は、互いに引っ掛かっていることで前記付勢手段による付勢力に抗して前記第１リンク部及び前記第２リンク部の回動を規制するものであることを特徴とする特徴Ｄ１乃至Ｄ８のいずれか１項に記載の遊技機。
【０６８４】
特徴Ｄ９によれば、付勢手段の付勢力が第１リンク部や第２リンク部に加えられるため、移動演出部を退避位置から演出位置に向けての移動速度を高めることができる。ここで、第１リンク部や第２リンク部に付勢手段の付勢力が付与される構成では、これらリンク部が付勢力により意図せずに回動することが懸念されるが、移動演出部が退避位置にある場合には、第１変位部と第２変位部とが引っ掛かっていることで各リンク部の回動が規制されている。したがって、退避位置にある移動演出部が演出位置に向けて意図せずに移動することで、移動演出部による演出効果が低下するということを抑制できる。
【０６８５】
以下に、以上の各特徴を適用し得る遊技機の基本構成を示す。
【０６８６】
パチンコ遊技機：遊技者が操作する操作手段（遊技球発射ハンドル４１）と、その操作手段の操作に基づいて遊技球を発射する遊技球発射手段（遊技球発射機構１１０）と、その発射された遊技球を所定の遊技領域（遊技領域ＰＥ）に導く球通路（誘導レール１００）と、遊技領域内に配置された各遊技部品とを備え、それら各遊技部品のうち所定の通過部（一般入賞口６１等）を遊技球が通過した場合に遊技者に特典を付与する遊技機。
【０６８７】
スロットマシン等の回胴式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにした遊技機。
【０６８８】
球使用ベルト式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにし、さらに、球受皿を設けてその球受皿から遊技球を取り込む投入処理を行う投入装置と、前記球受皿に遊技球の払出を行う払出装置とを備え、投入装置により遊技球が投入されることにより前記始動用操作手段の操作が有効となるように構成した遊技機。
【符号の説明】
【０６８９】
１０…遊技機としてのパチンコ機、２３１…取付対象としてのユニット本体、２３２…リンク装置としての第１装飾装置、２３３…演出装置としての第２装飾装置、２４１…本体部、２４２…第１リンク部、２４３…第２リンク部、２４３ｂ…移動演出部、２４４…第１軸部、２４５…第２軸部、２４６…第３軸部、２６１…中間アーム、２６２…本体側軸部、２６３…リンク側軸部、２６４…第１アーム部、２６５…第２アーム部、２６５ａ…アーム案内部としてのアーム長孔、２６６…中間軸部、２６９…逆回動規制部としての逆回動ストッパ、２７１…突出部分、２８１…伸縮駆動部としての第１駆動部、２８２…第２駆動部、２９１…付勢手段としてのバネ部材、３０１…アーム伝達手段としての第１伝達部、３３２…ピニオン歯車、３３３…移動部材としてのラック、３３５…引っ掛け孔、３３５ａ…第１押し部としての天井面、３３５ｂ…第２押し部としての底面、４０１…本体部、４０２…第１リンク部、４０３…第２リンク部、４０３ａ…演出アームとしてのリンク部本体４０３ａ、４０３ｂ…移動演出部としての回転演出部、４０４…第１軸部、４０５…アーム軸部としての第２軸部、４０６…第３軸部、４０７…演出軸部、４４２…スライド駆動部及びアーム駆動部としてのリンク駆動部、４５１…付勢手段としてのバネ部材、４６５…逆回動規制手段を構成する第２規制部としての上部カバー体、４６９…逆回動規制手段を構成する第１規制部としての逆回動ストッパ、４７５…演出駆動部、４７６…演出伝達部、４９２…ピニオン歯車、４９３…移動部材としてのラック、４９５…引っ掛け孔、４９５ａ…第２押し部としての天井面、４９５ｂ…第１押し部としての底面、５１１…回動体としての回動規制部材、５１２…連結部材、５１３…回動軸部としての規制軸部、５１５…第１変位部としての規制引掛部、５１６…回動変位部としての規制接続部、５１７…リンク変位部としての膨出接続部、５２１…第２変位部としてのラック受け部、ＬＢ２…引っ掛け位置としての最下位置、ＬＢ３…引っ掛け解除位置としてのロック解除位置、ＰＡ１…移動演出部２４３ｂの退避位置、ＰＡ２…移動演出部２４３ｂの演出位置、ＰＢ１…回転演出部４０３ｂの退避位置、ＰＢ２…回転演出部４０３ｂの演出位置。
【図１】
2020072921.tif 000003
【図２】
2020072921.tif 000004
【図３】
2020072921.tif 000005
【図４】
2020072921.tif 000006
【図５】
2020072921.tif 000007
【図６】
2020072921.tif 000008
【図７】
2020072921.tif 000009
【図８】
2020072921.tif 000010
【図９】
2020072921.tif 000011
【図１０】
2020072921.tif 000012
【図１１】
2020072921.tif 000013
【図１２】
2020072921.tif 000014
【図１３】
2020072921.tif 000015
【図１４】
2020072921.tif 000016
【図１５】
2020072921.tif 000017
【図１６】
2020072921.tif 000018
【図１７】
2020072921.tif 000019
【図１８】
2020072921.tif 000020
【図１９】
2020072921.tif 000021
【図２０】
2020072921.tif 000022
【図２１】
2020072921.tif 000023
【図２２】
2020072921.tif 000024
【図２３】
2020072921.tif 000025
【図２４】
2020072921.tif 000026
【図２５】
2020072921.tif 000027
【図２６】
2020072921.tif 000028